(57)【要約】【課題】複数の仮想リソースブロックを割り当てられた移動局装置においても、優れた周波数ダイバーシチ効果を得ること【解決手段】分散送信を行う基地局装置において、仮想リソースブロックから分割された信号群を配置する物理リソース割当単位の組合せと、該組合せの順番とからなる対応付の規則であって、該順番が連続している複数の前記組合せを纏めた仮想リソースブロックユニットセットに属する物理リソース割当単位が互いに周波数方向に隣接していない規則における順番の開始位置と連続数とを、移動局装置各々について決定するリソース対応付部と、この開始位置と連続数とを表す情報とを含む無線リソース割り当て情報を生成する割当情報生成部と、リソース対応付部の決定に従い、仮想リソースブロックの信号を多重するとともに、無線リソース割り当て情報を送信する信号を多重する多重部とを具備することを特徴とする基地局装置。【選択図】図４
2009188675.tif 000002
【特許請求の範囲】
【請求項１】
複数の移動局装置と、
無線リソースを周波数方向および時間方向に予め決められた幅で区切った領域であって、前記移動局装置へ送信するデータの割り当て単位となる領域である物理リソース割当単位にて送信可能なデータ量の前記移動局装置宛てのデータの信号からなる仮想リソースブロックを所定の多重数に分割した信号群各々を、周波数方向に分散した前記多重数の前記物理リソース割当単位に配置することで、各前記物理リソース割当単位に、異なる前記仮想リソースブロックから分割された前記多重数の信号群を多重した信号を送信する分散送信を行う基地局装置と
を具備する無線通信システムにおいて、
前記基地局装置は、
前記多重数の前記信号群であって、同一の前記仮想リソースブロックから分割された前記信号群を配置する前記物理リソース割当単位の組合せと、該仮想リソースブロックの順番とからなる対応付の規則であって、該順番が連続している複数の前記仮想リソースブロックを纏めた仮想リソースブロックユニットセットのうち、少なくとも一部の仮想リソースブロックユニットセットにおいて、該仮想リソースブロックユニットセットに属する前記仮想リソースブロックの信号を配置する前記物理リソース割当単位が互いに周波数方向に隣接していない規則における前記順番の開始位置と連続数とを、分散送信の対象となっている前記移動局装置各々について決定することで、該移動局装置宛ての仮想リソースブロックを分散送信する際に用いる前記物理リソース割当単位と該物理リソース割当単位各々における時間領域を決定するリソース対応付部と、
前記対応付け部が決定した前記規則における前記順番の開始位置と連続数とを表す情報とを少なくとも含む無線リソース割り当て情報を生成する割当情報生成部と、
前記リソース対応付部の決定に従い、前記移動局装置宛ての仮想リソースブロックの信号を多重するとともに、前記無線リソース割り当て情報を送信する信号を多重する多重部と
を具備し、
前記移動局装置は、
受信した無線リソース割り当て情報と前記規則とに基づき、受信した信号から、当該移動局装置宛ての仮想リソースブロックの信号が配置された領域を検出する制御部と、
前記制御部の検出結果に基づき、当該移動局装置宛ての仮想リソースブロックの信号を抽出する多重分離部と
を具備することを特徴とする無線通信システム。
【請求項２】
前記規則は、前記順番が連続した前記組合せを所定のセット数毎に纏めた前記仮想リソースブロックユニットセットにおいて、該組に属する組合せを構成する前記物理リソース割当単位が互いに周波数方向に隣接していない規則であることを特徴とする請求項１に記載の無線通信システム。
【請求項３】
前記規則は、
前記基地局装置が管理する通信帯域幅内の前記物理リソース割当単位に対して、前記通信帯域幅のいずれか一方の端の前記物理リソース割当単位から周波数方向に順に番号付けし、前記番号付けした物理リソース割当単位の総数に応じて仮想リソースブロックの総数を決定し、各仮想リソースブロックの順番を表す番号付けを行う第１のステップと、
番号が前記仮想リソースブロックの総数を前記多重数で割った値離れた前記仮想リソースブロックを前記多重数纏めた順番付きの組を仮想リソースブロックユニットとする第２のステップと、
前記仮想リソースブロックユニットのうち、構成する仮想リソースブロックの番号の総和が最も小さい仮想リソースブロックユニットより順に番号付けを行う第３のステップと、
前記第３のステップによる番号付けの番号が連続する所定のセット数の仮想リソースブロックユニットの組を仮想リソースブロックユニットセットにする第４のステップと、
前記仮想リソースブロックユニットセットから所定の順番で抽出して並べた仮想リソースブロックユニットの順番付きの組を第１の仮想リソースブロックユニットグループとする第５のステップと、
前記第１の仮想リソースブロックユニットグループを構成する全ての前記仮想リソースブロックユニットにおける仮想リソースブロックの順番を変更した仮想リソースブロックユニットの順番付きの組を前記第１とは異なる仮想リソースブロックユニットグループとする第６のステップと、
前記仮想リソースブロックユニットグループ各々を互いに重複しないように、各前記仮想リソースブロックユニットグループを構成する仮想リソースブロックユニット数の周波数方向に連続する物理リソース割当単位に対応付ける第７のステップと
により生成される前記仮想リソースブロックユニットグループを構成する仮想リソースブロックと前記物理リソース割当単位の組合せと、前記仮想リソースブロックの順番とからなる規則であることを特徴とする請求項１に記載の無線通信システム。
【請求項４】
前記第５のステップは、各前記仮想リソースブロックユニットセットを構成する仮想リソースブロックユニットの番号の総和の最も小さい仮想リソースブロックユニットセットより順に番号付けし、該番号付けされた番号の順に、前記仮想リソースブロックユニットセットから、該仮想リソースブロックユニットセットにおいて最も順番の早い前記仮想リソースブロックを一つ抽出し、全ての前記仮想リソースブロックを抽出するまで、全ての前記仮想リソースブロックユニットセットについて繰り返し、この抽出の順番に前記仮想リソースブロックをならべた前記仮想リソースブロックユニットの順番付きの組を第１の仮想リソースブロックユニットグループとするステップであること
を特徴とする請求項３に記載の無線通信システム。
【請求項５】
前記仮想リソースブロックユニットにおける前記仮想リソースブロックの順番は、予め決められた時間領域に対応付けられており、
前記多重部は、該対応付けられた時間領域に該仮想リソースブロックの信号を配置することで、前記物理リソース割当単位に前記仮想リソースブロックの信号を時間多重すること
を特徴とする請求項３に記載の無線通信システム。
【請求項６】
前記所定のセット数は、周波数方向に配置可能な前記物理リソース割当単位の総数に応じて設定されることを特徴とする請求項３に記載の無線通信システム。
【請求項７】
前記所定のセット数は、前記多重数に応じて設定されることを特徴とする請求項３に記載の無線通信システム。
【請求項８】
前記所定のセット数は、送信アンテナ数に応じて設定されることを特徴とする請求項３に記載の無線通信システム。
【請求項９】
前記基地局装置は、前記所定のセット数を表す情報を報知チャネルに含めて、前記移動局装置に送信することを特徴とする請求項３に記載の無線通信システム。
【請求項１０】
前記第７のステップで生成される前記第１とは異なる仮想リソースブロックユニットグループの数は、前記多重数に応じた数であることを特徴とする請求項３に記載の無線通信システム。
【請求項１１】
前記仮想リソースブロックの総数は、周波数方向に配置可能な前記物理リソース割当単位の総数以下であり、前記多重数で割り切れる数に設定されることを特徴とする請求項３に記載の無線通信システム。
【請求項１２】
前記第６のステップで生成される前記第１とは異なる仮想リソースブロックユニットグループの数は、前記多重数から１を引いた数であり、
前記第７のステップは、前記仮想リソースブロックユニットグループを前記物理リソース割当単位に対応付ける際に、前記仮想リソースブロックユニットグループが対応付けられる前記物理リソース割当単位群同士の間にある前記物理リソース割当単位であって、前記仮想リソースブロックが対応付けられない物理リソース割当単位の数の合計を、前記通信帯域幅内の物理リソース割当単位の総数から仮想リソースブロックの総数を引いた数となるように、前記仮想リソースブロックユニットグループを前記物理リソース割当単位に対応付けるステップであることを特徴とする請求項１１に記載の無線通信システム。
【請求項１３】
無線リソースを周波数方向および時間方向に予め決められた幅で区切った領域であって、移動局装置へ送信するデータの割り当て単位となる領域である物理リソース割当単位にて送信可能なデータ量の前記移動局装置宛てのデータの信号からなる仮想リソースブロックを所定の多重数に分割した信号群各々を、周波数方向に分散した前記多重数の前記物理リソース割当単位に配置することで、各前記物理リソース割当単位に、異なる前記仮想リソースブロックから分割された前記多重数の信号群を多重した信号を送信する分散送信を行う基地局装置において、
前記多重数の前記信号群であって、同一の前記仮想リソースブロックから分割された前記信号群を配置する前記物理リソース割当単位の組合せと、該仮想リソースブロックの順番とからなる対応付の規則であって、該順番が連続している複数の前記仮想リソースブロックを纏めた仮想リソースブロックユニットセットのうち、少なくとも一部の仮想リソースブロックユニットセットにおいて、該仮想リソースブロックユニットセットに属する前記仮想リソースブロックの信号を配置する前記物理リソース割当単位が互いに周波数方向に隣接していない規則における前記順番の開始位置と連続数とを、分散送信の対象となっている前記移動局装置各々について決定することで、該移動局装置宛ての仮想リソースブロックを分散送信する際に用いる前記物理リソース割当単位と該物理リソース割当単位各々における時間領域を決定するリソース対応付部と、
前記対応付け部が決定した前記規則における前記順番の開始位置と連続数とを表す情報とを少なくとも含む無線リソース割り当て情報を生成する割当情報生成部と、
前記リソース対応付部の決定に従い、前記移動局装置宛ての仮想リソースブロックの信号を多重するとともに、前記無線リソース割り当て情報を送信する信号を多重する多重部と
を具備することを特徴とする基地局装置。
【請求項１４】
無線リソースを周波数方向および時間方向に予め決められた幅で区切った領域であって、移動局装置へ送信するデータの割り当て単位となる領域である物理リソース割当単位にて送信可能なデータ量の移動局装置宛てのデータの信号からなる仮想リソースブロックを所定の多重数に分割した信号群各々を、周波数方向に分散した前記多重数の前記物理リソース割当単位に配置することで、各前記物理リソース割当単位に、異なる前記仮想リソースブロックから分割された前記多重数の信号群を多重した信号を送信する分散送信された信号を受信する移動局装置において、
前記多重数の前記信号群であって、同一の前記仮想リソースブロックから分割された前記信号群を配置する前記物理リソース割当単位の組合せと、該仮想リソースブロックの順番とからなる対応付の規則であって、該順番が連続している複数の前記仮想リソースブロックを纏めた仮想リソースブロックユニットセットのうち、少なくとも一部の仮想リソースブロックユニットセットにおいて、該仮想リソースブロックユニットセットに属する前記仮想リソースブロックの信号を配置する前記物理リソース割当単位が互いに周波数方向に隣接していない規則と、受信した無線リソース割り当て情報であって、前記規則における前記順番の開始位置および連続数を表す無線リソース割り当て情報とに基づき、受信した信号から、当該移動局装置宛ての仮想リソースブロックの信号が配置された領域を検出する制御部と、
前記制御部の検出結果に基づき、当該移動局装置宛ての仮想リソースブロックの信号を抽出する多重分離部と
を具備することを特徴とする移動局装置。
【請求項１５】
複数の移動局装置と、
無線リソースを周波数方向および時間方向に予め決められた幅で区切った領域であって、前記移動局装置へ送信するデータの割り当て単位となる領域である物理リソース割当単位にて送信可能なデータ量の前記移動局装置宛てのデータの信号からなる仮想リソースブロックを所定の多重数に分割した信号群各々を、周波数方向に分散した前記多重数の前記物理リソース割当単位に配置することで、各前記物理リソース割当単位に、異なる前記仮想リソースブロックから分割された前記多重数の信号群を多重した信号を送信する分散送信を行う基地局装置と
を具備する無線通信システムにおける無線通信方法において、
前記基地局装置が、前記多重数の前記信号群であって、同一の前記仮想リソースブロックから分割された前記信号群を配置する前記物理リソース割当単位の組合せと、該仮想リソースブロックの順番とからなる対応付の規則であって、該順番が連続している複数の前記仮想リソースブロックを纏めた仮想リソースブロックユニットセットのうち、少なくとも一部の仮想リソースブロックユニットセットにおいて、該仮想リソースブロックユニットセットに属する前記仮想リソースブロックの信号を配置する前記物理リソース割当単位が互いに周波数方向に隣接していない規則における前記順番の開始位置と連続数とを、分散送信の対象となっている前記移動局装置各々について決定することで、該移動局装置宛ての仮想リソースブロックを分散送信する際に用いる前記物理リソース割当単位と該物理リソース割当単位各々における時間領域を決定する第１の過程と、
前記基地局装置が、前記第１の過程にて決定した前記規則における前記順番の開始位置と連続数とを表す情報とを少なくとも含む無線リソース割り当て情報を生成する第２の過程と、
前記基地局装置が、前記第１の過程による決定に従い、前記移動局装置宛ての仮想リソースブロックの信号を多重するとともに、前記無線リソース割り当て情報を送信する信号を多重し、該多重した信号を送信する第３の過程と、
前記移動局装置が、受信した無線リソース割り当て情報と前記規則とに基づき、受信した信号から、当該移動局装置宛ての仮想リソースブロックの信号が配置された領域を検出する第４の過程と、
前記移動局装置が、前記第４の過程による検出結果に基づき、当該移動局装置宛ての仮想リソースブロックの信号を抽出する第５の過程と
を備えることを特徴とする無線通信方法。
【発明の詳細な説明】
【技術分野】
【０００１】
本発明は、無線通信システム、基地局装置、移動局装置および無線通信方法に関する。
【背景技術】
【０００２】
セルラー移動通信の第三世代（３Ｇ）無線アクセス方式として、Ｗ‐ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ；広帯域符号分割多元接続）方式が３ＧＰＰ（３ｒｄ  Ｇｅｎｅｒａｔｉｏｎ  Ｐａｒｔｎｅｒｓｈｉｐ  Ｐｒｏｊｅｃｔ；第三世代パートナーシッププロジェクト）において標準化され、同方式によるセルラー移動通信サービスが開始されている。また、３Ｇの進化（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ；以下、「ＥＵＴＲＡ」という）及び３Ｇネットワークの進化（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）が検討されている。
【０００３】
ＥＵＴＲＡの下りリンクとして、マルチキャリア送信であるＯＦＤＭ（Ｏｒｔｈｏｇｏｎａｌ  Ｆｒｅｑｕｅｎｃｙ Ｄｉｖｉｓｉｏｎ  Ｍｕｌｔｉｐｌｅｘｉｎｇ：直交周波数分割多重）方式が提案されている。また、ＥＵＴＲＡの上りリンクとして、シングルキャリア送信であるＤＦＴ（Ｄｉｓｃｒｅｔｅ  Ｆｏｕｒｉｅｒ  Ｔｒａｎｓｆｏｒｍ；離散フーリエ変換）−Ｓｐｒｅａｄ  ＯＦＤＭ方式のシングルキャリア通信方式が提案されている。
【０００４】
ここで、ＥＵＴＲＡにおけるチャネルの構造について、その概略を図６４に示す。基地局装置ＢＳ１は、移動局装置ＵＥ１、ＵＥ２、ＵＥ３と無線通信を行う。ＥＵＴＲＡの基地局装置から移動局装置への無線通信の下りリンクは、下りリンクパイロットチャネルと、下りリンク同期チャネルと、報知チャネルと、下りリンク制御チャネルと、下りリンク共有データチャネルと、制御フォーマットインディケータチャネルと、下りリンクＨＡＲＱ（Ｈｙｂｒｉｄ  Ａｕｔｏｍａｔｉｃ  Ｒｅｐｅａｔ  ｒｅＱｕｅｓｔ）インディケータチャネルとにより構成されている。また、ＥＵＴＲＡの移動局装置から基地局装置への無線通信の上りリンクは、上りリンクパイロットチャネルと、ランダムアクセスチャネルと、上りリンク制御チャネルと、上りリンク共有データチャネルとにより構成されている。
【０００５】
図６５は、ＥＵＴＲＡにおける下りリンクフレームの概略構成を示す図である（非特許文献１）。縦軸は周波数領域、横軸は時間領域を表している。下りリンクフレームは、集中（Ｌｏｃａｌｉｚｅｄ）送信の無線リソース割り当てなどの単位であり、予め決められた幅の周波数帯および時間帯からなるＰＲＢ（Ｐｈｙｓｉｃａｌ  Ｒｅｓｏｕｒｃｅ  Ｂｌｏｃｋ：物理リソースブロック）ペアから構成されている。基本的に１物理リソースブロックＰＲＢペアは２個の時間領域で連続する物理リソースブロックＰＲＢから構成される。
【０００６】
１個の物理リソースブロックＰＲＢは周波数領域において１２個のサブキャリアから構成され、時間領域において７個のＯＦＤＭシンボルから構成される。システム帯域幅は、基地局装置の通信帯域幅である。時間領域においては、７個のＯＦＤＭシンボルから構成されるスロット、２個のスロットから構成されるサブフレーム、１０個のサブフレームから構成される無線フレームがある。なお、１個のサブキャリアと１個のＯＦＤＭシンボルから構成されるユニットをリソースエレメントと呼ぶ。また、下りリンクフレームではシステム帯域幅に応じて複数の物理リソースブロックＰＲＢが配置される。
【０００７】
各サブフレームには少なくとも、情報データの送信に用いる下りリンク共有データチャネル、制御データの送信に用いる下りリンク制御チャネルが配置される。下りリンク共有データチャネル及び下りリンク制御チャネルのチャネル推定に用いる下りリンクパイロットチャネルについては図示せず、その配置の説明は後述する。図６５では、下りリンク制御チャネルはハッチングを施したリソースエレメントによって示すように、サブフレームの１番目と２番目と３番目のＯＦＤＭシンボルに配置され、下りリンク共有データチャネルはその他のＯＦＤＭシンボルに配置された場合を示している。下りリンク制御チャネルが配置されるＯＦＤＭシンボルはサブフレーム単位で変化する。
【０００８】
なお、図６５において図示は省略しているが、下りリンク制御チャネルを構成するＯＦＤＭシンボル数を示す制御フォーマットインディケータチャネルは１ＯＦＤＭシンボル目の予め決められた周波数位置に配置される。下りリンク制御チャネルは１番目のＯＦＤＭシンボルのみに配置されたり、１番目と２番目のＯＦＤＭシンボルに配置されたりする。また、同様に、図６５において図示は省略しているが、下りリンクＨＡＲＱインディケータチャネルは１番目のＯＦＤＭシンボル、または１番目から３番目までのＯＦＤＭシンボルに亘って配置され、下りリンクＨＡＲＱインディケータチャネルを配置するＯＦＤＭシンボル数、１つの下りリンクＨＡＲＱインディケータチャネルを配置するＯＦＤＭ数は報知チャネルによって示される。
【０００９】
なお、同一のＯＦＤＭシンボルにおいて下りリンク制御チャネルと下りリンク共有データチャネルは一緒に配置されない。下りリンク制御チャネルには、移動局識別子または移動局群識別子、下りリンク共有データチャネルの無線リソース割り当て情報、マルチアンテナ関連情報、変調方式、符号化率、ペイロードサイズ、再送パラメータなどが配置される。
【００１０】
図６６は、ＥＵＴＲＡの下りリンクにおける１物理リソースブロックＰＲＢペア内の下りリンクパイロットチャネルの配置を説明する図である。図６６において、横軸は時間領域、縦軸は周波数領域を表している。ここでは、基地局装置が４本の送信アンテナ（送信アンテナ１、送信アンテナ２、送信アンテナ３、送信アンテナ４）を有する場合について説明する。図６６において、Ｒ１は送信アンテナ１が送信する下りリンクパイロットチャネルのリソースエレメントを表し、Ｒ２は送信アンテナ２が送信する下りリンクパイロットチャネルのリソースエレメントを表し、Ｒ３は送信アンテナ３が送信する下りリンクパイロットチャネルのリソースエレメントを表し、Ｒ４は送信アンテナ４が送信する下りリンクパイロットチャネルのリソースエレメントを表す。
【００１１】
なお、基地局装置が２本の送信アンテナのみを有する場合は、２番目のＯＦＤＭシンボルにおけるリソースエレメントＲ３とＲ４では下りリンク制御チャネルが送信され、９番目のＯＦＤＭシンボルにおけるリソースエレメントＲ３とＲ４では下りリンク共有データチャネルが送信される。なお、４本の送信アンテナを有する基地局装置は、送信アンテナ３と送信アンテナ４の下りリンクパイロットチャネルのリソースエレメントＲ３とＲ４の送信を時間領域で適応的に制御することができる。すなわち、基地局装置は、あるサブフレームでは上述のように下りリンクパイロットチャネルであるリソースエレメントＲ３、Ｒ４を配置し、あるサブフレームではリソースエレメントＲ３、Ｒ４を配置せず、下りリンクパイロットチャネルとしてはリソースエレメントＲ１、Ｒ２のみを配置する。この下りリンクパイロットチャネルの配置情報は報知チャネルによって示される。
【００１２】
なお、本発明とは関連性がないため、報知チャネル、下りリンク同期チャネルに関する説明の詳細は省略するが、報知チャネル、下りリンク同期チャネルは、予め決められたサブフレームの予め決められたリソースエレメントに配置される。
【００１３】
ＥＵＴＲＡでは、下りリンクについて複数の送信方法が検討されている。移動局装置から基地局装置にフィードバックされるＣＱＩ（Ｃｈａｎｎｅｌ  Ｑｕａｌｉｔｙ  Ｉｎｄｉｃａｔｏｒ；チャネル品質指標）に基づいて基地局装置が無線伝播路品質の良い移動局装置に物理リソースブロックＰＲＢペア単位で無線リソース割り当てを行う周波数スケジューリングの適用を主に想定した集中送信（Ｌｏｃａｌｉｚｅｄ送信）と、高速移動中の移動局装置、ＶｏＩＰ（Ｖｏｉｃｅ  ｏｖｅｒ  Ｉｎｔｅｒｎｅｔ  Ｐｒｏｔｏｃｏｌ）、ＴＣＰ  ＡＣＫ（Ｔｒａｎｓｍｉｓｓｉｏｎ  Ｃｏｎｔｒｏｌ  Ｐｒｏｔｏｃｏｌ  ＡＣＫｎｏｗｌｅｄｇｅｍｅｎｔ）などの少量のデータ送受信を行う移動局装置など周波数スケジューリングを行わない移動局装置への適用を主に想定した分散送信（Ｄｉｓｔｒｉｂｕｔｅｄ送信）がある。集中送信は物理リソースブロックＰＲＢペア単位でまとまったサブキャリアを用いて送信を行う方法であり、分散送信は広帯域にわたって物理リソースブロックＰＲＢペア単位よりも更に細かい単位で物理リソースを時間領域及び周波数領域に分散して信号の送信を行う方法である。
【００１４】
移動局装置への送信データユニットをＶＲＢ（Ｖｉｒｔｕａｌ  Ｒｅｓｏｕｒｃｅ  Ｂｌｏｃｋ；仮想リソースブロック）と呼び、集中送信するときの移動局装置への送信データユニットをＬＶＲＢ（Ｌｏｃａｌｉｚｅｄ  Ｖｉｒｔｕａｌ  Ｒｅｓｏｕｒｃｅ  Ｂｌｏｃｋ；集中仮想リソースブロック）、分散送信するときの移動局装置への送信データユニットをＤＶＲＢ（Ｄｉｓｔｒｉｂｕｔｅｄ  Ｖｉｒｔｕａｌ  Ｒｅｓｏｕｒｃｅ  Ｂｌｏｃｋ；分散仮想リソースブロック）と呼ぶ。分散仮想リソースブロックＤＶＲＢの送信に用いる物理リソースブロックＰＲＢペアを分散物理リソースブロックＤＰＲＢという。１個の分散物理リソースブロックペアＤＰＲＢに多重する分散仮想リソースブロックＤＶＲＢ数を多重数Ｎｄという。また、ＥＵＴＲＡにおいては、１つの分散仮想リソースブロックＤＶＲＢが用いる物理リソース量は、１つの分散物理リソースブロックDＰＲＢと等しい（非特許文献２）。
【００１５】
ＥＵＴＲＡでは、分散物理リソースブロックＤＰＲＢ内での分散仮想リソースブロックＤＶＲＢの多重方法（以下、「分散仮想リソースブロックＤＶＲＢマッピング」という）として時間多重方法を用いる（非特許文献３、非特許文献４）。図６７は、多重数Ｎｄが２の場合の分散仮想リソースブロックＤＶＲＢマッピングを説明する図である。ここでは、下りリンク制御チャネルが、分散物理リソースブロックＤＰＲＢの１番目から３番目のＯＦＤＭシンボルに配置され、下りリンク共有データチャネルが、分散物理リソースブロックＤＰＲＢの４番目から１４番目のＯＦＤＭシンボルに配置され、分散物理リソースブロックＤＰＲＢに、４本の送信アンテナの下りリンクパイロットチャネルが配置された場合について説明する。
【００１６】
多重数Ｎｄが２の場合、分散仮想リソースブロックＤＶＲＢ１とＤＶＲＢ２を同じ分散物理リソースブロックＤＰＲＢ（ＤＰＲＢ１とＤＰＲＢ２）内に配置する。多重数Ｎｄが２の場合、分散仮想リソースブロックＤＶＲＢ１とＤＶＲＢ２の時間多重には、スロットベースホッピング（Ｓｌｏｔ−ｂａｓｅｄ  ｈｏｐｐｉｎｇ）を用いる。分散仮想リソースブロックＤＶＲＢ１は、分散物理リソースブロックＤＰＲＢ１の１番目のスロットの下りリンク共有データチャネル部分である４番目から７番目までのＯＦＤＭシンボルと、分散物理リソースブロックＤＰＲＢ２の２番目のスロットの下りリンク共有データチャネル部分である８番目から１４番目までのＯＦＤＭシンボルに信号が配置される。
【００１７】
また、分散仮想リソースブロックＤＶＲＢ２は、分散物理リソースブロックＤＰＲＢ２の１番目のスロットの下りリンク共有データチャネル部分である４番目から７番目までのＯＦＤＭシンボルと、分散物理リソースブロックＤＰＲＢ１の２番目のスロットの下りリンク共有データチャネル部分である８番目から１４番目までのＯＦＤＭシンボルに信号が配置される。つまり、多重数Ｎｄが２の場合、分散仮想リソースブロックＤＶＲＢは、一方の分散物理リソースブロックＤＰＲＢの一方のスロットと、もう一方の分散物理リソースブロックＤＰＲＢでは異なるスロットに信号が配置される。
【００１８】
図６８は、多重数Ｎｄが３の場合の分散仮想リソースブロックＤＶＲＢマッピングを説明する図である。ここでは、下りリンク制御チャネルが、分散物理リソースブロックＤＰＲＢの１番目から３番目のＯＦＤＭシンボルに配置され、下りリンク共有データチャネルが、分散物理リソースブロックＤＰＲＢの４番目から１４番目のＯＦＤＭシンボルに配置され、分散物理リソースブロックＤＰＲＢに４本の送信アンテナの下りリンクパイロットチャネルが配置された場合について説明する。
【００１９】
多重数Ｎｄが３の場合、分散仮想リソースブロックＤＶＲＢ１とＤＶＲＢ２とＤＶＲＢ３を同じ分散物理リソースブロックＤＰＲＢ（ＤＰＲＢ１とＤＰＲＢ２とＤＰＲＢ３）内に配置する。多重数Ｎｄが３の場合、分散仮想リソースブロックＤＶＲＢ１とＤＶＲＢ２とＤＶＲＢ３の時間多重には、ＯＦＤＭシンボルベースホッピング（ＯＦＤＭ  ｓｙｍｂｏｌ−ｂａｓｅｄ  ｈｏｐｐｉｎｇ）を用いる。
【００２０】
分散仮想リソースブロックＤＶＲＢ１は、分散物理リソースブロックＤＰＲＢ１の４番目と７番目と１０番目と１３番目のＯＦＤＭシンボルと、分散物理リソースブロックＤＰＲＢ２の６番目と９番目と１２番目のＯＦＤＭシンボルと、分散物理リソースブロックＤＰＲＢ３の５番目と８番目と１１番目と１４番目のＯＦＤＭシンボルに信号が配置される。分散仮想リソースブロックＤＶＲＢ２は、分散物理リソースブロックＤＰＲＢ２の４番目と７番目と１０番目と１３番目のＯＦＤＭシンボルと、分散物理リソースブロックＤＰＲＢ３の６番目と９番目と１２番目のＯＦＤＭシンボルと、分散物理リソースブロックＤＰＲＢ１の５番目と８番目と１１番目と１４番目のＯＦＤＭシンボルに信号が配置される。分散仮想リソースブロックＤＶＲＢ３は、分散物理リソースブロックＤＰＲＢ３の４番目と７番目と１０番目と１３番目のＯＦＤＭシンボルと、分散物理リソースブロックＤＰＲＢ１の６番目と９番目と１２番目のＯＦＤＭシンボルと、分散物理リソースブロックＤＰＲＢ２の５番目と８番目と１１番目と１４番目のＯＦＤＭシンボルに信号が配置される。
【００２１】
つまり、多重数Ｎｄが３の場合、分散仮想リソースブロックＤＶＲＢの信号は、分散物理リソースブロックＤＰＲＢ内において３ＯＦＤＭシンボル毎に配置される。このとき、同じ分散仮想リソースブロックＤＶＲＢの信号は、異なる分散物理リソースブロックＤＰＲＢでは異なるＯＦＤＭシンボルから３ＯＦＤＭシンボル毎に配置される。
【００２２】
以上のような分散仮想リソースブロックＤＶＲＢマッピングにおいて、基地局装置が移動局装置に対して割り当てた分散仮想リソースブロックＤＶＲＢを表す無線リソース割り当て情報として、最初に割り当てる分散仮想リソースブロックを表す開始ＶＲＢ番号（Ｓｔａｒｔｉｎｇ  ＶＲＢ  ｎｕｍｂｅｒ）と連続して割り当てる分散仮想リソースブロック数を表す連続ＶＲＢ数（Ｎｕｍｂｅｒ  ｏｆ  ｃｏｎｓｅｃｕｔｉｖｅ  ＶＲＢｓ）とを表す情報が下りリンク制御チャネルに配置されて、基地局装置から移動局装置に通知される（非特許文献５）。
【００２３】
図６９は、基地局装置と移動局装置で使用される分散仮想リソースブロックＤＶＲＢの例を示す。ここでは、１８個の仮想リソースブロックＶＲＢが構成され、その全てが分散仮想リソースブロックＤＶＲＢとして用いられる場合について示す。例えば、基地局装置は開始ＶＲＢ番号として分散仮想リソースブロックＤＶＲＢ５を表す「５」を示し、連続ＶＲＢ数として「２」を示し、無線リソース割り当て情報として移動局装置に通知する。前記無線リソース割り当て情報を通知された移動局装置は、分散仮想リソースブロックＤＶＲＢ５から２つの分散仮想リソースブロック、すなわち分散仮想リソースブロックＤＶＲＢ５とＤＶＲＢ６を割り当てられたことを認識する。
【００２４】
このような分散仮想リソースブロックＤＶＲＢマッピング、無線リソース割り当て情報において分散仮想リソースブロックＤＶＲＢと物理リソースブロックＰＲＢペアとの対応付けの規則が提案されている（非特許文献６）。言い換えると、各分散仮想リソースブロックＤＶＲＢは、どの物理リソースブロックＰＲＢペアを分散物理リソースブロックＤＰＲＢとして対応付けるかということである。なお、多重数Ｎｄ＝２の場合、１つの分散仮想リソースブロックＤＶＲＢは、分割されて２つの物理リソースブロックＰＲＢペアに配置される。多重数Ｎｄ＝３の場合、１つの分散仮想リソースブロックＤＶＲＢは分割されて３つの物理リソースブロックＰＲＢペアに配置される。
【００２５】
図７０は、非特許文献６において提案される多重数Ｎｄ＝２の場合の分散仮想リソースブロックＤＶＲＢと物理リソースブロックＰＲＢペアとの対応付け規則を示す。ここでは、システム帯域幅に１８個の物理リソースブロックＰＲＢが構成された場合について示す。非特許文献６では、１番目のスロットのシステム帯域幅の端の物理リソースブロックＰＲＢナンバーから順に分散仮想リソースブロックＤＶＲＢナンバーに対応付けを行い、その後２番目のスロットにおいて対応付けを行う。同じ分散仮想リソースブロックＤＶＲＢナンバーが対応付けられる２つの物理リソースブロックＰＲＢペアは、互いに周波数方向に固定数分離れた物理リソースブロックＰＲＢペアであり、片方の１番目のスロットと、もう一方の２番目のスロットというように、異なるスロットに対応付られる。ここで前述の固定数は、システム帯域幅に構成される物理リソースブロックＰＲＢ数を２（多重数Ｎｄ）で割った値である。
【００２６】
図７１は、非特許文献６において提案される多重数Ｎｄ＝３の場合の分散仮想リソースブロックＤＶＲＢと物理リソースブロックＰＲＢペアとの対応付けを示す。ここでは、システム帯域幅に１８個の物理リソースブロックＰＲＢが構成された場合について示す。各物理リソースブロックＰＲＢペアは、図６８に示すように３つの領域に分けられる（説明の便宜上、図６８において４番目と７番目と１０番目と１３番目のＯＦＤＭシンボルにより構成される領域を領域Ａ、５番目と８番目と１１番目と１４番目のＯＦＤＭシンボルにより構成される領域を領域Ｂ、６番目と９番目と１２番目のＯＦＤＭシンボルにより構成される領域を領域Ｃと定義する）。
【００２７】
非特許文献６では、システム帯域幅の一方の端の物理リソースブロックＰＲＢナンバー（図７１において物理リソースブロックＰＲＢ１）の領域Ａから順に分散仮想リソースブロックＤＶＲＢナンバーに対応付けを行う（図７１において分散仮想リソースブロックＤＶＲＢ１からＤＶＲＢ１８に対応付けを行う）。その後システム帯域幅の一方の端から固定数分離れた物理リソースブロックＰＲＢナンバー（図７１において物理リソースブロックＰＲＢ７）の領域Ｂから順に再度分散仮想リソースブロックＤＶＲＢナンバーに対応付けを行う（図７１において分散仮想リソースブロックＤＶＲＢ１からＤＶＲＢ１２に対応付けを行う）。
【００２８】
次に、もう一方の端の物理リソースブロックＰＲＢナンバー（図７１において物理リソースブロックＰＲＢ１８）に対応付けを行った後、一方の端の物理リソースブロックＰＲＢナンバー（図７１において物理リソースブロックＰＲＢ１）から残りの分散仮想リソースブロックＤＶＲＢナンバーに対応付けを行う（図７１において分散仮想リソースブロックＤＶＲＢ１３からＤＶＲＢ１８に対応付けを行う）。その後更に固定数分はなれた物理リソースブロックＰＲＢナンバー（図７１において物理リソースブロックＰＲＢ１３）の領域Ｃから順に再度分散仮想リソースブロックＤＶＲＢナンバーに対応付けを行う（図７１において分散仮想リソースブロックＤＶＲＢ１からＤＶＲＢ６に対応付けを行う）。
【００２９】
もう一方の端の物理リソースブロックＰＲＢナンバー（図７１においてＰＲＢ１８）に対応付けを行った後、一方の端の物理リソースブロックＰＲＢナンバー（図７１においてＰＲＢ１）から残りの分散仮想リソースブロックＤＶＲＢナンバーに対応付けを行う（図７１においてＤＶＲＢ７からＤＶＲＢ１８に対応付けを行う）。固定数は、システム帯域幅に構成される物理リソースブロックＰＲＢ数を３（多重数Ｎｄ）で割った値である。
【非特許文献１】３ＧＰＰ  ＴＳ３６．２１１‐ｖ２．０．０（２００７‐０９）、Ｐｈｙｓｉｃａｌ  Ｃｈａｎｎｅｌｓ  ａｎｄ  Ｍｏｄｕｌａｔｉｏｎ（Ｒｅｌｅａｓｅ  ８）
【非特許文献２】３ＧＰＰ  ＴＳＧ  ＲＡＮ１  ＃４９ｂ，Ｏｒｌａｎｄｏ，Ｆｌｏｒｉｄａ−ＵＳＡ，２５−２９  Ｊｕｎｅ，２００７  Ｒ１−０７２６４６“Ｄｒａｆｔ  Ｒｅｐｏｒｔ  ｏｆ  ３ＧＰＰ  ＴＳＧ  ＲＡＮ  ＷＧ１  ＃４９  ｖ０．４．０”
【非特許文献３】３ＧＰＰ  ＴＳＧ  ＲＡＮ１  ＃５０，Ａｔｈｅｎｓ，Ｇｒｅｅｃｅ，２０−２４  Ａｕｇｕｓｔ，２００７，Ｒ１−０７３８８７  “Ｐｒｏｐｏｓｅｄ  ｗａｙ  ｆｏｒｗａｒｄ  ｏｎ  ｄｉｓｔｒｉｂｕｔｅｄ  ＤＬ  ｔｒａｎｓｍｉｓｓｉｏｎ”
【非特許文献４】３ＧＰＰ  ＴＳＧ  ＲＡＮ１  ＃５０ｂｉｓ，Ｓｈａｎｇｈａｉ，Ｃｈｉｎａ，８−１２  Ｏｃｔｏｂｅｒ，２００７，Ｒ１−０７４０１９  “Ｄｏｗｎｌｉｎｋ  ＶＲＢ  ｅｍａｉｌ  ｒｅｆｌｅｃｔｏｒ  ｓｕｍｍａｒｙ”
【非特許文献５】３ＧＰＰ  ＴＳＧ  ＲＡＮ１  ＃５１，Ｊｅｊｕ，Ｓｏｕｔｈ  Ｋｏｒｅａ，５−９  Ｎｏｖｅｍｂｅｒ，２００７  “Ｄｒａｆｔ  Ｒｅｐｏｒｔ  ｏｆ  ３ＧＰＰ  ＴＳＧ  ＲＡＮ  ＷＧ１  ＃５１  ｖ０．１．０”
【非特許文献６】３ＧＰＰ  ＴＳＧ  ＲＡＮ１  ＃５１，Ｊｅｊｕ，Ｓｏｕｔｈ  Ｋｏｒｅａ，５−９  Ｎｏｖｅｍｂｅｒ，２００７，Ｒ１−０７４７２２  “ＤＬ  Ｄｉｓｔｒｉｂｕｔｅｄ  Ｒｅｓｏｕｒｃｅ  Ｓｉｇｎａｌｌｉｎｇ  ｆｏｒ  ＥＵＴＲＡ”
【発明の開示】
【発明が解決しようとする課題】
【００３０】
しかしながら、上述の分散仮想リソースブロックＤＶＲＢマッピングにあっては、開始ＶＲＢ番号と連続ＶＲＢ数を用いた無線リソース割り当て情報を使用すると、一つの移動局装置に複数の分散仮想リソースブロックＤＶＲＢが割り当てられたときは、周波数方向に隣接する物理リソースブロックの同じ時間領域、すなわち多重数Ｎｄが２の場合は同一スロット、多重数Ｎｄが３の場合は同一ＯＦＤＭシンボルの組が該移動局装置に割り当てられるため、該移動局装置への送信データが割り当てられた領域に偏りが生じており、充分な周波数ダイバーシチ効果を得られないことがあるという問題がある。
【００３１】
本発明は、このような事情に鑑みてなされたもので、その目的は、複数の分散仮想リソースブロックＤＶＲＢを割り当てられた移動局装置においても、優れた周波数ダイバーシチ効果を得ることができる無線通信システム、移動局装置、基地局装置を提供することにある。
【課題を解決するための手段】
【００３２】
この発明は上述した課題を解決するためになされたもので、本発明の無線通信システムは、複数の移動局装置と、無線リソースを周波数方向および時間方向に予め決められた幅で区切った領域であって、前記移動局装置へ送信するデータの割り当て単位となる領域である物理リソース割当単位にて送信可能なデータ量の前記移動局装置宛てのデータの信号からなる仮想リソースブロックを所定の多重数に分割した信号群各々を、周波数方向に分散した前記多重数の前記物理リソース割当単位に配置することで、各前記物理リソース割当単位に、異なる前記仮想リソースブロックから分割された前記多重数の信号群を多重した信号を送信する分散送信を行う基地局装置とを具備する無線通信システムにおいて、前記基地局装置は、前記多重数の前記信号群であって、同一の前記仮想リソースブロックから分割された前記信号群を配置する前記物理リソース割当単位の組合せと、該仮想リソースブロックの順番とからなる対応付の規則であって、該順番が連続している複数の前記仮想リソースブロックを纏めた仮想リソースブロックユニットセットのうち、少なくとも一部の仮想リソースブロックユニットセットにおいて、該仮想リソースブロックユニットセットに属する前記仮想リソースブロックの信号を配置する前記物理リソース割当単位が互いに周波数方向に隣接していない規則における前記順番の開始位置と連続数とを、分散送信の対象となっている前記移動局装置各々について決定することで、該移動局装置宛ての仮想リソースブロックを分散送信する際に用いる前記物理リソース割当単位と該物理リソース割当単位各々における時間領域を決定するリソース対応付部と、前記対応付け部が決定した前記規則における前記順番の開始位置と連続数とを表す情報とを少なくとも含む無線リソース割り当て情報を生成する割当情報生成部と、前記リソース対応付部の決定に従い、前記移動局装置宛ての仮想リソースブロックの信号を多重するとともに、前記無線リソース割り当て情報を送信する信号を多重する多重部とを具備し、前記移動局装置は、受信した無線リソース割り当て情報と前記規則とに基づき、受信した信号から、当該移動局装置宛ての仮想リソースブロックの信号が配置された領域を検出する制御部と、前記制御部の検出結果に基づき、当該移動局装置宛ての仮想リソースブロックの信号を抽出する多重分離部とを具備することを特徴とする。
【００３３】
また、本発明の無線通信システムは、上述の無線通信システムであって、前記規則は、前記順番が連続した前記組合せを所定のセット数毎に纏めた前記仮想リソースブロックユニットセットにおいて、該組に属する組合せを構成する前記物理リソース割当単位が互いに周波数方向に隣接していない規則であることを特徴とする。
【００３４】
また、本発明の無線通信システムは、上述の無線通信システムであって、前記規則は、前記基地局装置が管理する通信帯域幅内の前記物理リソース割当単位に対して、前記通信帯域幅のいずれか一方の端の前記物理リソース割当単位から周波数方向に順に番号付けし、前記番号付けした物理リソース割当単位の総数に応じて仮想リソースブロックの総数を決定し、各仮想リソースブロックの順番を表す番号付けを行う第１のステップと、番号が前記仮想リソースブロックの総数を前記多重数で割った値離れた前記仮想リソースブロックを前記多重数纏めた順番付きの組を仮想リソースブロックユニットとする第２のステップと、前記仮想リソースブロックユニットのうち、構成する仮想リソースブロックの番号の総和が最も小さい仮想リソースブロックユニットより順に番号付けを行う第３のステップと、前記第３のステップによる番号付けの番号が連続する所定のセット数の仮想リソースブロックユニットの組を仮想リソースブロックユニットセットにする第４のステップと、前記仮想リソースブロックユニットセットから所定の順番で抽出して並べた仮想リソースブロックユニットの順番付きの組を第１の仮想リソースブロックユニットグループとする第５のステップと、前記第１の仮想リソースブロックユニットグループを構成する全ての前記仮想リソースブロックユニットにおける仮想リソースブロックの順番を変更した仮想リソースブロックユニットの順番付きの組を前記第１とは異なる仮想リソースブロックユニットグループとする第６のステップと、前記仮想リソースブロックユニットグループ各々を互いに重複しないように、各前記仮想リソースブロックユニットグループを構成する仮想リソースブロックユニット数の周波数方向に連続する物理リソース割当単位に対応付ける第７のステップとにより生成される前記仮想リソースブロックユニットグループを構成する仮想リソースブロックと前記物理リソース割当単位の組合せと、前記仮想リソースブロックの順番とからなる規則であることを特徴とする。
【００３５】
また、本発明の無線通信システムは、上述の無線通信システムであって、前記第５のステップは、各前記仮想リソースブロックユニットセットを構成する仮想リソースブロックユニットの番号の総和の最も小さい仮想リソースブロックユニットセットより順に番号付けし、該番号付けされた番号の順に、前記仮想リソースブロックユニットセットから、該仮想リソースブロックユニットセットにおいて最も順番の早い前記仮想リソースブロックを一つ抽出し、全ての前記仮想リソースブロックを抽出するまで、全ての前記仮想リソースブロックユニットセットについて繰り返し、この抽出の順番に前記仮想リソースブロックをならべた前記仮想リソースブロックユニットの順番付きの組を第１の仮想リソースブロックユニットグループとするステップであることを特徴とする。
【００３６】
また、本発明の無線通信システムは、上述の無線通信システムであって、前記仮想リソースブロックユニットにおける前記仮想リソースブロックの順番は、予め決められた時間領域に対応付けられており、前記多重部は、該対応付けられた時間領域に該仮想リソースブロックの信号を配置することで、前記物理リソース割当単位に前記仮想リソースブロックの信号を時間多重することを特徴とする。
【００３７】
また、本発明の無線通信システムは、上述の無線通信システムであって、前記所定のセット数は、周波数方向に配置可能な前記物理リソース割当単位の総数に応じて設定されることを特徴とする。
【００３８】
また、本発明の無線通信システムは、上述の無線通信システムであって、前記所定のセット数は、前記多重数に応じて設定されることを特徴とする。
【００３９】
また、本発明の無線通信システムは、上述の無線通信システムであって、前記所定のセット数は、送信アンテナ数に応じて設定されることを特徴とする。
【００４０】
また、本発明の無線通信システムは、上述の無線通信システムであって、前記基地局装置は、前記所定のセット数を表す情報を報知チャネルに含めて、前記移動局装置に送信することを特徴とする。
【００４１】
また、本発明の無線通信システムは、上述の無線通信システムであって、前記第７のステップで生成される前記第１とは異なる仮想リソースブロックユニットグループの数は、前記多重数に応じた数であることを特徴とする。
【００４２】
また、本発明の無線通信システムは、上述の無線通信システムであって、前記仮想リソースブロックの総数は、周波数方向に配置可能な前記物理リソース割当単位の総数以下であり、前記多重数で割り切れる数に設定されることを特徴とする。
【００４３】
また、本発明の無線通信システムは、上述の無線通信システムであって、前記第６のステップで生成される前記第１とは異なる仮想リソースブロックユニットグループの数は、前記多重数から１を引いた数であり、前記第７のステップは、前記仮想リソースブロックユニットグループを前記物理リソース割当単位に対応付ける際に、前記仮想リソースブロックユニットグループが対応付けられる前記物理リソース割当単位群同士の間にある前記物理リソース割当単位であって、前記仮想リソースブロックが対応付けられない物理リソース割当単位の数の合計を、前記通信帯域幅内の物理リソース割当単位の総数から仮想リソースブロックの総数を引いた数となるように、前記仮想リソースブロックユニットグループを前記物理リソース割当単位に対応付けるステップである。
【００４４】
また、本発明の基地局装置は、無線リソースを周波数方向および時間方向に予め決められた幅で区切った領域であって、移動局装置へ送信するデータの割り当て単位となる領域である物理リソース割当単位にて送信可能なデータ量の前記移動局装置宛てのデータの信号からなる仮想リソースブロックを所定の多重数に分割した信号群各々を、周波数方向に分散した前記多重数の前記物理リソース割当単位に配置することで、各前記物理リソース割当単位に、異なる前記仮想リソースブロックから分割された前記多重数の信号群を多重した信号を送信する分散送信を行う基地局装置において、前記多重数の前記信号群であって、同一の前記仮想リソースブロックから分割された前記信号群を配置する前記物理リソース割当単位の組合せと、該仮想リソースブロックの順番とからなる対応付の規則であって、該順番が連続している複数の前記仮想リソースブロックを纏めた仮想リソースブロックユニットセットのうち、少なくとも一部の仮想リソースブロックユニットセットにおいて、該仮想リソースブロックユニットセットに属する前記仮想リソースブロックの信号を配置する前記物理リソース割当単位が互いに周波数方向に隣接していない規則における前記順番の開始位置と連続数とを、分散送信の対象となっている前記移動局装置各々について決定することで、該移動局装置宛ての仮想リソースブロックを分散送信する際に用いる前記物理リソース割当単位と該物理リソース割当単位各々における時間領域を決定するリソース対応付部と、前記対応付け部が決定した前記規則における前記順番の開始位置と連続数とを表す情報とを少なくとも含む無線リソース割り当て情報を生成する割当情報生成部と、前記リソース対応付部の決定に従い、前記移動局装置宛ての仮想リソースブロックの信号を多重するとともに、前記無線リソース割り当て情報を送信する信号を多重する多重部とを具備することを特徴とする。
【００４５】
また、本発明の移動局装置は、無線リソースを周波数方向および時間方向に予め決められた幅で区切った領域であって、移動局装置へ送信するデータの割り当て単位となる領域である物理リソース割当単位にて送信可能なデータ量の移動局装置宛てのデータの信号からなる仮想リソースブロックを所定の多重数に分割した信号群各々を、周波数方向に分散した前記多重数の前記物理リソース割当単位に配置することで、各前記物理リソース割当単位に、異なる前記仮想リソースブロックから分割された前記多重数の信号群を多重した信号を送信する分散送信された信号を受信する移動局装置において、前記多重数の前記信号群であって、同一の前記仮想リソースブロックから分割された前記信号群を配置する前記物理リソース割当単位の組合せと、該仮想リソースブロックの順番とからなる対応付の規則であって、該順番が連続している複数の前記仮想リソースブロックを纏めた仮想リソースブロックユニットセットのうち、少なくとも一部の仮想リソースブロックユニットセットにおいて、該仮想リソースブロックユニットセットに属する前記仮想リソースブロックの信号を配置する前記物理リソース割当単位が互いに周波数方向に隣接していない規則と、受信した無線リソース割り当て情報であって、前記規則における前記順番の開始位置および連続数を表す無線リソース割り当て情報とに基づき、受信した信号から、当該移動局装置宛ての仮想リソースブロックの信号が配置された領域を検出する制御部と、前記制御部の検出結果に基づき、当該移動局装置宛ての仮想リソースブロックの信号を抽出する多重分離部とを具備することを特徴とする。
【００４６】
また、本発明の無線通信方法は、複数の移動局装置と、無線リソースを周波数方向および時間方向に予め決められた幅で区切った領域であって、前記移動局装置へ送信するデータの割り当て単位となる領域である物理リソース割当単位にて送信可能なデータ量の前記移動局装置宛てのデータの信号からなる仮想リソースブロックを所定の多重数に分割した信号群各々を、周波数方向に分散した前記多重数の前記物理リソース割当単位に配置することで、各前記物理リソース割当単位に、異なる前記仮想リソースブロックから分割された前記多重数の信号群を多重した信号を送信する分散送信を行う基地局装置とを具備する無線通信システムにおける無線通信方法において、前記基地局装置が、前記多重数の前記信号群であって、同一の前記仮想リソースブロックから分割された前記信号群を配置する前記物理リソース割当単位の組合せと、該仮想リソースブロックの順番とからなる対応付の規則であって、該順番が連続している複数の前記仮想リソースブロックを纏めた仮想リソースブロックユニットセットのうち、少なくとも一部の仮想リソースブロックユニットセットにおいて、該仮想リソースブロックユニットセットに属する前記仮想リソースブロックの信号を配置する前記物理リソース割当単位が互いに周波数方向に隣接していない規則における前記順番の開始位置と連続数とを、分散送信の対象となっている前記移動局装置各々について決定することで、該移動局装置宛ての仮想リソースブロックを分散送信する際に用いる前記物理リソース割当単位と該物理リソース割当単位各々における時間領域を決定する第１の過程と、前記基地局装置が、前記第１の過程にて決定した前記規則における前記順番の開始位置と連続数とを表す情報とを少なくとも含む無線リソース割り当て情報を生成する第２の過程と、前記基地局装置が、前記第１の過程による決定に従い、前記移動局装置宛ての仮想リソースブロックの信号を多重するとともに、前記無線リソース割り当て情報を送信する信号を多重し、該多重した信号を送信する第３の過程と、前記移動局装置が、受信した無線リソース割り当て情報と前記規則とに基づき、受信した信号から、当該移動局装置宛ての仮想リソースブロックの信号が配置された領域を検出する第４の過程と、前記移動局装置が、前記第４の過程による検出結果に基づき、当該移動局装置宛ての仮想リソースブロックの信号を抽出する第５の過程とを備えることを特徴とする。
【発明の効果】
【００４７】
この発明によれば、同一の前記仮想リソースブロックから分割された信号群を配置する物理リソース割当単位の組合せと、該仮想リソースブロックの順番とからなる対応付の規則は、仮想リソースブロックの順番が連続している複数の組合せを纏めた少なくとも一部の仮想リソースブロックユニットセットにおいて、該分散仮想リソースブロックＤＶＲＢユニットセットに属する分散仮想リソースブロックＤＶＲＢユニットに対応付けられた物理リソース割当単位が互いに周波数方向に隣接していないので、順番の開始位置と連続数との指定により、順番が連続する複数の仮想リソースブロックを割り当てられた移動局装置においても、仮想リソースブロックの信号が配置される物理リソース割当単位が互いに周波数方向に隣接しない。このため、複数の仮想リソースブロックを割り当てられた移動局装置についても、該移動局装置宛ての仮想リソースブロックの信号が割り当てられた領域に偏りが生じることを防止し、優れた周波数ダイバーシチ効果を得ることができる。
【発明を実施するための最良の形態】
【００４８】
以下、図面を参照し、本発明の実施形態について説明する。本実施形態による無線通信システムは、基地局装置１と、基地局装置１と通信する複数の移動局装置２とを具備する。本実施形態は、基地局装置１から移動局装置２へ送信する下りリンクに本発明を適用した形態であり、基地局装置１における送信処理と移動局装置２における受信処理とを以下に説明する。
【００４９】
図１は、本実施形態による無線通信システムにおけるチャネルの構造について、その概略を示す図である。基地局装置１は、複数の移動局装置２と無線通信を行う。基地局装置１から移動局装置２への無線通信の下りリンクは、下りリンクパイロットチャネルと、下りリンク同期チャネルと、報知チャネル、下りリンク制御チャネルと、下りリンク共有データチャネル、制御フォーマットインディケータチャネル、下りリンクＨＡＲＱ（Ｈｙｂｒｉｄ  Ａｕｔｏｍａｔｉｃ  Ｒｅｐｅａｔ  ｒｅＱｕｅｓｔ：ハイブリッド自動再送）インディケータチャネルとにより構成されている。また、移動局装置２から基地局装置１への無線通信の上りリンクは、上りリンクパイロットチャネルと、ランダムアクセスチャネルと、上りリンク制御チャネルと、上りリンク共有データチャネルとにより構成されている。
【００５０】
図２は、本実施形態における下りリンクフレームの概略構成を示す図である。図２において、縦軸は周波数領域、横軸は時間領域を表している。下りリンクフレームは、集中（Ｌｏｃａｌｉｚｅｄ）送信の無線リソース割り当てなどの単位であり、無線リソースを周波数方向および時間方向に予め決められた幅で区切った領域である物理リソースブロックＰＲＢペア（物理リソース割当単位）から構成されている。基本的に１個の物理リソースブロックＰＲＢペアは、時間領域で連続する２個の物理リソースブロックＰＲＢから構成される。
【００５１】
１個の物理リソースブロックＰＲＢは周波数領域において１２個のサブキャリアから構成され、時間領域において７個のＯＦＤＭシンボルから構成される。システム帯域幅は、基地局装置１の通信帯域幅である。時間領域においては、７個のＯＦＤＭシンボルから構成されるスロット、２個のスロットから構成されるサブフレーム、１０個のサブフレームから構成される無線フレームがある。なお、１個のサブキャリアと１個のＯＦＤＭシンボルから構成されるユニットをリソースエレメントと呼ぶ。また、下りリンクフレームではシステム帯域幅に応じて複数の物理リソースブロックＰＲＢが配置される。
【００５２】
各サブフレームには少なくとも、情報データの送信に用いる下りリンク共有データチャネル、制御データの送信に用いる下りリンク制御チャネルが配置される。下りリンク共有データチャネル及び下りリンク制御チャネルのチャネル推定に用いる下りリンクパイロットチャネルについては図示せず、その配置の説明は後述する。図２では、下りリンク制御チャネルはサブフレームの１番目と２番目と３番目のＯＦＤＭシンボルに配置され、下りリンク共有データチャネルはその他のＯＦＤＭシンボルに配置された場合を示しているが、下りリンク制御チャネルが配置されるＯＦＤＭシンボルはサブフレーム単位で変化する。
【００５３】
なお、図２において図示は省略しているが、下りリンク制御チャネルを構成するＯＦＤＭシンボル数を示す制御フォーマットインディケータチャネルは１番目のＯＦＤＭシンボルの予め決められた周波数位置に配置され、下りリンク制御チャネルは１番目のＯＦＤＭシンボルのみに配置されたり、１番目と２番目のＯＦＤＭシンボルに配置されたりする。また、同様に、図２において図示は省略しているが、下りリンクＨＡＲＱインディケータチャネルは１番目のＯＦＤＭシンボル、または１番目から３番目までのＯＦＤＭシンボルに亘って配置され、下りリンクＨＡＲＱインディケータチャネルを配置するＯＦＤＭシンボル数、１つの下りリンクＨＡＲＱインディケータチャネルを配置するＯＦＤＭ数は報知チャネルによって示される。
【００５４】
なお、同一のＯＦＤＭシンボルにおいて下りリンク制御チャネルと下りリンク共有データチャネルは一緒に配置されない。下りリンク制御チャネルは、移動局識別子または移動局群識別子、下りリンク共有データチャネルの無線リソース割り当て情報、マルチアンテナ関連情報、変調方式、符号化率、ペイロードサイズ、再送パラメータなどが配置される。
【００５５】
図３は、本実施形態における下りリンクにおける物理リソースブロックＰＲＢペア内の下りリンクパイロットチャネルの配置を説明する図である。図３において、横軸は時間領域、縦軸は周波数領域を表している。ここでは、基地局装置１が４本の送信アンテナ（送信アンテナ１、送信アンテナ２、送信アンテナ３、送信アンテナ４）を有する場合について説明する。図３において、Ｒ１は送信アンテナ１が送信する下りリンクパイロットチャネルのリソースエレメントを表し、Ｒ２は送信アンテナ２が送信する下りリンクパイロットチャネルのリソースエレメントを表し、Ｒ３は送信アンテナ３が送信する下りリンクパイロットチャネルのリソースエレメントを表し、Ｒ４は送信アンテナ４が送信する下りリンクパイロットチャネルのリソースエレメントを表す。
【００５６】
なお、本発明とは関連性がないため、報知チャネル、下りリンク同期チャネルに関する説明の詳細は省略するが、報知チャネル、下りリンク同期チャネルは、予め決められたサブフレームの予め決められたリソースエレメントに配置される。
【００５７】
図４は、本発明の実施形態における基地局装置１の構成を示す概略ブロック図である。基地局装置１は、物理リソースブロックＰＲＢペアにて送信可能なデータ量の移動局装置２宛てのデータの信号からなる仮想リソースブロックＤＶＲＢを所定の多重数に分割した信号群各々を、周波数方向に分散した多重数の物理リソースブロックＰＲＢペアに配置することで、各物理リソースブロックＰＲＢペアに、異なる仮想リソースブロックＤＶＲＢから分割された多重数の信号群を多重した信号を送信する分散送信を行う。
【００５８】
図４に示すように、基地局装置１は、無線リソース制御部１０、制御部１１、送信処理部１２、受信処理部１３を具備する。無線リソース制御部１０は、移動局装置２との間欠送受信サイクル、変調方式・符号化率、送信電力、無線リソース割り当て、下りリンク制御チャネルを構成するＯＦＤＭシンボル数、多重などを管理し、これら管理内容を指示する制御情報を制御部１１に出力すると共に、制御部１１、送信処理部１２を通して移動局装置２に制御データとして通知する。
【００５９】
無線リソース制御部１０は、リソース対応付部１４と割当情報生成部１５とを具備する。リソース対応付部１４は、分散送信の対象となっている移動局装置２各々について、これらの移動局装置２宛ての分散仮想リソースブロックＤＶＲＢ（仮想リソースブロック）を分散送信する際に用いる物理リソースブロックＰＲＢペアとその物理リソースブロックＰＲＢペア各々における時間領域を決定する。リソース対応付部１４は、この決定を、分散仮想リソースブロックＤＶＲＢと物理リソースブロックＰＲＢペアとの対応付けの規則における分散仮想リソースブロックＤＶＲＢの順番の開始位置と連続数とを、分散送信の対象となっている移動局装置２各々について決定することで行う。
【００６０】
この分散仮想リソースブロックＤＶＲＢと物理リソースブロックＰＲＢペアとの対応付けの規則は、同一の仮想リソースブロックＤＶＲＢから分割された多重数の信号群を配置する物理リソースブロックＰＲＢペアの組合せと、この組合せ、すなわちこの組合せにその信号が配置される仮想リソースブロックＤＶＲＢの順番の規則である。本実施形態におけるこの対応付けの規則は、順番が連続している複数の分散仮想リソースブロックＤＶＲＢが属する分散仮想リソースブロックＤＶＲＢユニット（仮想リソースブロックユニット）を纏めた仮想リソースブロックユニットセット（仮想リソースブロックユニットセット）において、該仮想リソースブロックユニットセットに属する分散仮想リソースブロックＤＶＲＢの信号が配置される物理リソースブロックＰＲＢペアが互いに周波数方向に隣接していないように対応付けられる。
【００６１】
割当情報生成部１５は、リソース対応付け部１４が決定した、分散仮想リソースブロックＤＶＲＢの順番の開始位置と連続数とを表す情報とを少なくとも含む無線リソース割り当て情報を生成する。この無線リソース割り当て情報は、前述の制御情報の一部として、無線リソース制御部１０により制御部１１に出力されると共に、制御部１１、送信処理部１２を通して移動局装置２に制御データとして通知される。
【００６２】
制御部１１は、無線リソース制御部１０から入力された制御情報に基づいて送信処理部１２と受信処理部１３の制御を行うために、送信処理部１２と受信処理部１３とに制御信号を出力する。制御部１１は、この制御信号の出力により、送受信信号の変調方式、符号化率の設定、下りリンク制御チャネルを構成するＯＦＤＭシンボル数の設定、各チャネルのリソースエレメントへの配置設定などの制御を、送信処理部１２および受信処理部１３に対して行う。また、制御部１１は、下りリンク制御チャネルに配置する制御データを生成し、送信処理部１２に送信を指示する。また、制御部１１は、下りリンク制御チャネルではなく下りリンク共有データチャネルに配置する制御データを生成し、送信処理部１２に情報データと共にデータとして送信を行うように指示する。
【００６３】
送信処理部１２は、制御部１１から入力される制御信号および制御データと外部から入力される情報データとに基づき、下りリンク制御チャネル、下りリンク共有データチャネル、下りリンクパイロットチャネル、制御フォーマットインディケータチャネルを生成し、各チャネルを下りリンクフレームに多重し、例えば４つの送信アンテナを介して、各移動局装置２に送信する。なお、本発明とは直接の関連がないため、報知チャネル、下りリンク同期チャネル、下りリンクＨＡＲＱインディケータチャネルに関する処理の詳細な説明は省略する。
【００６４】
受信処理部１３は、制御部１１から入力される制御信号に基づき、各移動局装置２が送信した上りリンク制御チャネル、上りリンク共有データチャネル、上りリンクパイロットチャネル、ランダムアクセスチャネルの受信を受信アンテナを介して行う。なお、本発明とは直接の関連がないため、上りリンクに関する処理（受信処理部１３）の詳細な説明は省略する。
【００６５】
図５は、本実施形態における基地局装置１の送信処理部１２の内部構成を示す概略ブロック図である。基地局装置１の送信処理部１２は、複数の下りリンク共有データチャネル処理部２１０と、複数の下りリンク制御チャネル処理部２２０と、参照信号（下りリンクパイロットチャネル）生成部２３０と、制御フォーマットインディケータ信号生成部２４０と、多重部２５０と、複数の送信アンテナ毎処理部２６０とを具備する。複数の下りリンク共有データチャネル処理部２１０、複数の下りリンク制御チャネル処理部２２０、複数の送信アンテナ毎処理部２６０は同様の構成及び機能を有するので、その一つを代表して説明する。
【００６６】
下りリンク共有データチャネル処理部２１０は、下りリンク共有データチャネルの信号を生成する処理を行う。すなわち各々の下りリンク共有データチャネル処理部２１０が、いずれか一つの移動局装置２宛ての情報データを外部から受けて、さらに制御部１１から制御データを受けて、これら情報データと制御データと（以下、情報データと制御データとをあわせて「データ」という）をＯＦＤＭ方式で伝送するためのベースバンド処理を行い、このベースバンド処理により移動局装置２宛てて送信する分散仮想リソースブロックＤＶＲＢの信号を生成する。下りリンク共有データチャネル処理部２１０は、ターボ符号部２１１と、データ変調部２１２とを具備する。
【００６７】
ターボ符号部２１１は、制御部１１からの制御信号による符号化率の指示に従い、入力されたデータの誤り耐性を高めるためのターボ符号による誤り訂正符号化を行う。データ変調部２１２は、ＱＰＳＫ（Ｑｕａｄｒａｔｕｒｅ  Ｐｈａｓｅ  Ｓｈｉｆｔ  Ｋｅｙｉｎｇ；４相位相偏移変調）、１６ＱＡＭ（１６Ｑｕａｄｒａｔｕｒｅ  Ａｍｐｌｉｔｕｄｅ  Ｍｏｄｕｌａｔｉｏｎ；１６値直交振幅変調）、６４ＱＡＭ（６４Ｑｕａｄｒａｔｕｒｅ  Ａｍｐｌｉｔｕｄｅ  Ｍｏｄｕｌａｔｉｏｎ；６４値直交振幅変調）等のような変調方式のうち制御部１１からの制御信号により指示された変調方式で、ターボ符号部２１１により誤り訂正符号化されたデータを変調して送信信号を生成し、多重部２５０に出力する。
【００６８】
下りリンク制御チャネル処理部２２０は、下りリンク制御チャネルの信号を生成する処理を行う。すなわち各々の下りリンク制御チャネル処理部２２０が、いずれかの一つの移動局装置２宛の制御データを制御部１１から受けて、この制御データをＯＦＤＭ方式で伝送するためのベースバンド処理を行い、このベースバンド処理により該移動局装置２宛ての分散仮想リソースブロックＤＶＲＢの無線リソース割り当て情報を含む信号を生成する。
【００６９】
下りリンク制御チャネル処理部２２０は、畳み込み符号部２２１と、ＱＰＳＫ変調部２２２とを具備する。畳み込み符号部２２１は、制御部１１から入力された制御データに対して、誤り耐性を高めるための畳み込み符号による誤り訂正符号化を行う。ＱＰＳＫ変調部２２２は、畳み込み符号部２２１により誤り訂正符号化された制御データをＱＰＳＫ変調方式で変調して送信信号を生成する。
【００７０】
参照信号生成部２３０は、下りリンクパイロットチャネルで各送信アンテナを介して送信する参照信号を生成する。制御フォーマットインディケータ信号生成部２４０は、下りリンク制御チャネルを構成するＯＦＤＭシンボル数を示す情報の信号であって、制御フォーマットインディケータチャネルで送信する制御フォーマットインディケータ信号を生成する。
【００７１】
多重部２５０は、下りリンク共有データチャネル処理部２１０が出力した符号化及び変調等の処理済の各移動局装置２宛てのデータの送信信号（下りリンク共有データチャネルの信号）と、下りリンク制御チャネル処理部２２０が出力した符号化及び変調等の処理済みの制御データの送信信号（下りリンク制御チャネルの信号）と、制御フォーマットインディケータ信号と、参照信号とを、制御部１１からの制御信号に基づいて各送信アンテナ毎にリソースエレメントに配置する。つまり、多重部２５０は、分散送信の対象となっている移動局装置宛ての下りリンク共有データチャネルの信号については、リソース対応付部１４の決定に従い、移動局装置２宛ての仮想リソースブロックＤＶＲＢの信号を多重するとともに、無線リソース割り当て情報を送信する信号を多重する。
【００７２】
分散仮想リソースブロックＤＶＲＢの信号を構成する下りリンク共有データチャネルの信号に関する、物理リソースブロックＰＲＢペア内におけるリソースエレメントへの信号配置は、多重数Ｎｄが２の場合はスロット単位で切り替わるスロットベースホッピング（Ｓｌｏｔ−ｂａｓｅｄ  ｈｏｐｐｉｎｇ）、多重数Ｎｄが３の場合はＯＦＤＭシンボル単位で切り替わるＯＦＤＭシンボルベースホッピング（ＯＦＤＭ  ｓｙｍｂｏｌ−ｂａｓｅｄ  ｈｏｐｐｉｎｇ）を用いる。
【００７３】
ここで、物理リソースブロックＰＲＢペアと分散仮想リソースブロックＤＶＲＢの対応付け規則について、いずれの対応付け規則を用いるかは無線リソース制御部１０が決定し、制御部１１を介して入力された前記対応付け規則を表す制御情報と分散仮想リソースブロックＤＶＲＢナンバーに基づいて、多重部２５０は分散仮想リソースブロックＤＶＲＢの信号を物理リソースブロックＰＲＢに配置する。物理リソースブロックＰＲＢペアと分散仮想リソースブロックＤＶＲＢの対応付け規則の詳細は後述する。
【００７４】
送信アンテナ毎処理部２６０は、多重部２５０が各送信アンテナ向けに多重した信号のうち、当該送信アンテナ毎処理部２６０が接続される送信アンテナから送信する信号を受けて、逆フーリエ変換、ガードインターバル挿入、ディジタル／アナログ変換、アップコンバートなどを行い、接続されている送信アンテナを介して送信する。送信アンテナ毎処理部２６０は、ＩＦＦＴ（Ｉｎｖｅｒｓｅ  Ｆａｓｔ  Ｆｏｕｒｉｅｒ  Ｔｒａｎｓｆｏｒｍ：高速逆フーリエ変換）部２６１と、ＧＩ（Ｇｕａｒｄ  Ｉｎｔｅｒｖａｌ：ガードインターバル）挿入部２６２と、Ｄ／Ａ（ディジタル／アナログ変換）部２６３、送信ＲＦ（Ｒａｄｉｏ  Ｆｒｅｑｕｅｎｃｙ；無線周波数）部２６４を具備する。
【００７５】
ＩＦＦＴ部２６１は、多重部２５０から入力された信号を高速逆フーリエ変換し、ＯＦＤＭ方式の変調を行う。ＧＩ挿入部２６２は、ＯＦＤＭ変調済みの信号にガードインターバルを付加することで、ＯＦＤＭ方式におけるシンボルを生成する。ガードインターバルは、伝送するシンボルの先頭又は末尾の一部を複製する公知の方法によって得る。Ｄ／Ａ部２６３は、ＧＩ挿入部２６２から入力されたベースバンドのディジタル信号をアナログ信号に変換する。
【００７６】
送信ＲＦ部２６４は、Ｄ／Ａ部２６３から入力されたアナログ信号から、中間周波数の同相成分及び直交成分を生成し、中間周波数帯域に対する余分な周波数成分を除去し、中間周波数の信号を高周波数（無線周波数）の信号に変換（アップコンバート）し、余分な周波数成分を除去し、電力増幅し、接続されている送信アンテナに出力する。なお、本実施形態では、ＩＦＦＴ部２６１とＧＩ挿入部２６２とＤ／Ａ部２６３と送信ＲＦ部２６４とで送信部として機能するものとする。基地局装置１は、この送信部を、送信に使用される送信アンテナの数だけ、すなわち、本実施形態では４つ具備し、各送信部は多重部２５０が出力した各送信アンテナ向けの信号を処理する。
【００７７】
図６は、本発明の実施形態における移動局装置２の構成を示す概略ブロック図である。図６に示すように、移動局装置２は、制御部２０、受信処理部２１、送信処理部２２を有する。受信処理部２１は、受信アンテナを介して基地局装置１から受信した下りリンク制御チャネル、下りリンク共有データチャネル、下りリンクパイロットチャネル、制御フォーマットインディケータチャネルの信号に対し受信処理を行う。制御部２０は、基地局装置１より下りリンク制御チャネル、下りリンク共有データチャネルを用いて通知された制御データに基づいて、受信処理部２１、送信処理部２２を制御する。
【００７８】
また、制御部２０は、システム帯域幅（物理リソースブロックＰＲＢ数）に基づく分散仮想リソースブロックＤＶＲＢと物理リソースブロックＰＲＢとの対応付の規則（対応付の規則）、基地局装置１より通知された当該移動局装置２宛ての分散仮想リソースブロックＤＶＲＢマッピングの無線リソース割当情報（開始ＶＲＢ番号；Ｓｔａｒｔｉｎｇ  ＶＲＢ  ｎｕｍｂｅｒ、連続ＶＲＢ数；Ｎｕｍｂｅｒ  ｏｆ  ｃｏｎｓｅｃｕｔｉｖｅ  ＶＲＢｓ）、制御フォーマットインディケータに基づき、自移動局装置２宛てに分散送信された信号が配置されたリソースエレメントを検出し、受信したこれらのリソースエレメントの信号を抽出させる制御信号を、受信処理部２１に出力する。この自移動局装置２に分散送信された信号が配置されたリソースエレメントの検出方法は後述する。
【００７９】
送信処理部２２は、制御部２０からの入力に基づき、上りリンク制御チャネル、上りリンク共有データチャネル、上りリンクパイロットチャネル、ランダムアクセスチャネルの送信を送信アンテナを介して行う。なお、本発明とは直接の関連がないため、上りリンクに関する処理（送信処理部２２）の詳細な説明は省略する。
【００８０】
図７は、本実施形態における移動局装置２の受信処理部２１の内部構成を示す概略ブロック図である。移動局装置２の受信処理部２１は、受信ＲＦ部４０１と、Ａ／Ｄ（アナログ／ディジタル変換）部４０２と、ＧＩ除去部４０３と、ＦＦＴ（Ｆａｓｔ  Ｆｏｕｒｉｅｒ  Ｔｒａｎｓｆｏｒｍ：高速フーリエ変換）部４０４と、多重分離部４０５と、伝播路推定部４０６と、伝播路補償部４０７と、制御フォーマットインディケータ検出部４０８と、伝播路補償部４０９と、ＱＰＳＫ復調部４１０と、ビタビデコーダ部４１１と、伝播路補償部４１２と、データ復調部４１３と、ターボ復号部４１４とを具備する。本実施形態では、受信ＲＦ部４０１とＡ／Ｄ部４０２とＧＩ除去部４０３とＦＦＴ部４０４とで、受信部として機能するものとする。
【００８１】
受信ＲＦ部４０１は、受信アンテナを介して受信した信号を増幅し、中間周波数に変換し（ダウンコンバート）、不要な周波数成分を除去し、信号レベルが適切に維持されるように増幅レベルを制御し、受信した信号の同相成分及び直交成分に基づいて、直交復調する。Ａ／Ｄ部４０２は、受信ＲＦ部４０１により直交復調されたアナログ信号をディジタル信号に変換する。ＧＩ除去部４０３は、Ａ／Ｄ部４０２の出力したディジタル信号からガードインターバルに相当する部分を除去する。ＦＦＴ部４０４は、ＧＩ除去部４０３から入力された信号を高速フーリエ変換し、ＯＦＤＭ方式の復調を行う。
【００８２】
多重分離部４０５は、制御部２０から入力された制御信号による指示に基づき、ＦＦＴ部４０４がフーリエ変換した信号、すなわちＯＦＤＭ方式により復調された受信信号から下りリンクパイロットチャネル、制御フォーマットインディケータチャネル、下りリンク共有データチャネル、下りリンク制御チャネルを、配置されたリソースエレメントから抽出して、出力する。
【００８３】
具体的には、多重分離部４０５は、固定の配置である下りリンクパイロットチャネルと制御フォーマットインディケータチャネルを抽出して、下りリンクパイロットチャネルは伝播路推定部４０６に出力し、制御フォーマットインディケータチャネルは伝播路補償部４０７に出力する。さらに、多重分離部４０５は、制御部１１を介して入力される、先に伝播路補償部４０７に出力した制御フォーマットインディケータチャネルに含まれる情報（下りリンク制御チャネルを構成するＯＦＤＭシンボル数）に基づいて下りリンク制御チャネルを抽出して、伝播路補償部４０９に出力する。
【００８４】
また、多重分離部４０５は、制御部２０を介して入力される、先に伝播路補償部４０９に出力した下りリンク制御チャネルに含まれる無線リソース割り当て情報に基づいて当該移動局装置２宛ての下りリンク共有データチャネルを抽出して、伝播路補償部４１２に出力する。多重分離部４０５は、分散送信された下りリンク共有データチャネル、すなわち物理リソースブロックＰＲＢの下りリンク共有データチャネルに多重化された信号から、基地局装置１の多重部２５０による信号配置に基づき当該移動局装置２宛ての信号を抽出する。この抽出方法（分散仮想リソースブロックＤＶＲＢの信号が配置されたリソースエレメントの検出方法）については後述する。
【００８５】
伝播路推定部４０６は、多重分離部４０５が分離した下りリンクパイロットチャネルに配置された既知の参照信号の受信結果に基づいて基地局装置１の送信アンテナ各々に対する伝播路変動を推定し、伝播路変動補償値を出力する。伝播路補償部４０７、４０９、４１２は、伝播路推定部４０６からの伝播路変動補償値に基づいて、入力された信号の伝播路変動の補償を行う。制御フォーマットインディケータ検出部４０８は、伝播路補償部４０７により伝播路変動の補償が行われた制御フォーマットインディケータチャネルに配置された信号から下りリンク制御チャネルが構成されるＯＦＤＭシンボル数を示す制御フォーマットインディケータの情報を検出し、制御部２０に出力する。
【００８６】
データ復調部４１３は、伝播路補償部４１２により伝播路変動の補償された下りリンク共有データチャネルの復調を行う。この復調は、基地局装置１のデータ変調部２１２で用いた変調方式に対応したものが行われ、この変調方式は制御部２０からの制御信号により指示される。ターボ復号部４１４は、データ復調部４１３が復調した下りリンク共有データチャネルを復号して、情報データおよび制御データを得る。この復号は、基地局装置１のターボ符号部２１１で用いた符号化率に対応したものが行われ、この符号化率は制御部２０からの制御信号により指示される。
【００８７】
ＱＰＳＫ復調部４１０は、伝播路補償部４０９により伝播路変動の補償された下りリンク制御チャネルのＱＰＳＫ復調を行う。ビタビデコーダ部４１１は、ＱＰＳＫ復調部４１０が復調した下りリンク制御チャネルを復号する。ビタビデコーダ部４１１で復号された下りリンク制御チャネルに配置されていた制御データは制御部２０に入力される。制御部２０は、この制御データから、当該移動局装置２宛ての下りリンク共有データチャネルの割り当てを表す無線リソース割り当て情報と、下りリンク共有データチャネルの変調方式と符号化率とを表す情報を取得し、これらの情報にて指定された当該移動局装置２宛ての下りリンク共有データチャネルを分離させる制御信号を多重分離部４０５に出力し、同様に指定された変調方式で復調させる制御信号をデータ復調部４１３に出力し、同様に指定された符号化率で復号させる制御信号をターボ復号部４１４に出力する。
【００８８】
分散仮想リソースブロックＤＶＲＢを用いて配信する移動局装置２の無線リソース割り当て情報は、開始ＶＲＢ番号（Ｓｔａｒｔｉｎｇ  ＶＲＢ  ｎｕｍｂｅｒ）と、連続ＶＲＢ数（Ｎｕｍｂｅｒ  ｏｆ  ｃｏｎｓｅｃｕｔｉｖｅ  ＶＲＢｓ）とを表す情報を少なくとも有している。開始ＶＲＢ番号は、移動局装置２に割り当てる最初の分散仮想リソースブロックＤＶＲＢナンバーを示す。例えば、システム帯域幅に最大で１８個の分散仮想リソースブロックＤＶＲＢが配置可能な場合、開始ＶＲＢ番号を表すのに最小でも５ビット（３２状態）が必要である。連続ＶＲＢ数は、開始ＶＲＢ番号から連続して割り当てるＤＶＲＢ数を示す。例えば、本実施形態における無線通信システムにおいて連続して割り当てるＤＶＲＢ数を２つまでとした場合は連続ＶＲＢ数は最小で１ビット（２状態）、無線通信システムにおいて連続して割り当てるＤＶＲＢ数を３つまでとした場合は連続ＶＲＢ数は最小で２ビット（４状態）により構成される。
【００８９】
次に、分散仮想リソースブロックＤＶＲＢと物理リソースブロックＰＲＢペアとの対応付け規則、すなわち仮想リソースブロックＤＶＲＢから分割された信号群を配置する物理リソースブロックＰＲＢペアの組合せと、該組合せの順番の規則の作成方法を、実施順に１から７番目のステップに分けて説明する。先ず１番目のステップ（第１のステップ）では、システム帯域幅の物理リソースブロックＰＲＢ全てに対して、周波数の小さい方から順にＰＲＢ番号の番号付けをし、これらの物理リソースブロックＰＲＢの総数（Ｎ＿ＰＲＢ）より小さく、多重数Ｎｄで割り切れる最大数を分散仮想リソースブロックＤＶＲＢの総数（Ｎ＿ＤＶＲＢ）とし、各分散仮想リソースブロックＤＶＲＢにＶＲＢ番号の番号付けを行う（ＤＶＲＢ  ｎｕｍｂｅｒ）。なお、詳細は後述するが、分散仮想リソースブロックＤＶＲＢの総数として最大数とは異なる値（最大数より小さな値）を用いてもよい。
【００９０】
２番目のステップ（第２のステップ）では、多重数Ｎｄ個の分散仮想リソースブロックＤＶＲＢを纏めて、分散仮想リソースブロックＤＶＲＢユニットとする。ここで、ＶＲＢ番号が分散仮想リソースブロックＤＶＲＢの総数Ｎ＿ＤＶＲＢを多重数Ｎｄで割った値（Ｎ＿ＤＶＲＢ／Ｎｄ）だけ離れた分散仮想リソースブロックＤＶＲＢを、ＶＲＢ番号が小さい方から並べたものを分散仮想リソースブロックＤＶＲＢユニットとする。多重数Ｎｄが２の場合、分散仮想リソースブロックＤＶＲＢユニットは２つの分散仮想リソースブロックＤＶＲＢにより構成する。この場合、分散仮想リソースブロックＤＶＲＢ間の番号は分散仮想リソースブロックＤＶＲＢの総数Ｎ＿ＤＶＲＢを２で割った値（Ｎ＿ＤＶＲＢ／２）だけ離れている。
【００９１】
多重数Ｎｄが３の場合、分散仮想リソースブロックＤＶＲＢユニットは３つの分散仮想リソースブロックＤＶＲＢにより構成する。この場合、分散仮想リソースブロックＤＶＲＢユニットのうち、ＶＲＢ番号の値が一番小さい分散仮想リソースブロックＤＶＲＢとＶＲＢ番号の値が真ん中の分散仮想リソースブロックＤＶＲＢとの間、ＶＲＢ番号の値が真ん中の分散仮想リソースブロックＤＶＲＢとＶＲＢ番号の値が一番大きい分散仮想リソースブロックＤＶＲＢとの間のＶＲＢ番号は分散仮想リソースブロックＤＶＲＢの総数Ｎ＿ＤＶＲＢを３で割った値（Ｎ＿ＤＶＲＢ／３）離れている。
【００９２】
ここで、分散仮想リソースブロックＤＶＲＢユニットは順番付き複数の領域からなり、各領域にＶＲＢ番号が小さい方から分散仮想リソースブロックＤＶＲＢが割り当てられる。多重数Ｎｄが２の場合、分散仮想リソースブロックＤＶＲＢユニットは順番付きの２つの領域（１番目から順に、領域Ｘ、領域Ｙ）からなり、領域Ｘに番号の値が小さい分散仮想リソースブロックＤＶＲＢが割り当てられ、領域Ｙに番号の値が大きい分散仮想リソースブロックＤＶＲＢが割り当てられる。多重数Ｎｄが３の場合、分散仮想リソースブロックＤＶＲＢユニットは順番付き３つの領域（１番目から順に、領域Ｘ、領域Ｙ、領域Ｚ）からなり、領域Ｘに番号の値が一番小さい分散仮想リソースブロックＤＶＲＢが割り当てられ、領域Ｙに番号の値が真ん中の分散仮想リソースブロックＤＶＲＢが割り当てられ、領域Ｚに番号の値が一番大きい分散仮想リソースブロックＤＶＲＢが割り当てられる。
【００９３】
３番目のステップ（第３のステップ）では、各分散仮想リソースブロックＤＶＲＢのＶＲＢ番号の総和が一番小さい分散仮想リソースブロックＤＶＲＢユニットから順にＤＶＲＢユニット番号の番号付けを行う（ＤＶＲＢ‐Ｕｎｉｔ  ｎｕｍｂｅｒ）。なお、この分散仮想リソースブロックＤＶＲＢユニットの総数は、分散仮想リソースブロックの総数Ｎ＿ＤＶＲＢを多重数Ｎｄで割った数（Ｎ＿ＤＶＲＢ／Ｎｄ）となる。
【００９４】
４番目のステップ（第４のステップ）では、複数の分散仮想リソースブロックＤＶＲＢユニットにより分散仮想リソースブロックＤＶＲＢユニットセットを構成する。ここで、ＤＶＲＢユニット番号が連続するセット数Ｍ個の分散仮想リソースブロックＤＶＲＢユニットにより分散仮想リソースブロックＤＶＲＢユニットセットを構成する。例えば、セット数Ｍを、２つ、あるいは、３つとし、２つ、あるいは、３つの分散仮想リソースブロックＤＶＲＢユニットにより構成する。そして、ＤＶＲＢユニット番号の値が一番小さい分散仮想リソースブロックＤＶＲＢユニットにより構成した分散仮想リソースブロックＤＶＲＢユニットセットから順にＤＶＲＢユニットセット番号の番号付けを行う（ＤＶＲＢ‐Ｕｎｉｔ‐Ｓｅｔ  ｎｕｍｂｅｒ）。
【００９５】
分散仮想リソースブロックＤＶＲＢユニットセットを構成する分散仮想リソースブロックＤＶＲＢユニットの数をセット数（Ｍ）とすると、分散仮想リソースブロックＤＶＲＢユニットセットの総数は、分散仮想リソースブロックＤＶＲＢの総数Ｎ＿ＤＶＲＢを、多重数Ｎｄで割ったＤＶＲＢユニットの総数を、さらにセット数Ｍでわった数（Ｎ＿ＤＶＲＢ／Ｎｄ）／Ｍである。
【００９６】
５番目のステップ（第５のステップ）では、上記４番目のステップで構成した全ての分散仮想リソースブロックＤＶＲＢユニットセットから所定の順番で抽出した仮想リソースブロックＤＶＲＢユニットを並べた順番付き（並べた順番）の組を第１の分散仮想リソースブロックＤＶＲＢユニットグループ（仮想リソースブロックユニットグループ）とする。このとき、この所定の順番は、分散仮想リソースブロックＤＶＲＢユニットセットの順番に、各分散仮想リソースブロックＤＶＲＢユニットセットにおいて最も順番の早い、すなわち最もＶＲＢ番号の小さい分散仮想リソースブロックＤＶＲＢが属する分散仮想リソースブロックＤＶＲＢユニットを一つ抽出し、全ての仮想リソースブロックＤＶＲＢユニットを抽出するまで、繰り返したときの、抽出された順番である。
【００９７】
つまり、先ず、ＤＶＲＢユニットセット番号（ＤＶＲＢ−Ｕｎｉｔ−Ｓｅｔ  ｎｕｍｂｅｒ）の値が一番小さい分散仮想リソースブロックＤＶＲＢユニットセットのＤＶＲＢユニット番号（ＤＶＲＢ−Ｕｎｉｔ  ｎｕｍｂｅｒ）の値が一番小さい分散仮想リソースブロックＤＶＲＢユニットを第１の分散仮想リソースブロックＤＶＲＢユニットグループに追加する。そして次のＤＶＲＢユニットセット番号（ＤＶＲＢ−Ｕｎｉｔ−Ｓｅｔ  ｎｕｍｂｅｒ）の分散仮想リソースブロックＤＶＲＢユニットセットのＤＶＲＢユニット番号（ＤＶＲＢ−Ｕｎｉｔ  ｎｕｍｂｅｒ）の値が一番小さい分散仮想リソースブロックＤＶＲＢユニットを第１の分散仮想リソースブロックＤＶＲＢユニットグループに追加する。
【００９８】
以降のＤＶＲＢユニットセット番号（ＤＶＲＢ−Ｕｎｉｔ−Ｓｅｔ  ｎｕｍｂｅｒ）の分散仮想リソースブロックＤＶＲＢユニットセットに対しても同様の処理を繰り返す。全ての分散仮想リソースブロックＤＶＲＢユニットセットにおけるＤＶＲＢユニット番号（ＤＶＲＢ−Ｕｎｉｔ  ｎｕｍｂｅｒ）の値が一番小さい分散仮想リソースブロックＤＶＲＢユニットを第１の分散仮想リソースブロックＤＶＲＢユニットグループに追加した後、全ての分散仮想リソースブロックＤＶＲＢユニットセットにおける小さい方から２番目のＤＶＲＢユニット番号（ＤＶＲＢ−Ｕｎｉｔ  ｎｕｍｂｅｒ）の分散仮想リソースブロックＤＶＲＢユニットを同様に第１の分散仮想リソースブロックＤＶＲＢユニットグループに追加する。以降、全ての番号の分散仮想リソースブロックＤＶＲＢユニットに対して同様の処理を繰り返し、分散仮想リソースブロックＤＶＲＢユニットが追加された順に並べられた第１の分散仮想リソースブロックＤＶＲＢユニットグループを構成する。
【００９９】
６番目のステップ（第６のステップ）では、第１の分散仮想リソースブロックＤＶＲＢユニットグループの領域に割り当てられた仮想リソースブロックＤＶＲＢユニットを変換することにより異なる分散仮想リソースブロックＤＶＲＢユニットグループを構成する。第１の仮想リソースブロックＤＶＲＢユニットグループを構成する各仮想リソースブロックＤＶＲＢユニットにおける仮想リソースブロックＤＶＲＢが割り当てられた領域の順番をｎ−１（ｎは２から多重数まで）個ずらした仮想リソースブロックＤＶＲＢユニットの順番付きの組を第ｎの仮想リソースブロックＤＶＲＢユニットグループとする。すなわち、多重数Ｎｄから１を引いた数の第１とは異なる分散仮想リソースブロックＤＶＲＢユニットグループを生成する。多重数Ｎｄが２の場合、第１の分散仮想リソースブロックＤＶＲＢユニットグループの領域Ｘ（分散仮想リソースブロックＤＶＲＢユニットのうち、ＶＲＢ番号の小さい方の分散仮想リソースブロックを割り当てた領域）と領域Ｙとに割り当てる分散仮想リソースブロックＤＶＲＢを相互に変換したものを第２の分散仮想リソースブロックＤＶＲＢユニットグループとして構成する。
【０１００】
多重数Ｎｄが３の場合、第１の分散仮想リソースブロックＤＶＲＢユニットグループの領域Ｘに割り当てられた分散仮想リソースブロックＤＶＲＢを領域Ｙに割り当て、領域Ｙに割り当てられた分散仮想リソースブロックＤＶＲＢを領域Ｚに割り当て、領域Ｚに割り当てられた分散仮想リソースブロックＤＶＲＢを領域Ｘに割り当てたものを第２の分散仮想リソースブロックＤＶＲＢユニットグループとして構成する。第１の分散仮想リソースブロックＤＶＲＢユニットグループの領域Ｘに割り当てられた分散仮想リソースブロックＤＶＲＢを領域Ｚに割り当て、領域Ｙに割り当てられた分散仮想リソースブロックＤＶＲＢを領域Ｘに割り当て、領域Ｚに割り当てられた分散仮想リソースブロックＤＶＲＢを領域Ｙに割り当てたものを第３の分散仮想リソースブロックＤＶＲＢユニットグループとして構成する。
【０１０１】
最後である７番目のステップ（第７のステップ）に、物理リソースブロックＰＲＢペアに対して分散仮想リソースブロックＤＶＲＢユニットグループの対応付けを行う。すなわち、仮想リソースブロックＤＶＲＢユニットグループ各々を互いに重複しないように、各仮想リソースブロックＤＶＲＢユニットグループを構成する仮想リソースブロックＤＶＲＢユニット数の周波数方向に連続する物理リソースブロックＤＶＲＢに対応付ける。これにより、仮想リソースブロックＤＶＲＢユニットグループを構成する仮想リソースブロックＤＶＲＢと物理リソースブロックＰＲＢの組合せと、該組合せに対応付けられた仮想リソースブロックＤＶＲＢの番号の順番を、該組合せの順番とする規則、すなわち分散仮想リソースブロックＤＶＲＢと物理リソースブロックＰＲＢペアの対応付け規則が作成される。多重数Ｎｄが２の場合、周波数に低い側から順に各物理リソースブロックＰＲＢペアに付されたＰＲＢ番号（ＰＲＢ  ｎｕｍｂｅｒ）の値が小さい物理リソースブロックＰＲＢペア群に対して第１の分散仮想リソースブロックＤＶＲＢユニットグループを対応付けし、ＰＲＢ番号（ＰＲＢ  ｎｕｍｂｅｒ）の値が大きい物理リソースブロックＰＲＢ群に対して第２の分散仮想リソースブロックＤＶＲＢユニットグループを対応付けする。
【０１０２】
第１の分散仮想リソースブロックＤＶＲＢユニットグループと第２の分散仮想リソースブロックＤＶＲＢユニットグループの各分散仮想リソースブロックＤＶＲＢユニットのうち、仮想リソースブロックＤＶＲＢの組み合わせが同じ２つの分散仮想リソースブロックＤＶＲＢユニットが配置される物理リソースブロックＰＲＢの周波数方向の間隔は、基本的に分散仮想リソースブロックＤＶＲＢの総数を多重数Ｎｄ＝２で割った値である。第１の分散仮想リソースブロックＤＶＲＢユニットグループを対応付けした物理リソースブロックＰＲＢ群と第２の分散仮想リソースブロックＤＶＲＢユニットグループを対応付けした物理リソースブロックＰＲＢ群との間に各分散仮想リソースブロックＤＶＲＢユニットグループに対応付けしない物理リソースブロックＰＲＢを配置する場合は、その個数が間隔に付加される。ここで、分散仮想リソースブロックＤＶＲＢユニットと物理リソースブロックＰＲＢを一対一で対応付けし、領域Ｘはサブフレームの１番目のスロットに対応付けし、領域Ｙはサブフレームの２番目のスロットに対応付けする。
【０１０３】
多重数Ｎｄが３の場合、ＰＲＢ番号（ＰＲＢ  ｎｕｍｂｅｒ）の値が小さい物理リソースブロックＰＲＢ群に対して第１の分散仮想リソースブロックＤＶＲＢユニットグループを対応付けし、番号（ＰＲＢ  ｎｕｍｂｅｒ）の値が真ん中ぐらいの物理リソースブロックＰＲＢ群に対して第２の分散仮想リソースブロックＤＶＲＢユニットグループを対応付けし、番号（ＰＲＢ  ｎｕｍｂｅｒ）の値が大きい物理リソースブロックＰＲＢ群に対して第３の分散仮想リソースブロックＤＶＲＢユニットグループを対応付けする。
【０１０４】
第１の分散仮想リソースブロックＤＶＲＢユニットグループと第２の分散仮想リソースブロックＤＶＲＢユニットグループとに含まれる分散仮想リソースブロックＤＶＲＢユニットのうち、仮想リソースブロックＤＶＲＢの組み合わせが同一の分散仮想リソースブロックＤＶＲＢユニットが配置される物理リソースブロックＰＲＢの間隔と、第２の分散仮想リソースブロックＤＶＲＢユニットグループと第３の分散仮想リソースブロックＤＶＲＢユニットグループとに含まれる分散仮想リソースブロックＤＶＲＢユニットのうち、仮想リソースブロックＤＶＲＢの組み合わせが同一の分散仮想リソースブロックＤＶＲＢユニットが配置される物理リソースブロックＰＲＢの間隔とは、基本的に分散仮想リソースブロックＤＶＲＢの総数Ｎ＿ＤＶＲＢを多重数Ｎｄ＝３で割った値である。
【０１０５】
ただし、第１の分散仮想リソースブロックＤＶＲＢユニットグループを対応付けした物理リソースブロックＰＲＢ群と第２の分散仮想リソースブロックＤＶＲＢユニットグループを対応付けした物理リソースブロックＰＲＢ群との間に各分散仮想リソースブロックＤＶＲＢユニットグループに対応付けしない物理リソースブロックＰＲＢを配置する場合および第２の分散仮想リソースブロックＤＶＲＢユニットグループを対応付けした物理リソースブロックＰＲＢ群と第３の分散仮想リソースブロックＤＶＲＢユニットグループを対応付けした物理リソースブロックＰＲＢ群との間に各分散仮想リソースブロックＤＶＲＢユニットグループに対応付けしない物理リソースブロックＰＲＢを配置する場合は、その個数が上述の各間隔に付加される。
【０１０６】
ここで、分散仮想リソースブロックＤＶＲＢユニットと物理リソースブロックＰＲＢペアを一対一で対応付けし、領域Ｘはサブフレームの領域Ａ（下りリンク共有データチャネルが割り当てられた領域のうち１、４、７、１０番目のＯＦＤＭシンボル）に対応付けし、領域Ｙはサブフレームの領域Ｂ（同３、６、９、１２番目のＯＦＤＭシンボル）に対応付けし、領域Ｚはサブフレームの領域Ｃ（同２、５、８、１１番目のＯＦＤＭシンボル）に対応付けする。
【０１０７】
分散仮想リソースブロックＤＶＲＢユニットの総数（Ｎ＿ＤＶＲＢ／Ｎｄ）がセット数（Ｍ）で割り切れない場合、分散仮想リソースブロックＤＶＲＢユニットセットを構成する際に、最後のＤＶＲＢユニットセット番号（ＤＶＲＢ−Ｕｎｉｔ−Ｓｅｔ  ｎｕｍｂｅｒ）の分散仮想リソースブロックＤＶＲＢユニットセットではブランク（分散仮想リソースブロックＤＶＲＢではなく、何も情報が対応付けられていない空白の領域を示す）からなる分散仮想リソースブロックＤＶＲＢユニットを用いて分散仮想リソースブロックＤＶＲＢユニットセットを構成する。第１の分散仮想リソースブロックＤＶＲＢユニットグループを構成する際には、ブランクのみからなる分散仮想リソースブロックＤＶＲＢユニットは追加せずに、スキップして、分散仮想リソースブロックＤＶＲＢから構成された分散仮想リソースブロックＤＶＲＢユニットのみを用いて第１の分散仮想リソースブロックＤＶＲＢユニットグループを構成する。
【０１０８】
前述の７番目のステップにおいて、物理リソースブロックＰＲＢに対して分散仮想リソースブロックＤＶＲＢユニットグループを対応付ける際に、システム帯域幅の物理リソースブロックＰＲＢの総数が多重数Ｎｄで割り切れない場合がある。また、無線リソース割り当て情報のビット数を考慮して分散仮想リソースブロックＤＶＲＢの総数を設定する場合がある。このとき、物理リソースブロックＰＲＢの総数より分散仮想リソースブロックＤＶＲＢの総数が少ない場合は、余り分の物理リソースブロックＰＲＢをブランク（分散仮想リソースブロックＤＶＲＢユニットグループを配置しないことを示す）とする。
【０１０９】
なお、多重数Ｎｄが２の場合、第１の分散仮想リソースブロックＤＶＲＢユニットグループと第２の分散仮想リソースブロックＤＶＲＢユニットグループを対応付ける物理リソースブロックＰＲＢ群の間の物理リソースブロックＰＲＢをブランクとする方が好ましい。また、多重数Ｎｄが３の場合、第１の分散仮想リソースブロックＤＶＲＢユニットグループと第２の分散仮想リソースブロックＤＶＲＢユニットグループを対応付ける物理リソースブロックＰＲＢ群の間の物理リソースブロックＰＲＢ、または／および第２の分散仮想リソースブロックＤＶＲＢユニットグループと第３の分散仮想リソースブロックＤＶＲＢユニットグループを対応付ける物理リソースブロックＰＲＢ群の間の物理リソースブロックＰＲＢをブランクとする方が好ましい。
【０１１０】
ここで、２つの異なる物理リソースブロックＰＲＢのエリア（第１の分散仮想リソースブロックＤＶＲＢユニットグループと第２の分散仮想リソースブロックＤＶＲＢユニットグループを対応付ける物理リソースブロックＰＲＢ群の間の物理リソースブロックＰＲＢのエリア、第２の分散仮想リソースブロックＤＶＲＢユニットグループと第３の分散仮想リソースブロックＤＶＲＢユニットグループを対応付ける物理リソースブロックＰＲＢ群の間の物理リソースブロックＰＲＢのエリア）をブランクと設定する場合は、ブランクと設定する物理リソースブロックＰＲＢの個数をエリア間で比較的均等になるように設定する。
【０１１１】
なお、物理リソースブロックＰＲＢに対して対応付ける分散仮想リソースブロックＤＶＲＢユニットグループの順番は異なっていてもよい。例えば、多重数Ｎｄが２の場合、ＰＲＢ番号（ＰＲＢ  ｎｕｍｂｅｒ）の値が小さい物理リソースブロックＰＲＢ群に対して第２の分散仮想リソースブロックＤＶＲＢユニットグループを対応付けし、ＰＲＢ番号（ＰＲＢ  ｎｕｍｂｅｒ）の値が大きい物理リソースブロックＰＲＢ群に対して第１の分散仮想リソースブロックＤＶＲＢユニットグループを対応付けしてもよい。また、例えば、多重数Ｎｄが３の場合、ＰＲＢ番号（ＰＲＢ  ｎｕｍｂｅｒ）の値が小さい物理リソースブロックＰＲＢ群に対して第３の分散仮想リソースブロックＤＶＲＢユニットグループを対応付けし、ＰＲＢ番号（ＰＲＢ  ｎｕｍｂｅｒ）の値が真ん中ぐらいの物理リソースブロックＰＲＢ群に対して第１の分散仮想リソースブロックＤＶＲＢユニットグループを対応付けし、ＰＲＢ番号（ＰＲＢ  ｎｕｍｂｅｒ）の値が大きい物理リソースブロックＰＲＢ群に対して第２の分散仮想リソースブロックＤＶＲＢユニットグループを対応付けしてもよい。
【０１１２】
以下、多重数をＮｄ、システム帯域幅の物理リソースブロックＰＲＢの総数をＮ＿ＰＲＢ、物理リソースブロックＰＲＢを識別する番号をＰＲＢ番号、分散仮想リソースブロックＤＶＲＢの総数をＮ＿ＤＶＲＢ、分散仮想リソースブロックＤＶＲＢを識別する番号をＶＲＢ番号、分散仮想リソースブロックＤＶＲＢユニットを識別する番号をＤＶＲＢユニット番号、分散仮想リソースブロックＤＶＲＢユニットセットのセット数（分散仮想リソースブロックＤＶＲＢユニットの数）をＭ、分散仮想リソースブロックＤＶＲＢユニットセットを識別する番号をＤＶＲＢユニットセット番号と称して、上述の方法による対応付け規則の作成の具体例を説明する。
【０１１３】
図８から図１２を用いて、分散仮想リソースブロックＤＶＲＢと物理リソースブロックＰＲＢペアの対応付け規則の第１の例を説明する。図８（ａ）は、第１の対応付け規則例におけるシステム帯域幅の物理リソースブロックＰＲＢペアを示す図である。図８（ａ）において、横軸に周波数をとり、各四角形が物理リソースブロックＰＲＢペアを示し、これらの四角形に付した符号ＰＲＢ１〜ＰＲＢ１８は、それぞれＰＲＢ番号１から１８の物理リソースブロックＰＲＢペアであることを表す。この第１の対応付け規則例では、図８（ａ）に示すように、物理リソースブロックＰＲＢペアの総数Ｎ＿ＰＲＢは、「１８」個であり、多重数Ｎｄは「２」、セット数Ｍは「２」個の場合について説明する。
【０１１４】
図８（ｂ）は、第１の対応付け規則例における分散仮想リソースブロックＤＶＲＢを示す図である。図８（ｂ）において、各四角形が分散仮想リソースブロックＤＶＲＢを示し、これらの四角形に付した符号ＤＶＲＢ１〜ＤＶＲＢ１８は、それぞれＶＲＢ番号１から１８の分散仮想リソースブロックＤＶＲＢであることを表す。物理リソースブロックの総数Ｎ＿ＰＲＢは「１８」であり、その値以下で、多重数Ｎｄ「２」で割り切れる数の最大値は「１８」であるので、この第１の対応付け規則例では、前述の１番目のステップにより、図８（ｂ）に示すように、分散仮想リソースブロックＤＶＲＢの総数Ｎ＿ＤＶＲＢを、この最大値である「１８」個とし、分散仮想リソースブロックＤＶＲＢ１〜ＤＶＲＢ１８について対応付けをする。
【０１１５】
図９は、第１の対応付け規則例における分散仮想リソースブロックＤＶＲＢユニットを示す図である。分散仮想リソースブロックＤＶＲＢの総数Ｎ＿ＤＶＲＢ「１８」を多重数Ｎｄ「２」で割った値は「９」であるので、第１の対応付け規則例では、前述の２番目および３番目のステップにより、図９に示すように９個の分散仮想リソースブロックＤＶＲＢユニットＤＵ１〜ＤＵ９を構成する。
【０１１６】
図９に示すように、これらのうち、分散仮想リソースブロックＤＶＲＢユニットＤＵ１は、分散仮想リソースブロックＤＶＲＢ１とＤＶＲＢ１０により構成される。分散仮想リソースブロックＤＶＲＢユニットＤＵ２は、分散仮想リソースブロックＤＶＲＢ２とＤＶＲＢ１１により構成される。分散仮想リソースブロックＤＶＲＢユニットＤＵ３は、分散仮想リソースブロックＤＶＲＢ３とＤＶＲＢ１２により構成される。分散仮想リソースブロックＤＶＲＢユニットＤＵ４は、分散仮想リソースブロックＤＶＲＢ４とＤＶＲＢ１３により構成される。分散仮想リソースブロックＤＶＲＢユニットＤＵ５は、分散仮想リソースブロックＤＶＲＢ５とＤＶＲＢ１４により構成される。
【０１１７】
分散仮想リソースブロックＤＶＲＢユニットＤＵ６は、分散仮想リソースブロックＤＶＲＢ６とＤＶＲＢ１５により構成される。分散仮想リソースブロックＤＶＲＢユニットＤＵ７は、分散仮想リソースブロックＤＶＲＢ７とＤＶＲＢ１６により構成される。分散仮想リソースブロックＤＶＲＢユニットＤＵ８は、分散仮想リソースブロックＤＶＲＢ８とＤＶＲＢ１７により構成される。分散仮想リソースブロックＤＶＲＢユニットＤＵ９は、分散仮想リソースブロックＤＶＲＢ９とＤＶＲＢ１８により構成される。
【０１１８】
ここで、分散仮想リソースブロックＤＶＲＢユニットは多重数Ｎｄ「２」個の領域、すなわち領域Ｘと領域Ｙからなる。分散仮想リソースブロックＤＶＲＢユニットＤＵ１〜ＤＵ９の領域Ｘには、それぞれ分散仮想リソースブロックＤＶＲＢ１、ＤＶＲＢ２、ＤＶＲＢ３、ＤＶＲＢ４、ＤＶＲＢ５、ＤＶＲＢ６、ＤＶＲＢ７、ＤＶＲＢ８、ＤＶＲＢ９が割り当てられ、領域Ｙには、それぞれ分散仮想リソースブロックＤＶＲＢ１０、ＤＶＲＢ１１、ＤＶＲＢ１２、ＤＶＲＢ１３、ＤＶＲＢ１４、ＤＶＲＢ１５、ＤＶＲＢ１６、ＤＶＲＢ１７、ＤＶＲＢ１８が割り当てられる。
【０１１９】
図１０は、第１の対応付け規則例における分散仮想リソースブロックＤＶＲＢユニットセットを示す図である。セット数Ｍである「２」個の分散仮想リソースブロックＤＶＲＢユニットから構成される分散仮想リソースブロックＤＶＲＢユニットセットを５個（９を２で割った切り上げ：ＣＥＩＬＩＮＧ（９／２））生成する。図１０に示すように、前述の４番目のステップにより、分散仮想リソースブロックＤＶＲＢユニットセットＤＵＳ１は、分散仮想リソースブロックＤＶＲＢユニットＤＵ１とＤＵ２により構成される。
【０１２０】
同様に、分散仮想リソースブロックＤＶＲＢユニットセットＤＵＳ２は、分散仮想リソースブロックＤＶＲＢユニットＤＵ３とＤＵ４により構成される。分散仮想リソースブロックＤＶＲＢユニットセットＤＵＳ３は、分散仮想リソースブロックＤＶＲＢユニットＤＵ５とＤＵ６により構成される。分散仮想リソースブロックＤＶＲＢユニットセットＤＵＳ４は、分散仮想リソースブロックＤＶＲＢユニットＤＵ７とＤＵ８により構成される。分散仮想リソースブロックＤＶＲＢユニットセットＤＵＳ５は、分散仮想リソースブロックＤＶＲＢユニットＤＵ９とブランクからなる１つの分散仮想リソースブロックＤＶＲＢユニットにより構成する。ここで、各分散仮想リソースブロックＤＶＲＢユニット（ブランク含む）に対して各分散仮想リソースブロックＤＶＲＢユニットセット内における番号付け（１−１、１−２、２−１、２−２、３−１、３−２、４−１、４−２、５−１、５−２）を行う。これらの番号は、分散仮想リソースブロックＤＶＲＢユニットセットのＤＶＲＢユニットセット番号と、分散仮想リソースブロックＤＶＲＢユニットセット内における分散仮想リソースブロックＤＶＲＢユニットに含まれる分散仮想リソースブロックＤＶＲＢのＶＲＢ番号が小さい方の分散仮想リソースブロックＤＶＲＢユニットから順に付された番号である。
【０１２１】
図１１は、第１の対応付け規則例における第１のおよび第２の分散仮想リソースブロックＤＶＲＢユニットグループを示す図である。前述の５番目のステップにより、全ての分散仮想リソースブロックＤＶＲＢユニットからなる第１の分散仮想リソースブロックＤＶＲＢユニットグループを構成する。この構成は、具体的には、以下のようにして行われる。第１の分散仮想リソースブロックＤＶＲＢユニットグループに、分散仮想リソースブロックＤＶＲＢユニットセットＤＵＳ１のＶＲＢ番号の小さい分散仮想リソースブロックＤＶＲＢユニットＤＵ１が追加され、次に分散仮想リソースブロックＤＶＲＢユニットセットＤＵＳ２のＶＲＢ番号の小さい分散仮想リソースブロックＤＶＲＢユニットＤＵ３が追加されるというようにして、続いて分散仮想リソースブロックＤＶＲＢユニットＤＵ５、ＤＵ７、ＤＵ９が追加され、各分散仮想リソースブロックＤＶＲＢユニットセットにおけるＶＲＢ番号の小さい方の分散仮想リソースブロックＤＶＲＢユニットが全て追加される。
【０１２２】
次に分散仮想リソースブロックＤＶＲＢユニットセットＤＵＳ１のＶＲＢ番号の大きい分散仮想リソースブロックＤＶＲＢユニットＤＵ２が追加され、次に分散仮想リソースブロックＤＶＲＢユニットセットＤＵＳ２のＶＲＢ番号の大きい分散仮想リソースブロックＤＶＲＢユニットＤＵ４が追加されるというようにして、続いて分散仮想リソースブロックＤＶＲＢユニットＤＵ６、ＤＵ８が追加され、各分散仮想リソースブロックＤＶＲＢユニットセットにおけるＶＲＢ番号の大きい方の分散仮想リソースブロックＤＶＲＢユニットが全て追加される。このとき、ブランクは第１の分散仮想リソースブロックＤＶＲＢユニットグループに追加しない。
【０１２３】
これにより、第１次分散仮想リソースブロックＤＶＲＢユニットグループは、図１１に示すように、分散仮想リソースブロックＤＶＲＢユニットがＤＵ１、ＤＵ３、ＤＵ５、ＤＵ７、ＤＵ９、ＤＵ２、ＤＵ４、ＤＵ６、ＤＵ８の順に並んだものとなる。すなわち、領域Ｘに割り当てられる分散仮想リソースブロックＤＶＲＢは、ＤＶＲＢ１、ＤＶＲＢ３、ＤＶＲＢ５、ＤＶＲＢ７、ＤＶＲＢ９、ＤＶＲＢ２、ＤＶＲＢ４、ＤＶＲＢ６、ＤＶＲＢ８の順に並び、領域Ｙに割り当てられる分散仮想リソースブロックＤＶＲＢは、ＤＶＲＢ１０、ＤＶＲＢ１２、ＤＶＲＢ１４、ＤＶＲＢ１６、ＤＶＲＢ１８、ＤＶＲＢ１１、ＤＶＲＢ１３、ＤＶＲＢ１５、ＤＶＲＢ１７の順に並んだものとなる。
【０１２４】
前述の６番目のステップにより、第２の分散仮想リソースブロックＤＶＲＢユニットグループとは各領域に割り当てられる分散仮想リソースブロックＤＶＲＢが異なる第２の分散仮想リソースブロックＤＶＲＢユニットグループを構成する。すなわち、第１の分散仮想リソースブロックＤＶＲＢユニットグループの領域Ｘに割り当てられた分散仮想リソースブロックＤＶＲＢと領域Ｙに割り当てられた分散仮想リソースブロックＤＶＲＢを交換して第２の分散仮想リソースブロックＤＶＲＢユニットグループを構成する。
【０１２５】
図１２は、分散仮想リソースブロックＤＶＲＢと物理リソースブロックＰＲＢペアとの対応付け規則の第１の例を示す図である。図１２において、横軸に周波数をとり、各四角形が物理リソースブロックＰＲＢペアにおける各スロットの領域を示す。各四角形すなわち、各物理リソースブロックＰＲＢペアの各スロットに付したＤＶＲＢ１、ＤＶＲＢ２・・・ＤＶＲＢ１８の符号各々は、該当領域に割り当てられるＶＲＢ番号１〜１８の分散仮想リソースブロックＤＶＲＢを表し、各周波数領域に付した符号ＰＲＢ１、ＰＲＢ２、・・・ＰＲＢ１８は、該当領域の物理リソースブロックＰＲＢペアの最初の物理リソースブロックＰＲＢのＰＲＢ番号が１、２、・・・１８であることを示す。
【０１２６】
前述の７番目のステップにより、ＰＲＢ番号１〜９の物理リソースブロックＰＲＢペアに対して５番目のステップで生成した第１の分散仮想リソースブロックＤＶＲＢユニットグループを対応付けし、ＰＲＢ番号１０〜１８の物理リソースブロックＰＲＢペアに対して６番目のステップで生成した第２の分散仮想リソースブロックＤＶＲＢユニットグループを対応付けする。さらに、領域Ｘにはサブフレームの１番目のスロットを対応付けし、領域Ｙにはサブフレームの２番目のスロットを対応付けする。これにより、図１２に示すように、ＰＲＢ番号１〜１８の物理リソースブロックＰＲＢペアに対して、各々の１番目のスロットには、ＶＲＢ番号が、１、３、５、７、９、２、４、６、８、１０、１２、１４、１６、１８、１１、１３、１５、１７の分散仮想リソースブロックＤＶＲＢが割り当てられ、各々の２番目のスロットには、１０、１２、１４、１６、１８、１１、１３、１５、１７、１、３、５、７、９、２、４、６、８の分散仮想リソースブロックＤＶＲＢが割り当てられる。
【０１２７】
次に図１３から図１７を用いて、分散仮想リソースブロックＤＶＲＢと物理リソースブロックＰＲＢペアの対応付け規則の第２の例を説明する。図１３（ａ）は、第２の対応付け規則例におけるシステム帯域幅の物理リソースブロックＰＲＢペアを示す図である。図１３（ａ）において、横軸に周波数をとり、各四角形が物理リソースブロックＰＲＢペアを示し、これらの四角形に付した符号ＰＲＢ１〜ＰＲＢ１２は、それぞれＰＲＢ番号１から１２の物理リソースブロックＰＲＢペアであることを表す。
【０１２８】
第２の対応付け規則例では、多重数Ｎｄが「２」、システム帯域幅の物理リソースブロックＰＲＢペアの総数Ｎ＿ＰＲＢが「１２」個、セット数Ｍが「２」個の場合について説明する。説明の簡略化のため、図８〜１２にて示した第１の対応付け規則例と異なる部分について説明する。物理リソースブロックの総数Ｎ＿ＰＲＢが「１２」で、多重数Ｎｄが「２」であるので、この第２の対応付け規則例では、前述の１番目のステップにより、図１３（ｂ）に示すように、分散仮想リソースブロックＤＶＲＢの総数Ｎ＿ＤＶＲＢを「１２」個とし、分散仮想リソースブロックＤＶＲＢ１〜ＤＶＲＢ１２について対応付けをする。
【０１２９】
図１４は、第２の対応付け規則例における分散仮想リソースブロックＤＶＲＢユニットを示す図である。第２の対応付け規則例の場合、前述の２番目および３番目のステップにより、図１４に示すように６個の分散仮想リソースブロックＤＶＲＢユニットＤＵ１〜ＤＵ６を構成する。６個の分散仮想リソースブロックＤＶＲＢユニットＤＵ１〜ＤＵ６それぞれの領域Ｘには、ＶＲＢ番号が１、２、３、４、５、６の分散仮想リソースブロックＤＶＲＢ（符号ＤＶＲＢ１、ＤＶＲＢ２、ＤＶＲＢ３、ＤＶＲＢ４、ＤＶＲＢ５、ＤＶＲＢ６）が割り当てられる。また、分散仮想リソースブロックＤＶＲＢユニットＤＵ１〜ＤＵ６それぞれの領域Ｙには、ＶＲＢ番号が７、８、９、１０、１１、１２の分散仮想リソースブロックＤＶＲＢ（符号ＤＶＲＢ７、ＤＶＲＢ８、ＤＶＲＢ９、ＤＶＲＢ１０、ＤＶＲＢ１１、ＤＶＲＢ１２）が割り当てられる。
【０１３０】
図１５は、第２の対応付け規則例における分散仮想リソースブロックＤＶＲＢユニットセットを示す図である。図１５に示すように、６個の分散仮想リソースブロックＤＶＲＢユニットから、２（Ｍ）個の分散仮想リソースブロックＤＶＲＢユニットにより構成される分散仮想リソースブロックＤＶＲＢユニットセットを、前述の４番目のステップにより３個（ＤＵＳ１〜ＤＵＳ３）生成する。分散仮想リソースブロックＤＶＲＢユニットセットＤＵＳ１は、分散仮想リソースブロックＤＶＲＢユニットＤＵ１、ＤＵ２とから構成される。同様に、分散仮想リソースブロックＤＶＲＢユニットセットＤＵＳ２は、分散仮想リソースブロックＤＶＲＢユニットＤＵ３、ＤＵ４とから構成される。同様に、分散仮想リソースブロックＤＶＲＢユニットセットＤＵＳ３は、分散仮想リソースブロックＤＶＲＢユニットＤＵ５、ＤＵ６とから構成される。このとき、６個の分散仮想リソースブロックＤＶＲＢユニットを２で均等に分けることができるため、ブランクは用いない。
【０１３１】
図１６は、第２の対応付け規則例における第１のおよび第２の分散仮想リソースブロックＤＶＲＢユニットグループを示す図である。前述の５番目のステップにより、第１次分散仮想リソースブロックＤＶＲＢユニットグループは、図１６に示すように、分散仮想リソースブロックＤＶＲＢユニットがＤＵ１、ＤＵ３、ＤＵ５、ＤＵ２、ＤＵ４、ＤＵ６の順に並んだものとなる。すなわち、領域Ｘに割り当てられる分散仮想リソースブロックＤＶＲＢは、ＤＶＲＢ１、ＤＶＲＢ３、ＤＶＲＢ５、ＤＶＲＢ２、ＤＶＲＢ４、ＤＶＲＢ６の順に並び、領域Ｙに割り当てられる分散仮想リソースブロックＤＶＲＢは、ＤＶＲＢ７、ＤＶＲＢ９、ＤＶＲＢ１１、ＤＶＲＢ８、ＤＶＲＢ１０、ＤＶＲＢ１２の順に並んだものとなる。
【０１３２】
また、第２の分散仮想リソースブロックＤＶＲＢユニットグループは、前述の６番目のステップにより、図１６に示すように、第１の分散仮想リソースブロックＤＶＲＢユニットグループの領域Ｘに割り当てられた分散仮想リソースブロックＤＶＲＢと領域Ｙに割り当てられた分散仮想リソースブロックＤＶＲＢを交換したものとなる。すなわち、第２次分散仮想リソースブロックＤＶＲＢユニットグループは、領域Ｘに割り当てられる分散仮想リソースブロックＤＶＲＢは、ＤＶＲＢ７、ＤＶＲＢ９、ＤＶＲＢ１１、ＤＶＲＢ８、ＤＶＲＢ１０、ＤＶＲＢ１２の順に並び、領域Ｙに割り当てられる分散仮想リソースブロックＤＶＲＢは、ＤＶＲＢ１、ＤＶＲＢ３、ＤＶＲＢ５、ＤＶＲＢ２、ＤＶＲＢ４、ＤＶＲＢ６の順に並んだものとなる。
【０１３３】
図１７は、分散仮想リソースブロックＤＶＲＢと物理リソースブロックＰＲＢペアとの対応付け規則の第２の例を示す図である。図１７において、横軸に周波数をとり、各四角形が物理リソースブロックＰＲＢペアにおける各スロットの領域を示す。各四角形すなわち、各物理リソースブロックＰＲＢペアの各スロットに付したＤＶＲＢ１、ＤＶＲＢ２・・・ＤＶＲＢ１２の符号各々は、該当領域に割り当てられるＶＲＢ番号１〜１２の分散仮想リソースブロックＤＶＲＢを表し、各周波数領域に付した符号ＰＲＢ１、ＰＲＢ２、・・・ＰＲＢ１２は、該当領域の物理リソースブロックＰＲＢペアの最初の物理リソースブロックＰＲＢのＰＲＢ番号が１、２、・・・１２であることを示す。
【０１３４】
前述の７番目のステップにより、ＰＲＢ番号１〜９の物理リソースブロックＰＲＢペアに対して５番目のステップで生成した第１の分散仮想リソースブロックＤＶＲＢユニットグループを対応付けし、ＰＲＢ番号１０〜１８の物理リソースブロックＰＲＢペアに対して６番目のステップで生成した第２の分散仮想リソースブロックＤＶＲＢユニットグループを対応付けする。さらに、領域Ｘにはサブフレームの１番目のスロットを対応付けし、領域Ｙにはサブフレームの２番目のスロットを対応付けする。これにより、図１７に示すように、ＰＲＢ番号１〜１２の物理リソースブロックＰＲＢペアに対して、各々の１番目のスロットには、ＶＲＢ番号が、１、３、５、７、９、２、４、６、８、１０、１２、１４、１６、１８、１１、１３、１５、１７の分散仮想リソースブロックＤＶＲＢが割り当てられ、各々の２番目のスロットには、１０、１２、１４、１６、１８、１１、１３、１５、１７、１、３、５、７、９、２、４、６、８の分散仮想リソースブロックＤＶＲＢが割り当てられる。
【０１３５】
次に、図１８から図２２を用いて、分散仮想リソースブロックＤＶＲＢと物理リソースブロックＰＲＢペアの対応付け規則の第３の例を説明する。図１８（ａ）は、第２の対応付け規則例におけるシステム帯域幅の物理リソースブロックＰＲＢペアを示す図である。図１８（ａ）において、横軸に周波数をとり、各四角形が物理リソースブロックＰＲＢペアを示し、これらの四角形に付した符号ＰＲＢ１〜ＰＲＢ１５は、それぞれＰＲＢ番号１から１５の物理リソースブロックＰＲＢペアであることを表す。
【０１３６】
第３の対応付け規則例では、多重数Ｎｄが「２」、システム帯域幅の物理リソースブロックＰＲＢペアの総数Ｎ＿ＰＲＢが「１５」個、セット数Ｍが「２」個の場合について説明する。説明の簡略化のため、図８〜１２にて示した第１の対応付け規則例と異なる部分について説明する。物理リソースブロックの総数Ｎ＿ＰＲＢが「１５」であり、多重数Ｎｄが「２」であるので、この第２の対応付け規則例では、前述の１番目のステップにより、図１８（ｂ）に示すように、分散仮想リソースブロックＤＶＲＢの総数Ｎ＿ＤＶＲＢを、「１４」個とし、分散仮想リソースブロックＤＶＲＢ１〜ＤＶＲＢ１４について対応付けをする。
【０１３７】
図１９は、第３の対応付け規則例における分散仮想リソースブロックＤＶＲＢユニットを示す図である。第３の対応付け規則例の場合、前述の２番目および３番目のステップにより、図１９に示すように７個の分散仮想リソースブロックＤＶＲＢユニットＤＵ１〜ＤＵ７を構成する。７個の分散仮想リソースブロックＤＶＲＢユニットＤＵ１〜ＤＵ７それぞれの領域Ｘには、ＶＲＢ番号が１、２、３、４、５、６、７の分散仮想リソースブロックＤＶＲＢ（符号ＤＶＲＢ１、ＤＶＲＢ２、ＤＶＲＢ３、ＤＶＲＢ４、ＤＶＲＢ５、ＤＶＲＢ６、ＤＶＲＢ７）が割り当てられる。また、７個の分散仮想リソースブロックＤＶＲＢユニットＤＵ１〜ＤＵ７それぞれの領域Ｙには、ＶＲＢ番号が８、９、１０、１１、１２、１３、１４の分散仮想リソースブロックＤＶＲＢ（符号ＤＶＲＢ８、ＤＶＲＢ９、ＤＶＲＢ１０、ＤＶＲＢ１１、ＤＶＲＢ１２、ＤＶＲＢ１４）が割り当てられる。
【０１３８】
図２０は、第３の対応付け規則例における分散仮想リソースブロックＤＶＲＢユニットセットを示す図である。図２０に示すように、７個の分散仮想リソースブロックＤＶＲＢユニットから、２（Ｍ）個の分散仮想リソースブロックＤＶＲＢユニットにより構成される分散仮想リソースブロックＤＶＲＢユニットセットを、前述の４番目のステップにより４個（ＤＵＳ１〜ＤＵＳ４）生成する。分散仮想リソースブロックＤＶＲＢユニットセットＤＵＳ１は、分散仮想リソースブロックＤＶＲＢユニットＤＵ１、ＤＵ２とから構成される。同様に、分散仮想リソースブロックＤＶＲＢユニットセットＤＵＳ２は、分散仮想リソースブロックＤＶＲＢユニットＤＵ３、ＤＵ４とから構成される。同様に、分散仮想リソースブロックＤＶＲＢユニットセットＤＵＳ３は、分散仮想リソースブロックＤＶＲＢユニットＤＵ５、ＤＵ６とから構成される。分散仮想リソースブロックＤＶＲＢユニットセットＤＵＳ４は、分散仮想リソースブロックＤＶＲＢユニットＤＵ７とブランクから構成される。
【０１３９】
図２１は、第３の対応付け規則例における第１のおよび第２の分散仮想リソースブロックＤＶＲＢユニットグループを示す図である。前述の５番目のステップにより、第１次分散仮想リソースブロックＤＶＲＢユニットグループは、図２１に示すように、分散仮想リソースブロックＤＶＲＢユニットがＤＵ１、ＤＵ３、ＤＵ５、ＤＵ７、ＤＵ２、ＤＵ４、ＤＵ６の順に並んだものとなる。すなわち、領域Ｘに割り当てられる分散仮想リソースブロックＤＶＲＢは、ＤＶＲＢ１、ＤＶＲＢ３、ＤＶＲＢ５、ＤＶＲＢ７、ＤＶＲＢ２、ＤＶＲＢ４、ＤＶＲＢ６の順に並び、領域Ｙに割り当てられる分散仮想リソースブロックＤＶＲＢは、ＤＶＲＢ８、ＤＶＲＢ１０、ＤＶＲＢ１２、ＤＶＲＢ１４、ＤＶＲＢ９、ＤＶＲＢ１１、ＤＶＲＢ１３の順に並んだものとなる。
【０１４０】
また、第２の分散仮想リソースブロックＤＶＲＢユニットグループは、前述の６番目のステップにより、図２１に示すように、第１の分散仮想リソースブロックＤＶＲＢユニットグループの領域Ｘに割り当てられた分散仮想リソースブロックＤＶＲＢと領域Ｙに割り当てられた分散仮想リソースブロックＤＶＲＢを交換したものとなる。すなわち、第２次分散仮想リソースブロックＤＶＲＢユニットグループは、領域Ｘに割り当てられる分散仮想リソースブロックＤＶＲＢは、ＤＶＲＢ８、ＤＶＲＢ１０、ＤＶＲＢ１２、ＤＶＲＢ１４、ＤＶＲＢ９、ＤＶＲＢ１１、ＤＶＲＢ１３の順に並び、領域Ｙに割り当てられる分散仮想リソースブロックＤＶＲＢは、ＤＶＲＢ１、ＤＶＲＢ３、ＤＶＲＢ５、ＤＶＲＢ７、ＤＶＲＢ２、ＤＶＲＢ４、ＤＶＲＢ６の順に並んだものとなる。
【０１４１】
図２２は、分散仮想リソースブロックＤＶＲＢと物理リソースブロックＰＲＢペアとの対応付け規則の第３の例を示す図である。図２２において、横軸に周波数をとり、各四角形が物理リソースブロックＰＲＢペアにおける各スロットの領域を示す。各四角形すなわち、各物理リソースブロックＰＲＢペアの各スロットに付したＤＶＲＢ１、ＤＶＲＢ２・・・ＤＶＲＢ１４の符号各々は、該当領域に割り当てられるＶＲＢ番号１〜１４の分散仮想リソースブロックＤＶＲＢを表し、各周波数領域に付した符号ＰＲＢ１、ＰＲＢ２、・・・ＰＲＢ１５は、該当領域の物理リソースブロックＰＲＢペアの最初の物理リソースブロックＰＲＢのＰＲＢ番号が１、２、・・・１５であることを示す。
【０１４２】
第３の対応付け規則例の場合、分散仮想リソースブロックＤＶＲＢの総数Ｎ＿ＤＶＲＢ「１４」より物理リソースブロックＰＲＢの総数Ｎ＿ＰＲＢ「１５」が１個多いため、前述の７番目のステップにより、ＰＲＢ番号１〜７の物理リソースブロックＰＲＢペアに対して５番目のステップで生成した第１の分散仮想リソースブロックＤＶＲＢユニットグループを対応付けし、ＰＲＢ番号８の物理リソースブロックＰＲＢはブランクとし、ＰＲＢ番号９〜１５の物理リソースブロックＰＲＢペアに対して６番目のステップで生成した第２の分散仮想リソースブロックＤＶＲＢユニットグループを対応付けする。
【０１４３】
さらに、領域Ｘにはサブフレームの１番目のスロットを対応付けし、領域Ｙにはサブフレームの２番目のスロットを対応付けする。これにより、図２２に示すように、ＰＲＢ番号１〜１５の物理リソースブロックＰＲＢペアに対して、各々の１番目のスロットには、ＶＲＢ番号が、１、３、５、７、２、４、６、ブランク、８、１０、１２、１４、１６、９、の分散仮想リソースブロックＤＶＲＢが割り当てられ、各々の２番目のスロットには、８、１０、１２、１４、９、１１、１３、ブランク、１、３、５、７、２、４、６の分散仮想リソースブロックＤＶＲＢが割り当てられる。
【０１４４】
次に図２３から図２７を用いて、分散仮想リソースブロックＤＶＲＢと物理リソースブロックＰＲＢペアの対応付け規則の第４の例を説明する。図２３（ａ）は、第４の対応付け規則例におけるシステム帯域幅の物理リソースブロックＰＲＢペアを示す図である。図２３（ａ）において、横軸に周波数をとり、各四角形が物理リソースブロックＰＲＢペアを示し、これらの四角形に付した符号ＰＲＢ１〜ＰＲＢ１８は、それぞれＰＲＢ番号１から１８の物理リソースブロックＰＲＢペアであることを表す。
【０１４５】
第４の対応付け規則例では、多重数Ｎｄが「３」、システム帯域幅の物理リソースブロックＰＲＢペアの総数Ｎ＿ＰＲＢが「１８」個、セット数Ｍが「２」個の場合について説明する。説明の簡略化のため、図８〜１２にて示した第１の対応付け規則例と異なる部分について説明する。物理リソースブロックの総数Ｎ＿ＰＲＢが「１８」であり、多重数Ｎｄが「３」であるので、この第４の対応付け規則例では、前述の１番目のステップにより、図２３（ｂ）に示すように、分散仮想リソースブロックＤＶＲＢの総数Ｎ＿ＤＶＲＢを、「１８」個とし、分散仮想リソースブロックＤＶＲＢ１〜ＤＶＲＢ１８について対応付けをする。
【０１４６】
図２４は、第４の対応付け規則例における分散仮想リソースブロックＤＶＲＢユニットを示す図である。第４の対応付け規則例の場合、前述の２番目および３番目のステップにより、図２４に示すように、分散仮想リソースブロックＤＶＲＢの総数Ｎ＿ＤＶＲＢ「１８」を多重数Ｎｄ「３」で割った値である６個の分散仮想リソースブロックＤＶＲＢユニットＤＵ１〜ＤＵ６を構成する。第４の対応付け規則例は、多重数Ｎｄが「３」なので、各分散仮想リソースブロックＤＶＲＢユニットは、３つの領域Ｘ、Ｙ、Ｚに分割される。６個の分散仮想リソースブロックＤＶＲＢユニットＤＵ１〜ＤＵ６それぞれの領域Ｘには、ＶＲＢ番号が１、２、３、４、５、６の分散仮想リソースブロックＤＶＲＢ（符号ＤＶＲＢ１、ＤＶＲＢ２、ＤＶＲＢ３、ＤＶＲＢ４、ＤＶＲＢ５、ＤＶＲＢ６）が割り当てられる。
【０１４７】
また、分散仮想リソースブロックＤＶＲＢユニットＤＵ１〜ＤＵ６それぞれの領域Ｙには、ＶＲＢ番号が７、８、９、１０、１１、１２の分散仮想リソースブロックＤＶＲＢ（符号ＤＶＲＢ７、ＤＶＲＢ８、ＤＶＲＢ９、ＤＶＲＢ１０、ＤＶＲＢ１１、ＤＶＲＢ１２）が割り当てられる。また、分散仮想リソースブロックＤＶＲＢユニットＤＵ１〜ＤＵ６それぞれの領域Ｚには、ＶＲＢ番号が１３、１４、１５、１６、１７、１８の分散仮想リソースブロックＤＶＲＢ（符号ＤＶＲＢ１３、ＤＶＲＢ１４、ＤＶＲＢ１５、ＤＶＲＢ１６、ＤＶＲＢ１７、ＤＶＲＢ１８）が割り当てられる。
【０１４８】
図２５は、第４の対応付け規則例における分散仮想リソースブロックＤＶＲＢユニットセットを示す図である。図２５に示すように、６個の分散仮想リソースブロックＤＶＲＢユニットから、２（Ｍ）個の分散仮想リソースブロックＤＶＲＢユニットにより構成される分散仮想リソースブロックＤＶＲＢユニットセットを、前述の４番目のステップにより３個（ＤＵＳ１〜ＤＵＳ３）（６を２で割った切り上げ：ＣＥＩＬＩＮＧ（６／２））生成する。分散仮想リソースブロックＤＶＲＢユニットセットＤＵＳ１は、分散仮想リソースブロックＤＶＲＢユニットＤＵ１、ＤＵ２とから構成される。同様に、分散仮想リソースブロックＤＶＲＢユニットセットＤＵＳ２は、分散仮想リソースブロックＤＶＲＢユニットＤＵ３、ＤＵ４とから構成される。同様に、分散仮想リソースブロックＤＶＲＢユニットセットＤＵＳ３は、分散仮想リソースブロックＤＶＲＢユニットＤＵ５、ＤＵ６とから構成される。ここで、各分散仮想リソースブロックＤＶＲＢユニットに対して各分散仮想リソースブロックＤＶＲＢユニットセット内における番号付け（１−１、１−２、２−１、２−２、３−１、３−２）を行う。
【０１４９】
図２６は、第４の対応付け規則例における第１、第２および第３の分散仮想リソースブロックＤＶＲＢユニットグループを示す図である。前述の５番目のステップにより、全ての分散仮想リソースブロックＤＶＲＢユニットにより第１の分散仮想リソースブロックＤＶＲＢユニットグループを構成する。すなわち、第１の分散仮想リソースブロックＤＶＲＢユニットグループには、各分散仮想リソースブロックＤＶＲＢユニットセット内で小さい番号が付けられた分散仮想リソースブロックＤＶＲＢユニットセット１の１−１、分散仮想リソースブロックＤＶＲＢユニットセット２の２−１、分散仮想リソースブロックＤＶＲＢユニットセット３の３−１の順に追加された後に、各分散仮想リソースブロックＤＶＲＢユニットセット内で大きい番号が付けられた分散仮想リソースブロックＤＶＲＢユニットセット１の１−２、分散仮想リソースブロックＤＶＲＢユニットセット２の２−２、分散仮想リソースブロックＤＶＲＢユニットセット３の３−２の順に追加される。
【０１５０】
これにより、第１の分散仮想リソースブロックＤＶＲＢユニットグループは、図２６に示すように、分散仮想リソースブロックＤＶＲＢユニットがＤＵ１、ＤＵ３、ＤＵ５、ＤＵ２、ＤＵ４、ＤＵ６の順に並んだものとなる。すなわち、領域Ｘに割り当てられる分散仮想リソースブロックＤＶＲＢは、ＤＶＲＢ１、ＤＶＲＢ３、ＤＶＲＢ５、ＤＶＲＢ２、ＤＶＲＢ４、ＤＶＲＢ６の順に並び、領域Ｙに割り当てられる分散仮想リソースブロックＤＶＲＢは、ＤＶＲＢ７、ＤＶＲＢ９、ＤＶＲＢ１１、ＤＶＲＢ８、ＤＶＲＢ１０、ＤＶＲＢ１２の順に並び、領域Ｚに割り当てられる分散仮想リソースブロックＤＶＲＢは、ＤＶＲＢ１３、ＤＶＲＢ１５、ＤＶＲＢ１７、ＤＶＲＢ１４、ＤＶＲＢ１６、ＤＶＲＢ１８の順に並んだものとなる。
【０１５１】
また、第２の分散仮想リソースブロックＤＶＲＢユニットグループは、前述の６番目のステップにより、図２６に示すように、第１の分散仮想リソースブロックＤＶＲＢユニットグループの領域Ｘに割り当てられた分散仮想リソースブロックＤＶＲＢを領域Ｙに、領域Ｙに割り当てられた分散仮想リソースブロックＤＶＲＢを領域Ｚに、領域Ｚに割り当てられた分散仮想リソースブロックＤＶＲＢを領域Ｘにしたものとなる。すなわち、第２の分散仮想リソースブロックＤＶＲＢユニットグループは、領域Ｘに割り当てられる分散仮想リソースブロックＤＶＲＢは、ＤＶＲＢ１３、ＤＶＲＢ１５、ＤＶＲＢ１７、ＤＶＲＢ１４、ＤＶＲＢ１６、ＤＶＲＢ１８の順に並び、領域Ｙに割り当てられる分散仮想リソースブロックＤＶＲＢは、ＤＶＲＢ１、ＤＶＲＢ３、ＤＶＲＢ５、ＤＶＲＢ２、ＤＶＲＢ４、ＤＶＲＢ６の順に並び、領域Ｚに割り当てられる分散仮想リソースブロックＤＶＲＢは、ＤＶＲＢ７、ＤＶＲＢ９、ＤＶＲＢ１１、ＤＶＲＢ８、ＤＶＲＢ１０、ＤＶＲＢ１２の順に並んだものとなる。
【０１５２】
また、第３の分散仮想リソースブロックＤＶＲＢユニットグループは、前述の６番目のステップにより、図２６に示すように、第２の分散仮想リソースブロックＤＶＲＢユニットグループの領域Ｘに割り当てられた分散仮想リソースブロックＤＶＲＢを領域Ｙに、領域Ｙに割り当てられた分散仮想リソースブロックＤＶＲＢを領域Ｚに、領域Ｚに割り当てられた分散仮想リソースブロックＤＶＲＢを領域Ｘにしたものとなる。すなわち、第３の分散仮想リソースブロックＤＶＲＢユニットグループは、領域Ｘに割り当てられる分散仮想リソースブロックＤＶＲＢは、ＤＶＲＢ７、ＤＶＲＢ９、ＤＶＲＢ１１、ＤＶＲＢ８、ＤＶＲＢ１０、ＤＶＲＢ１２の順に並び、領域Ｙに割り当てられる分散仮想リソースブロックＤＶＲＢは、ＤＶＲＢ１３、ＤＶＲＢ１５、ＤＶＲＢ１７、ＤＶＲＢ１４、ＤＶＲＢ１６、ＤＶＲＢ１８の順に並び、領域Ｚに割り当てられる分散仮想リソースブロックＤＶＲＢは、ＤＶＲＢ１、ＤＶＲＢ３、ＤＶＲＢ５、ＤＶＲＢ２、ＤＶＲＢ４、ＤＶＲＢ６の順に並んだものとなる。
【０１５３】
図２７は、分散仮想リソースブロックＤＶＲＢと物理リソースブロックＰＲＢペアとの対応付け規則の第４の例を示す図である。図２７において、横軸に周波数をとり、各四角形が物理リソースブロックＰＲＢペアにおける各スロットの領域を示す。各四角形すなわち、各物理リソースブロックＰＲＢペアの各スロットに付したＤＶＲＢ１、ＤＶＲＢ２・・・ＤＶＲＢ１８の符号各々は、該当領域に割り当てられるＶＲＢ番号１〜１８の分散仮想リソースブロックＤＶＲＢを表し、各周波数領域に付した符号ＰＲＢ１、ＰＲＢ２、・・・ＰＲＢ１８は、該当領域の物理リソースブロックＰＲＢペアの最初の物理リソースブロックＰＲＢのＰＲＢ番号が１、２、・・・１８であることを示す。
【０１５４】
前述の７番目のステップにより、ＰＲＢ番号１〜６の物理リソースブロックＰＲＢペアに対して５番目のステップで生成した第１の分散仮想リソースブロックＤＶＲＢユニットグループを対応付けし、ＰＲＢ番号７〜１２の物理リソースブロックＰＲＢペアに対して６番目のステップで生成した第２の分散仮想リソースブロックＤＶＲＢユニットグループを対応付けし、ＰＲＢ番号１３〜１８の物理リソースブロックＰＲＢペアに対して６番目のステップで生成した第３の分散仮想リソースブロックＤＶＲＢユニットグループを対応付けする。
【０１５５】
さらに、領域ＸはサブフレームをＯＦＤＭシンボルベースホッピングにて分割した領域Ａ（４番目と７番目と１０番目と１３番目のＯＦＤＭシンボル）に対応付けし、領域Ｙはサブフレームの領域Ｂ（６番目と９番目と１２番目のＯＦＤＭシンボル）に対応付けし、領域Ｚはサブフレームの領域Ｃ（５番目と８番目と１１番目と１４番目のＯＦＤＭシンボル）に対応付けする。これにより、図２７に示すように、ＰＲＢ番号１〜１８の物理リソースブロックＰＲＢペアに対して、各々の領域Ａには、ＶＲＢ番号が、１、３、５、２、４、６、１３、１５、１７、１４、１６、１８、７、９、１１、８、１０、１２の分散仮想リソースブロックＤＶＲＢが割り当てられ、各々の領域Ｂには、７、９、１１、８、１０、１２、１、３、５、２、４、６、１３、１５、１７、１４、１６、１８の分散仮想リソースブロックＤＶＲＢが割り当てられ、各々の領域Ｃには、１３、１５、１７、１４、１６、１８、７、９、１１、８、１０、１２、１、３、５、２、４、６の分散仮想リソースブロックＤＶＲＢが割り当てられる。
【０１５６】
次に図２８から図３２を用いて、分散仮想リソースブロックＤＶＲＢと物理リソースブロックＰＲＢペアの対応付け規則の第５の例を説明する。図２８（ａ）は、第５の対応付け規則例におけるシステム帯域幅の物理リソースブロックＰＲＢペアを示す図である。図２８（ａ）において、横軸に周波数をとり、各四角形が物理リソースブロックＰＲＢペアを示し、これらの四角形に付した符号ＰＲＢ１〜ＰＲＢ１５は、それぞれＰＲＢ番号１から１５の物理リソースブロックＰＲＢペアであることを表す。
【０１５７】
第５の対応付け規則例では、多重数Ｎｄが「３」、システム帯域幅の物理リソースブロックＰＲＢペアの総数Ｎ＿ＰＲＢが「１５」個、セット数Ｍが「２」個の場合について説明する。説明の簡略化のため、図８〜１２にて示した第１の対応付け規則例と異なる部分について説明する。物理リソースブロックの総数Ｎ＿ＰＲＢが「１５」であり、多重数Ｎｄが「３」であるので、この第５の対応付け規則例では、前述の１番目のステップにより、図２８（ｂ）に示すように、分散仮想リソースブロックＤＶＲＢの総数Ｎ＿ＤＶＲＢを、「１５」個とし、分散仮想リソースブロックＤＶＲＢ１〜ＤＶＲＢ１５について対応付けをする。
【０１５８】
図２９は、第５の対応付け規則例における分散仮想リソースブロックＤＶＲＢユニットを示す図である。第５の対応付け規則例の場合、前述の２番目および３番目のステップにより、図２９に示すように５個の分散仮想リソースブロックＤＶＲＢユニットＤＵ１〜ＤＵ５を構成する。５個の分散仮想リソースブロックＤＶＲＢユニットＤＵ１〜ＤＵ５それぞれの領域Ｘには、ＶＲＢ番号が１、２、３、４、５の分散仮想リソースブロックＤＶＲＢ（符号ＤＶＲＢ１、ＤＶＲＢ２、ＤＶＲＢ３、ＤＶＲＢ４、ＤＶＲＢ５）が割り当てられる。また、５個の分散仮想リソースブロックＤＶＲＢユニットＤＵ１〜ＤＵ５それぞれの領域Ｙには、ＶＲＢ番号が６、７、８、９、１０の分散仮想リソースブロックＤＶＲＢ（符号ＤＶＲＢ６、ＤＶＲＢ７、ＤＶＲＢ８、ＤＶＲＢ９、ＤＶＲＢ１０）が割り当てられる。また、５個の分散仮想リソースブロックＤＶＲＢユニットＤＵ１〜ＤＵ５それぞれの領域Ｚには、ＶＲＢ番号が１１、１２、１３、１４、１５の分散仮想リソースブロックＤＶＲＢ（符号ＤＶＲＢ１１、ＤＶＲＢ１２、ＤＶＲＢ１３、ＤＶＲＢ１４、ＤＶＲＢ１５）が割り当てられる。
【０１５９】
図３０は、第５の対応付け規則例における分散仮想リソースブロックＤＶＲＢユニットセットを示す図である。図３０に示すように、５個の分散仮想リソースブロックＤＶＲＢユニットから、２（Ｍ）個の分散仮想リソースブロックＤＶＲＢユニットにより構成される分散仮想リソースブロックＤＶＲＢユニットセットを、前述の４番目のステップにより３個（ＤＵＳ１〜ＤＵＳ３）（５を２で割った切り上げ：ＣＥＩＬＩＮＧ（５／２））生成する。分散仮想リソースブロックＤＶＲＢユニットセットＤＵＳ１は、分散仮想リソースブロックＤＶＲＢユニットＤＵ１、ＤＵ２とから構成される。同様に、分散仮想リソースブロックＤＶＲＢユニットセットＤＵＳ２は、分散仮想リソースブロックＤＶＲＢユニットＤＵ３、ＤＵ４とから構成される。同様に、分散仮想リソースブロックＤＶＲＢユニットセットＤＵＳ３は、分散仮想リソースブロックＤＶＲＢユニットＤＵ５とブランクとから構成される。
【０１６０】
図３１は、第５の対応付け規則例における第１、第２および第３の分散仮想リソースブロックＤＶＲＢユニットグループを示す図である。前述の５番目のステップにより、第１の分散仮想リソースブロックＤＶＲＢユニットグループは、図３１に示すように、分散仮想リソースブロックＤＶＲＢユニットがＤＵ１、ＤＵ３、ＤＵ５、ＤＵ２、ＤＵ４の順に並んだものとなる。このとき、分散仮想リソースブロックＤＶＲＢユニットセットＤＵＳ３のブランクは、第１の分散仮想リソースブロックＤＶＲＢユニットグループには、割り当てない。すなわち、領域Ｘに割り当てられる分散仮想リソースブロックＤＶＲＢは、ＤＶＲＢ１、ＤＶＲＢ３、ＤＶＲＢ５、ＤＶＲＢ２、ＤＶＲＢ４の順に並び、領域Ｙに割り当てられる分散仮想リソースブロックＤＶＲＢは、ＤＶＲＢ６、ＤＶＲＢ８、ＤＶＲＢ１０、ＤＶＲＢ７、ＤＶＲＢ９の順に並び、領域Ｚに割り当てられる分散仮想リソースブロックＤＶＲＢは、ＤＶＲＢ１１、ＤＶＲＢ１３、ＤＶＲＢ１５、ＤＶＲＢ１２、ＤＶＲＢ１４の順に並んだものとなる。
【０１６１】
また、第２の分散仮想リソースブロックＤＶＲＢユニットグループは、前述の６番目のステップにより、図３１に示すように、第１の分散仮想リソースブロックＤＶＲＢユニットグループの領域Ｘに割り当てられた分散仮想リソースブロックＤＶＲＢを領域Ｙに、領域Ｙに割り当てられた分散仮想リソースブロックＤＶＲＢを領域Ｚに、領域Ｚに割り当てられた分散仮想リソースブロックＤＶＲＢを領域Ｘにしたものとなる。すなわち、第２の分散仮想リソースブロックＤＶＲＢユニットグループは、領域Ｘに割り当てられる分散仮想リソースブロックＤＶＲＢは、ＤＶＲＢ１１、ＤＶＲＢ１３、ＤＶＲＢ１５、ＤＶＲＢ１２、ＤＶＲＢ１４の順に並び、領域Ｙに割り当てられる分散仮想リソースブロックＤＶＲＢは、ＤＶＲＢ１、ＤＶＲＢ３、ＤＶＲＢ５、ＤＶＲＢ２、ＤＶＲＢ４の順に並び、領域Ｚに割り当てられる分散仮想リソースブロックＤＶＲＢは、ＤＶＲＢ６、ＤＶＲＢ８、ＤＶＲＢ１０、ＤＶＲＢ７、ＤＶＲＢ９の順に並んだものとなる。
【０１６２】
また、第３の分散仮想リソースブロックＤＶＲＢユニットグループは、前述の６番目のステップにより、図３１に示すように、第２の分散仮想リソースブロックＤＶＲＢユニットグループの領域Ｘに割り当てられた分散仮想リソースブロックＤＶＲＢを領域Ｙに、領域Ｙに割り当てられた分散仮想リソースブロックＤＶＲＢを領域Ｚに、領域Ｚに割り当てられた分散仮想リソースブロックＤＶＲＢを領域Ｘにしたものとなる。すなわち、第３の分散仮想リソースブロックＤＶＲＢユニットグループは、領域Ｘに割り当てられる分散仮想リソースブロックＤＶＲＢは、ＤＶＲＢ６、ＤＶＲＢ８、ＤＶＲＢ１０、ＤＶＲＢ７、ＤＶＲＢ９の順に並び、領域Ｙに割り当てられる分散仮想リソースブロックＤＶＲＢは、ＤＶＲＢ１１、ＤＶＲＢ１３、ＤＶＲＢ１５、ＤＶＲＢ１２、ＤＶＲＢ１４の順に並び、領域Ｚに割り当てられる分散仮想リソースブロックＤＶＲＢは、ＤＶＲＢ１、ＤＶＲＢ３、ＤＶＲＢ５、ＤＶＲＢ２、ＤＶＲＢ４の順に並んだものとなる。
【０１６３】
図３２は、分散仮想リソースブロックＤＶＲＢと物理リソースブロックＰＲＢペアとの対応付け規則の第５の例を示す図である。図３２において、横軸に周波数をとり、各四角形が物理リソースブロックＰＲＢペアにおける各スロットの領域を示す。各四角形すなわち、各物理リソースブロックＰＲＢペアの各スロットに付したＤＶＲＢ１、ＤＶＲＢ２・・・ＤＶＲＢ１５の符号各々は、該当領域に割り当てられるＶＲＢ番号１〜１５の分散仮想リソースブロックＤＶＲＢを表し、各周波数領域に付した符号ＰＲＢ１、ＰＲＢ２、・・・ＰＲＢ１５は、該当領域の物理リソースブロックＰＲＢペアの最初の物理リソースブロックＰＲＢのＰＲＢ番号が１、２、・・・１５であることを示す。
【０１６４】
前述の７番目のステップにより、ＰＲＢ番号１〜５の物理リソースブロックＰＲＢペアに対して５番目のステップで生成した第１の分散仮想リソースブロックＤＶＲＢユニットグループを対応付けし、ＰＲＢ番号６〜１０の物理リソースブロックＰＲＢペアに対して６番目のステップで生成した第２の分散仮想リソースブロックＤＶＲＢユニットグループを対応付けし、ＰＲＢ番号１１〜１５の物理リソースブロックＰＲＢペアに対して６番目のステップで生成した第３の分散仮想リソースブロックＤＶＲＢユニットグループを対応付けする。
【０１６５】
さらに、領域ＸはサブフレームをＯＦＤＭシンボルベースホッピングにて分割した領域Ａ（４番目と７番目と１０番目と１３番目のＯＦＤＭシンボル）に対応付けし、領域Ｙはサブフレームの領域Ｂ（６番目と９番目と１２番目のＯＦＤＭシンボル）に対応付けし、領域Ｚはサブフレームの領域Ｃ（５番目と８番目と１１番目と１４番目のＯＦＤＭシンボル）に対応付けする。これにより、図３２に示すように、ＰＲＢ番号１〜１５の物理リソースブロックＰＲＢペアに対して、各々の領域Ａには、ＶＲＢ番号が、１、３、５、２、４、１１、１３、１５、１２、１４、６、８、１０、７、９の分散仮想リソースブロックＤＶＲＢが割り当てられ、各々の領域Ｂには、６、８、１０、７、９、１、３、５、２、４、１１、１３、１５、１２、１４の分散仮想リソースブロックＤＶＲＢが割り当てられ、各々の領域Ｃには、１１、１３、１５、１２、１４、６、８、１０、７、９、１、３、５、２、４の分散仮想リソースブロックＤＶＲＢが割り当てられる。
【０１６６】
次に図３３から図３７を用いて、分散仮想リソースブロックＤＶＲＢと物理リソースブロックＰＲＢペアの対応付け規則の第６の例を説明する。図３３（ａ）は、第６の対応付け規則例におけるシステム帯域幅の物理リソースブロックＰＲＢペアを示す図である。図３３（ａ）において、横軸に周波数をとり、各四角形が物理リソースブロックＰＲＢペアを示し、これらの四角形に付した符号ＰＲＢ１〜ＰＲＢ１９は、それぞれＰＲＢ番号１から１９の物理リソースブロックＰＲＢペアであることを表す。
【０１６７】
第６の対応付け規則例では、多重数Ｎｄが「３」、システム帯域幅の物理リソースブロックＰＲＢペアの総数Ｎ＿ＰＲＢが「１９」個、セット数Ｍが「２」個の場合について説明する。説明の簡略化のため、図８〜１２にて示した第１の対応付け規則例と異なる部分について説明する。物理リソースブロックＰＲＢペアの総数Ｎ＿ＰＲＢが「１９」であり、多重数Ｎｄが「３」であるので、この第６の対応付け規則例では、前述の１番目のステップにより、図３３（ｂ）に示すように、分散仮想リソースブロックＤＶＲＢの総数Ｎ＿ＤＶＲＢを、この最大値である「１８」個とし、分散仮想リソースブロックＤＶＲＢ１〜ＤＶＲＢ１８について対応付けをする。
【０１６８】
図３４は、第６の対応付け規則例における分散仮想リソースブロックＤＶＲＢユニットを示す図である。第６の対応付け規則例の場合、前述の２番目および３番目のステップにより、図３４に示すように６個の分散仮想リソースブロックＤＶＲＢユニットＤＵ１〜ＤＵ６を構成する。６個の分散仮想リソースブロックＤＶＲＢユニットＤＵ１〜ＤＵ６それぞれの領域Ｘには、ＶＲＢ番号が１、２、３、４、５、６の分散仮想リソースブロックＤＶＲＢ（符号ＤＶＲＢ１、ＤＶＲＢ２、ＤＶＲＢ３、ＤＶＲＢ４、ＤＶＲＢ５、ＤＶＲＢ６）が割り当てられる。
【０１６９】
また、６個の分散仮想リソースブロックＤＶＲＢユニットＤＵ１〜ＤＵ６それぞれの領域Ｙには、ＶＲＢ番号が７、８、９、１０、１１、１２の分散仮想リソースブロックＤＶＲＢ（符号ＤＶＲＢ７、ＤＶＲＢ８、ＤＶＲＢ９、ＤＶＲＢ１０、ＤＶＲＢ１１、ＤＶＲＢ１２）が割り当てられる。また６個の分散仮想リソースブロックＤＶＲＢユニットＤＵ１〜ＤＵ６それぞれの領域Ｚには、ＶＲＢ番号が１３、１４、１５、１６、１７、１８の分散仮想リソースブロックＤＶＲＢ（符号ＤＶＲＢ１３、ＤＶＲＢ１４、ＤＶＲＢ１５、ＤＶＲＢ１６、ＤＶＲＢ１７、ＤＶＲＢ１８）が割り当てられる。
【０１７０】
図３５は、第６の対応付け規則例における分散仮想リソースブロックＤＶＲＢユニットセットを示す図である。図３５に示すように、６個の分散仮想リソースブロックＤＶＲＢユニットから、２（Ｍ）個の分散仮想リソースブロックＤＶＲＢユニットにより構成される分散仮想リソースブロックＤＶＲＢユニットセットを、前述の４番目のステップにより３個（ＤＵＳ１〜ＤＵＳ３）生成する。分散仮想リソースブロックＤＶＲＢユニットセットＤＵＳ１は、分散仮想リソースブロックＤＶＲＢユニットＤＵ１、ＤＵ２とから構成される。同様に、分散仮想リソースブロックＤＶＲＢユニットセットＤＵＳ２は、分散仮想リソースブロックＤＶＲＢユニットＤＵ３、ＤＵ４とから構成される。同様に、分散仮想リソースブロックＤＶＲＢユニットセットＤＵＳ３は、分散仮想リソースブロックＤＶＲＢユニットＤＵ５、ＤＵ６とから構成される。
【０１７１】
図３６は、第６の対応付け規則例における第１、第２および第３の分散仮想リソースブロックＤＶＲＢユニットグループを示す図である。前述の５番目のステップにより、第１次分散仮想リソースブロックＤＶＲＢユニットグループは、図３６に示すように、分散仮想リソースブロックＤＶＲＢユニットがＤＵ１、ＤＵ３、ＤＵ５、ＤＵ２、ＤＵ４、ＤＵ６の順に並んだものとなる。すなわち、領域Ｘに割り当てられる分散仮想リソースブロックＤＶＲＢは、ＤＶＲＢ１、ＤＶＲＢ３、ＤＶＲＢ５、ＤＶＲＢ２、ＤＶＲＢ４、ＤＶＲＢ６の順に並び、領域Ｙに割り当てられる分散仮想リソースブロックＤＶＲＢは、ＤＶＲＢ７、ＤＶＲＢ９、ＤＶＲＢ１１、ＤＶＲＢ８、ＤＶＲＢ１０、ＤＶＲＢ１２の順に並び、領域Ｚに割り当てられる分散仮想リソースブロックＤＶＲＢは、ＤＶＲＢ１３、ＤＶＲＢ１５、ＤＶＲＢ１７、ＤＶＲＢ１４、ＤＶＲＢ１６、ＤＶＲＢ１８の順に並んだものとなる。
【０１７２】
また、第２の分散仮想リソースブロックＤＶＲＢユニットグループは、前述の６番目のステップにより、図３６に示すように、第１の分散仮想リソースブロックＤＶＲＢユニットグループの領域Ｘに割り当てられた分散仮想リソースブロックＤＶＲＢを領域Ｙに、領域Ｙに割り当てられた分散仮想リソースブロックＤＶＲＢを領域Ｚに、領域Ｚに割り当てられた分散仮想リソースブロックＤＶＲＢを領域Ｘにしたものとなる。すなわち、第２の分散仮想リソースブロックＤＶＲＢユニットグループは、領域Ｘに割り当てられる分散仮想リソースブロックＤＶＲＢは、ＤＶＲＢ１３、ＤＶＲＢ１５、ＤＶＲＢ１７、ＤＶＲＢ１４、ＤＶＲＢ１６、ＤＶＲＢ１８の順に並び、領域Ｙに割り当てられる分散仮想リソースブロックＤＶＲＢは、ＤＶＲＢ１、ＤＶＲＢ３、ＤＶＲＢ５、ＤＶＲＢ２、ＤＶＲＢ４、ＤＶＲＢ６の順に並び、領域Ｚに割り当てられる分散仮想リソースブロックＤＶＲＢは、ＤＶＲＢ７、ＤＶＲＢ９、ＤＶＲＢ１１、ＤＶＲＢ８、ＤＶＲＢ１０、ＤＶＲＢ１２の順に並んだものとなる。
【０１７３】
また、第３の分散仮想リソースブロックＤＶＲＢユニットグループは、前述の６番目のステップにより、図３６に示すように、第２の分散仮想リソースブロックＤＶＲＢユニットグループの領域Ｘに割り当てられた分散仮想リソースブロックＤＶＲＢを領域Ｙに、領域Ｙに割り当てられた分散仮想リソースブロックＤＶＲＢを領域Ｚに、領域Ｚに割り当てられた分散仮想リソースブロックＤＶＲＢを領域Ｘにしたものとなる。すなわち、第３の分散仮想リソースブロックＤＶＲＢユニットグループは、領域Ｘに割り当てられる分散仮想リソースブロックＤＶＲＢは、ＤＶＲＢ７、ＤＶＲＢ９、ＤＶＲＢ１１、ＤＶＲＢ８、ＤＶＲＢ１０、ＤＶＲＢ１２の順に並び、領域Ｙに割り当てられる分散仮想リソースブロックＤＶＲＢは、ＤＶＲＢ１３、ＤＶＲＢ１５、ＤＶＲＢ１７、ＤＶＲＢ１４、ＤＶＲＢ１６、ＤＶＲＢ１８の順に並び、領域Ｚに割り当てられる分散仮想リソースブロックＤＶＲＢは、ＤＶＲＢ１、ＤＶＲＢ３、ＤＶＲＢ５、ＤＶＲＢ２、ＤＶＲＢ４、ＤＶＲＢ６の順に並んだものとなる。
【０１７４】
図３７（ａ）および図３７（ｂ）は、分散仮想リソースブロックＤＶＲＢと物理リソースブロックＰＲＢペアとの対応付け規則の第６の例を示す図である。図３７（ａ）および図３７（ｂ）において、横軸に周波数をとり、各四角形が物理リソースブロックＰＲＢペアにおける各スロットの領域を示す。各四角形すなわち、各物理リソースブロックＰＲＢペアの各スロットに付したＤＶＲＢ１、ＤＶＲＢ２・・・ＤＶＲＢ１８の符号各々は、該当領域に割り当てられるＶＲＢ番号１〜１８の分散仮想リソースブロックＤＶＲＢを表し、各周波数領域に付した符号ＰＲＢ１、ＰＲＢ２、・・・ＰＲＢ１９は、該当領域の物理リソースブロックＰＲＢペアの最初の物理リソースブロックＰＲＢのＰＲＢ番号が１、２、・・・１９であることを示す。
【０１７５】
この第６の対応付け規則例では、分散仮想リソースブロックＤＶＲＢの総数Ｎ＿ＤＶＲＢ「１８」より物理リソースブロックＰＲＢペアＮ＿ＰＲＢ「１９」が１個多いため、物理リソースブロックＰＲＢペアに、第１、第２および第３の分散仮想リソースブロックＤＶＲＢユニットグループを対応付ける際に、いずれかの物理リソースブロックＰＲＢペアにブランクを対応づける。このとき、ブランクは、システム帯域幅の端部ではなく、分散仮想リソースブロックＤＶＲＢユニットグループの間に対応付けられた方が望ましい。このようにすることで、分散仮想リソースブロックＤＶＲＢユニットグループ間の周波数の違いをブランクを対応付けた物理リソースブロックＰＲＢペアの分、広げることができる。
【０１７６】
図３７（ａ）の例では、前述の７番目のステップにより、ＰＲＢ番号１〜６の物理リソースブロックＰＲＢペアに対して５番目のステップで生成した第１の分散仮想リソースブロックＤＶＲＢユニットグループを対応付けし、ＰＲＢ番号７〜１２の物理リソースブロックＰＲＢペアに対して６番目のステップで生成した第２の分散仮想リソースブロックＤＶＲＢユニットグループを対応付けし、ＰＲＢ番号１３にブランクを対応付けし、ＰＲＢ番号１４〜１９の物理リソースブロックＰＲＢペアに対して６番目のステップで生成した第３の分散仮想リソースブロックＤＶＲＢユニットグループを対応付けする。
【０１７７】
さらに、領域ＸはサブフレームをＯＦＤＭシンボルベースホッピングにて分割した領域Ａ（４番目と７番目と１０番目と１３番目のＯＦＤＭシンボル）に対応付けし、領域Ｙはサブフレームの領域Ｂ（６番目と９番目と１２番目のＯＦＤＭシンボル）に対応付けし、領域Ｚはサブフレームの領域Ｃ（５番目と８番目と１１番目と１４番目のＯＦＤＭシンボル）に対応付けする。これにより、図３７（ａ）に示すように、ＰＲＢ番号１〜１８の物理リソースブロックＰＲＢペアに対して、各々の領域Ａには、ＶＲＢ番号が、１、３、５、２、４、６、１３、１５、１７、１４、１６、１８、ブランク、７、９、１１、８、１０、１２の分散仮想リソースブロックＤＶＲＢが割り当てられ、各々の領域Ｂには、７、９、１１、８、１０、１２、１、３、５、２、４、６、ブランク、１３、１５、１７、１４、１６、１８の分散仮想リソースブロックＤＶＲＢが割り当てられ、各々の領域Ｃには、１３、１５、１７、１４、１６、１８、７、９、１１、８、１０、１２、ブランク、１、３、５、２、４、６の分散仮想リソースブロックＤＶＲＢが割り当てられる。
【０１７８】
図３７（ｂ）の例では、前述の７番目のステップにより、ＰＲＢ番号１〜６の物理リソースブロックＰＲＢペアに対して５番目のステップで生成した第１の分散仮想リソースブロックＤＶＲＢユニットグループを対応付けし、ＰＲＢ番号７にブランクを対応付けし、ＰＲＢ番号８〜１３の物理リソースブロックＰＲＢペアに対して６番目のステップで生成した第２の分散仮想リソースブロックＤＶＲＢユニットグループを対応付けし、ＰＲＢ番号１４〜１９の物理リソースブロックＰＲＢペアに対して６番目のステップで生成した第３の分散仮想リソースブロックＤＶＲＢユニットグループを対応付けする。
【０１７９】
さらに、領域ＸはサブフレームをＯＦＤＭシンボルベースホッピングにて分割した領域Ａ（４番目と７番目と１０番目と１３番目のＯＦＤＭシンボル）に対応付けし、領域Ｙはサブフレームの領域Ｂ（６番目と９番目と１２番目のＯＦＤＭシンボル）に対応付けし、領域Ｚはサブフレームの領域Ｃ（５番目と８番目と１１番目と１４番目のＯＦＤＭシンボル）に対応付けする。
【０１８０】
これにより、図３７（ｂ）に示すように、ＰＲＢ番号１〜１８の物理リソースブロックＰＲＢペアに対して、各々の領域Ａには、ＶＲＢ番号が、１、３、５、２、４、６、ブランク、１３、１５、１７、１４、１６、１８、７、９、１１、８、１０、１２の分散仮想リソースブロックＤＶＲＢが割り当てられ、各々の領域Ｂには、７、９、１１、８、１０、１２、ブランク、１、３、５、２、４、６、１３、１５、１７、１４、１６、１８の分散仮想リソースブロックＤＶＲＢが割り当てられ、各々の領域Ｃには、１３、１５、１７、１４、１６、１８、ブランク、７、９、１１、８、１０、１２、１、３、５、２、４、６の分散仮想リソースブロックＤＶＲＢが割り当てられる。
【０１８１】
次に図３８から図４２を用いて、分散仮想リソースブロックＤＶＲＢと物理リソースブロックＰＲＢペアの対応付け規則の第７の例を説明する。図３８（ａ）は、第７の対応付け規則例におけるシステム帯域幅の物理リソースブロックＰＲＢペアを示す図である。図３８（ａ）において、横軸に周波数をとり、各四角形が物理リソースブロックＰＲＢペアを示し、これらの四角形に付した符号ＰＲＢ１〜ＰＲＢ２０は、それぞれＰＲＢ番号１から２０の物理リソースブロックＰＲＢペアであることを表す。
【０１８２】
第７の対応付け規則例では、多重数Ｎｄが「３」、システム帯域幅の物理リソースブロックＰＲＢペアの総数Ｎ＿ＰＲＢが「２０」個、セット数Ｍが「２」個の場合について説明する。説明の簡略化のため、図８〜１２にて示した第１の対応付け規則例と異なる部分について説明する。物理リソースブロックの総数Ｎ＿ＰＲＢが「２０」であり、多重数Ｎｄが「３」であるので、この第７の対応付け規則例では、前述の１番目のステップにより、図３８（ｂ）に示すように、分散仮想リソースブロックＤＶＲＢの総数Ｎ＿ＤＶＲＢを、この最大値である「１８」個とし、分散仮想リソースブロックＤＶＲＢ１〜ＤＶＲＢ１８について対応付けをする。
【０１８３】
図３９は、第７の対応付け規則例における分散仮想リソースブロックＤＶＲＢユニットを示す図である。第７の対応付け規則例の場合、前述の２番目および３番目のステップにより、図３９に示すように６個の分散仮想リソースブロックＤＶＲＢユニットＤＵ１〜ＤＵ６を構成する。６個の分散仮想リソースブロックＤＶＲＢユニットＤＵ１〜ＤＵ６それぞれの領域Ｘには、ＶＲＢ番号が１、２、３、４、５、６の分散仮想リソースブロックＤＶＲＢ（符号ＤＶＲＢ１、ＤＶＲＢ２、ＤＶＲＢ３、ＤＶＲＢ４、ＤＶＲＢ５、ＤＶＲＢ６）が割り当てられる。また、６個の分散仮想リソースブロックＤＶＲＢユニットＤＵ１〜ＤＵ６それぞれの領域Ｙには、ＶＲＢ番号が７、８、９、１０、１１、１２の分散仮想リソースブロックＤＶＲＢ（符号ＤＶＲＢ７、ＤＶＲＢ８、ＤＶＲＢ９、ＤＶＲＢ１０、ＤＶＲＢ１１、ＤＶＲＢ１２）が割り当てられる。また、６個の分散仮想リソースブロックＤＶＲＢユニットＤＵ１〜ＤＵ５それぞれの領域Ｚには、ＶＲＢ番号が１３、１４、１５、１６、１７、１８の分散仮想リソースブロックＤＶＲＢ（符号ＤＶＲＢ１３、ＤＶＲＢ１４、ＤＶＲＢ１５、ＤＶＲＢ１６、ＤＶＲＢ１７、ＤＶＲＢ１８）が割り当てられる。
【０１８４】
図４０は、第７の対応付け規則例における分散仮想リソースブロックＤＶＲＢユニットセットを示す図である。図４０に示すように、６個の分散仮想リソースブロックＤＶＲＢユニットから、２（Ｍ）個の分散仮想リソースブロックＤＶＲＢユニットにより構成される分散仮想リソースブロックＤＶＲＢユニットセットを、前述の４番目のステップにより３個（ＤＵＳ１〜ＤＵＳ３））生成する。分散仮想リソースブロックＤＶＲＢユニットセットＤＵＳ１は、分散仮想リソースブロックＤＶＲＢユニットＤＵ１、ＤＵ２とから構成される。同様に、分散仮想リソースブロックＤＶＲＢユニットセットＤＵＳ２は、分散仮想リソースブロックＤＶＲＢユニットＤＵ３、ＤＵ４とから構成される。同様に、分散仮想リソースブロックＤＶＲＢユニットセットＤＵＳ３は、分散仮想リソースブロックＤＶＲＢユニットＤＵ５、ＤＵ６とから構成される。
【０１８５】
図４１は、第７の対応付け規則例における第１、第２および第３の分散仮想リソースブロックＤＶＲＢユニットグループを示す図である。前述の５番目のステップにより、第１の分散仮想リソースブロックＤＶＲＢユニットグループは、図３１に示すように、分散仮想リソースブロックＤＶＲＢユニットがＤＵ１、ＤＵ３、ＤＵ５、ＤＵ２、ＤＵ４、ＤＵ６の順に並んだものとなる。すなわち、領域Ｘに割り当てられる分散仮想リソースブロックＤＶＲＢは、ＤＶＲＢ１、ＤＶＲＢ３、ＤＶＲＢ５、ＤＶＲＢ２、ＤＶＲＢ４、ＤＶＲＢ６の順に並び、領域Ｙに割り当てられる分散仮想リソースブロックＤＶＲＢは、ＤＶＲＢ７、ＤＶＲＢ９、ＤＶＲＢ１１、ＤＶＲＢ８、ＤＶＲＢ１０、ＤＶＲＢ１２の順に並び、領域Ｚに割り当てられる分散仮想リソースブロックＤＶＲＢは、ＤＶＲＢ１３、ＤＶＲＢ１５、ＤＶＲＢ１７、ＤＶＲＢ１４、ＤＶＲＢ１６、ＤＶＲＢ１８の順に並んだものとなる。
【０１８６】
また、第２の分散仮想リソースブロックＤＶＲＢユニットグループは、前述の６番目のステップにより、図４１に示すように、第１の分散仮想リソースブロックＤＶＲＢユニットグループの領域Ｘに割り当てられた分散仮想リソースブロックＤＶＲＢを領域Ｙに、領域Ｙに割り当てられた分散仮想リソースブロックＤＶＲＢを領域Ｚに、領域Ｚに割り当てられた分散仮想リソースブロックＤＶＲＢを領域Ｘにしたものとなる。すなわち、第２の分散仮想リソースブロックＤＶＲＢユニットグループは、領域Ｘに割り当てられる分散仮想リソースブロックＤＶＲＢは、ＤＶＲＢ１３、ＤＶＲＢ１５、ＤＶＲＢ１７、ＤＶＲＢ１４、ＤＶＲＢ１６、ＤＶＲＢ１８の順に並び、領域Ｙに割り当てられる分散仮想リソースブロックＤＶＲＢは、ＤＶＲＢ１、ＤＶＲＢ３、ＤＶＲＢ５、ＤＶＲＢ２、ＤＶＲＢ４、ＤＶＲＢ６の順に並び、領域Ｚに割り当てられる分散仮想リソースブロックＤＶＲＢは、ＤＶＲＢ７、ＤＶＲＢ９、ＤＶＲＢ１１、ＤＶＲＢ８、ＤＶＲＢ１０、ＤＶＲＢ１２の順に並んだものとなる。
【０１８７】
また、第３の分散仮想リソースブロックＤＶＲＢユニットグループは、前述の６番目のステップにより、図４１に示すように、第２の分散仮想リソースブロックＤＶＲＢユニットグループの領域Ｘに割り当てられた分散仮想リソースブロックＤＶＲＢを領域Ｙに、領域Ｙに割り当てられた分散仮想リソースブロックＤＶＲＢを領域Ｚに、領域Ｚに割り当てられた分散仮想リソースブロックＤＶＲＢを領域Ｘにしたものとなる。すなわち、第３の分散仮想リソースブロックＤＶＲＢユニットグループは、領域Ｘに割り当てられる分散仮想リソースブロックＤＶＲＢは、ＤＶＲＢ７、ＤＶＲＢ９、ＤＶＲＢ１１、ＤＶＲＢ８、ＤＶＲＢ１０、ＤＶＲＢ１２の順に並び、領域Ｙに割り当てられる分散仮想リソースブロックＤＶＲＢは、ＤＶＲＢ１３、ＤＶＲＢ１５、ＤＶＲＢ１７、ＤＶＲＢ１４、ＤＶＲＢ１６、ＤＶＲＢ１８の順に並び、領域Ｚに割り当てられる分散仮想リソースブロックＤＶＲＢは、ＤＶＲＢ１、ＤＶＲＢ３、ＤＶＲＢ５、ＤＶＲＢ２、ＤＶＲＢ４、ＤＶＲＢ６の順に並んだものとなる。
【０１８８】
図４２は、分散仮想リソースブロックＤＶＲＢと物理リソースブロックＰＲＢペアとの対応付け規則の第７の例を示す図である。図４２において、横軸に周波数をとり、各四角形が物理リソースブロックＰＲＢペアにおける各スロットの領域を示す。各四角形すなわち、各物理リソースブロックＰＲＢペアの各スロットに付したＤＶＲＢ１、ＤＶＲＢ２・・・ＤＶＲＢ１８の符号各々は、該当領域に割り当てられるＶＲＢ番号１〜１８の分散仮想リソースブロックＤＶＲＢを表し、各周波数領域に付した符号ＰＲＢ１、ＰＲＢ２、・・・ＰＲＢ２０は、該当領域の物理リソースブロックＰＲＢペアの最初の物理リソースブロックＰＲＢのＰＲＢ番号が１、２、・・・２０であることを示す。
【０１８９】
この第７の対応付け規則例では、分散仮想リソースブロックＤＶＲＢの総数Ｎ＿ＤＶＲＢ「１８」より物理リソースブロックＰＲＢペアＮ＿ＰＲＢ「２０」が２個多いため、物理リソースブロックＰＲＢペアに、第１、第２および第３の分散仮想リソースブロックＤＶＲＢユニットグループを対応付ける際に、いずれか２つの物理リソースブロックＰＲＢペアにブランクを対応づける。このとき、ブランクは、システム帯域幅の端部ではなく、分散仮想リソースブロックＤＶＲＢユニットグループの間に対応付けられた方が望ましい。このようにすることで、分散仮想リソースブロックＤＶＲＢユニットグループ間の周波数の違いを、ブランクを対応付けた物理リソースブロックＰＲＢペアの分、広げることができる。
【０１９０】
前述の７番目のステップにより、ＰＲＢ番号１〜６の物理リソースブロックＰＲＢペアに対して５番目のステップで生成した第１の分散仮想リソースブロックＤＶＲＢユニットグループを対応付けし、ＰＲＢ番号７の物理リソースブロックＰＲＢペアに対してブランクを対応付けし、ＰＲＢ番号８〜１３の物理リソースブロックＰＲＢペアに対して６番目のステップで生成した第２の分散仮想リソースブロックＤＶＲＢユニットグループを対応付けし、ＰＲＢ番号１４の物理リソースブロックＰＲＢペアに対してブランクを対応付けし、ＰＲＢ番号１５〜２０の物理リソースブロックＰＲＢペアに対して６番目のステップで生成した第３の分散仮想リソースブロックＤＶＲＢユニットグループを対応付けする。
【０１９１】
さらに、領域ＸはサブフレームをＯＦＤＭシンボルベースホッピングにて分割した領域Ａ（４番目と７番目と１０番目と１３番目のＯＦＤＭシンボル）に対応付けし、領域Ｙはサブフレームの領域Ｂ（６番目と９番目と１２番目のＯＦＤＭシンボル）に対応付けし、領域Ｚはサブフレームの領域Ｃ（５番目と８番目と１１番目と１４番目のＯＦＤＭシンボル）に対応付けする。これにより、図４２に示すように、ＰＲＢ番号１〜２０の物理リソースブロックＰＲＢペアに対して、各々の領域Ａには、ＶＲＢ番号が、１、３、５、２、４、６、ブランク、１３、１５、１７、１４、１６、１８、ブランク、７、９、１１、８、１０、１２の分散仮想リソースブロックＤＶＲＢが割り当てられ、各々の領域Ｂには、７、９、１１、８、１０、１２、ブランク、１、３、５、２、４、６、ブランク、１３、１５、１７、１４、１６、１８の分散仮想リソースブロックＤＶＲＢが割り当てられ、各々の領域Ｃには、１３、１５、１７、１４、１６、１８、ブランク、７、９、１１、８、１０、１２、ブランク、１、３、５、２、４、６の分散仮想リソースブロックＤＶＲＢが割り当てられる。
【０１９２】
次に図４３から図４７を用いて、分散仮想リソースブロックＤＶＲＢと物理リソースブロックＰＲＢペアの対応付け規則の第８の例を説明する。図４３（ａ）は、第８の対応付け規則例におけるシステム帯域幅の物理リソースブロックＰＲＢペアを示す図である。図４３（ａ）において、横軸に周波数をとり、各四角形が物理リソースブロックＰＲＢペアを示し、これらの四角形に付した符号ＰＲＢ１〜ＰＲＢ１８は、それぞれＰＲＢ番号１から１８の物理リソースブロックＰＲＢペアであることを表す。
【０１９３】
第８の対応付け規則例では、多重数Ｎｄが「３」、システム帯域幅の物理リソースブロックＰＲＢペアの総数Ｎ＿ＰＲＢが「１８」個、セット数Ｍが「３」個の場合について説明する。説明の簡略化のため、図８〜１２にて示した第１の対応付け規則例と異なる部分について説明する。物理リソースブロックの総数Ｎ＿ＰＲＢが「１８」がであり、多重数Ｎｄが「３」であるので、この第５の対応付け規則例では、前述の１番目のステップにより、図４３（ｂ）に示すように、分散仮想リソースブロックＤＶＲＢの総数Ｎ＿ＤＶＲＢを、この最大値である「１８」個とし、分散仮想リソースブロックＤＶＲＢ１〜ＤＶＲＢ１８について対応付けをする。
【０１９４】
図４４は、第８の対応付け規則例における分散仮想リソースブロックＤＶＲＢユニットを示す図である。第８の対応付け規則例の場合、前述の２番目および３番目のステップにより、図４４に示すように６個の分散仮想リソースブロックＤＶＲＢユニットＤＵ１〜ＤＵ６を構成する。６個の分散仮想リソースブロックＤＶＲＢユニットＤＵ１〜ＤＵ６それぞれの領域Ｘには、ＶＲＢ番号が１、２、３、４、５、６の分散仮想リソースブロックＤＶＲＢ（符号ＤＶＲＢ１、ＤＶＲＢ２、ＤＶＲＢ３、ＤＶＲＢ４、ＤＶＲＢ５、ＤＶＲＢ６）が割り当てられる。また、６個の分散仮想リソースブロックＤＶＲＢユニットＤＵ１〜ＤＵ６それぞれの領域Ｙには、ＶＲＢ番号が７、８、９、１０、１１、１２の分散仮想リソースブロックＤＶＲＢ（符号ＤＶＲＢ７、ＤＶＲＢ８、ＤＶＲＢ９、ＤＶＲＢ１０、ＤＶＲＢ１１、ＤＶＲＢ１２）が割り当てられる。また、６個の分散仮想リソースブロックＤＶＲＢユニットＤＵ１〜ＤＵ６それぞれの領域Ｚには、ＶＲＢ番号が１３、１４、１５、１６、１７、１８の分散仮想リソースブロックＤＶＲＢ（符号ＤＶＲＢ１３、ＤＶＲＢ１４、ＤＶＲＢ１５、ＤＶＲＢ１６、ＤＶＲＢ１７、ＤＶＲＢ１８）が割り当てられる。
【０１９５】
図４５は、第８の対応付け規則例における分散仮想リソースブロックＤＶＲＢユニットセットを示す図である。図４５に示すように、６個の分散仮想リソースブロックＤＶＲＢユニットから、３（Ｍ）個の分散仮想リソースブロックＤＶＲＢユニットにより構成される分散仮想リソースブロックＤＶＲＢユニットセットを、前述の４番目のステップにより２個（ＤＵＳ１〜ＤＵＳ２）（６を３で割った切り上げ：ＣＥＩＬＩＮＧ（６／３））生成する。分散仮想リソースブロックＤＶＲＢユニットセットＤＵＳ１は、分散仮想リソースブロックＤＶＲＢユニットＤＵ１、ＤＵ２、ＤＵ３とから構成される。同様に、分散仮想リソースブロックＤＶＲＢユニットセットＤＵＳ２は、分散仮想リソースブロックＤＶＲＢユニットＤＵ４、ＤＵ５、ＤＵ６とから構成される。ここで、各分散仮想リソースブロックＤＶＲＢユニットＤＵ１〜ＤＵ６に関する各分散仮想リソースブロックＤＶＲＢユニットセット内における番号付け（１−１、１−２、１−３、２−１、２−２、２−３）を行う。
【０１９６】
図４６は、第８の対応付け規則例における第１、第２および第３の分散仮想リソースブロックＤＶＲＢユニットグループを示す図である。前述の５番目のステップにより、全ての分散仮想リソースブロックＤＶＲＢユニットにより第１の分散仮想リソースブロックＤＶＲＢユニットグループを構成する。すなわち、第１の分散仮想リソースブロックＤＶＲＢユニットグループには、分散仮想リソースブロックＤＶＲＢユニットセットＤＵＳ１、ＤＵＳ２のうち、小さい番号付けがされたものから追加していく、すなわち、分散仮想リソースブロックＤＶＲＢユニットセットＤＵＳ１の１−１、分散仮想リソースブロックＤＶＲＢユニットセットＤＵＳ２の２−１、分散仮想リソースブロックＤＶＲＢユニットセットＤＵＳ１の１−２、分散仮想リソースブロックＤＶＲＢユニットセットＤＵＳ２の２−２、分散仮想リソースブロックＤＶＲＢユニットセットＤＵＳ１の１−３、分散仮想リソースブロックＤＶＲＢユニットセットＤＵＳ２の２−３の順に追加する。
【０１９７】
これにより、第１の分散仮想リソースブロックＤＶＲＢユニットグループは、図４６に示すように、分散仮想リソースブロックＤＶＲＢユニットがＤＵ１、ＤＵ４、ＤＵ２、ＤＵ５、ＤＵ３、ＤＵ６の順に並んだものとなる。すなわち、領域Ｘに割り当てられる分散仮想リソースブロックＤＶＲＢは、ＤＶＲＢ１、ＤＶＲＢ４、ＤＶＲＢ２、ＤＶＲＢ５、ＤＶＲＢ３、ＤＶＲＢ６の順に並び、領域Ｙに割り当てられる分散仮想リソースブロックＤＶＲＢは、ＤＶＲＢ７、ＤＶＲＢ１０、ＤＶＲＢ８、ＤＶＲＢ１１、ＤＶＲＢ９、ＤＶＲＢ１２の順に並び、領域Ｚに割り当てられる分散仮想リソースブロックＤＶＲＢは、ＤＶＲＢ１３、ＤＶＲＢ１６、ＤＶＲＢ１４、ＤＶＲＢ１７、ＤＶＲＢ１５、ＤＶＲＢ１８の順に並んだものとなる。
【０１９８】
また、第２の分散仮想リソースブロックＤＶＲＢユニットグループは、前述の６番目のステップにより、図４６に示すように、第１の分散仮想リソースブロックＤＶＲＢユニットグループの領域Ｘに割り当てられた分散仮想リソースブロックＤＶＲＢを領域Ｙに、領域Ｙに割り当てられた分散仮想リソースブロックＤＶＲＢを領域Ｚに、領域Ｚに割り当てられた分散仮想リソースブロックＤＶＲＢを領域Ｘにしたものとなる。すなわち、第２の分散仮想リソースブロックＤＶＲＢユニットグループは、領域Ｘに割り当てられる分散仮想リソースブロックＤＶＲＢは、ＤＶＲＢ１３、ＤＶＲＢ１６、ＤＶＲＢ１４、ＤＶＲＢ１７、ＤＶＲＢ１５、ＤＶＲＢ１８の順に並び、領域Ｙに割り当てられる分散仮想リソースブロックＤＶＲＢは、ＤＶＲＢ１、ＤＶＲＢ４、ＤＶＲＢ２、ＤＶＲＢ５、ＤＶＲＢ３、ＤＶＲＢ６の順に並び、領域Ｚに割り当てられる分散仮想リソースブロックＤＶＲＢは、ＤＶＲＢ７、ＤＶＲＢ１０、ＤＶＲＢ８、ＤＶＲＢ１１、ＤＶＲＢ９、ＤＶＲＢ１２の順に並んだものとなる。
【０１９９】
また、第３の分散仮想リソースブロックＤＶＲＢユニットグループは、前述の６番目のステップにより、図４６に示すように、第２の分散仮想リソースブロックＤＶＲＢユニットグループの領域Ｘに割り当てられた分散仮想リソースブロックＤＶＲＢを領域Ｙに、領域Ｙに割り当てられた分散仮想リソースブロックＤＶＲＢを領域Ｚに、領域Ｚに割り当てられた分散仮想リソースブロックＤＶＲＢを領域Ｘにしたものとなる。すなわち、第３の分散仮想リソースブロックＤＶＲＢユニットグループは、領域Ｘに割り当てられる分散仮想リソースブロックＤＶＲＢは、ＤＶＲＢ７、ＤＶＲＢ１０、ＤＶＲＢ８、ＤＶＲＢ１１、ＤＶＲＢ９、ＤＶＲＢ１２の順に並び、領域Ｙに割り当てられる分散仮想リソースブロックＤＶＲＢは、ＤＶＲＢ１３、ＤＶＲＢ１６、ＤＶＲＢ１４、ＤＶＲＢ１７、ＤＶＲＢ１５、ＤＶＲＢ１８の順に並び、領域Ｚに割り当てられる分散仮想リソースブロックＤＶＲＢは、ＤＶＲＢ１、ＤＶＲＢ４、ＤＶＲＢ２、ＤＶＲＢ５、ＤＶＲＢ３、ＤＶＲＢ６の順に並んだものとなる。
【０２００】
図４７は、分散仮想リソースブロックＤＶＲＢと物理リソースブロックＰＲＢペアとの対応付け規則の第８の例を示す図である。図４７において、横軸に周波数をとり、各四角形が物理リソースブロックＰＲＢペアにおける各スロットの領域を示す。各四角形すなわち、各物理リソースブロックＰＲＢペアの各スロットに付したＤＶＲＢ１、ＤＶＲＢ２・・・ＤＶＲＢ１８の符号各々は、該当領域に割り当てられるＶＲＢ番号１〜１８の分散仮想リソースブロックＤＶＲＢを表し、各周波数領域に付した符号ＰＲＢ１、ＰＲＢ２、・・・ＰＲＢ１８は、該当領域の物理リソースブロックＰＲＢペアの最初の物理リソースブロックＰＲＢのＰＲＢ番号が１、２、・・・１８であることを示す。
【０２０１】
前述の７番目のステップにより、ＰＲＢ番号１〜６の物理リソースブロックＰＲＢペアに対して５番目のステップで生成した第１の分散仮想リソースブロックＤＶＲＢユニットグループを対応付けし、ＰＲＢ番号７〜１２の物理リソースブロックＰＲＢペアに対して６番目のステップで生成した第２の分散仮想リソースブロックＤＶＲＢユニットグループを対応付けし、ＰＲＢ番号１３〜１８の物理リソースブロックＰＲＢペアに対して６番目のステップで生成した第３の分散仮想リソースブロックＤＶＲＢユニットグループを対応付けする。
【０２０２】
さらに、領域ＸはサブフレームをＯＦＤＭシンボルベースホッピングにて分割した領域Ａ（４番目と７番目と１０番目と１３番目のＯＦＤＭシンボル）に対応付けし、領域Ｙはサブフレームの領域Ｂ（６番目と９番目と１２番目のＯＦＤＭシンボル）に対応付けし、領域Ｚはサブフレームの領域Ｃ（５番目と８番目と１１番目と１４番目のＯＦＤＭシンボル）に対応付けする。これにより、図４７に示すように、ＰＲＢ番号１〜１８の物理リソースブロックＰＲＢペアに対して、各々の領域Ａには、ＶＲＢ番号が、１、４、２、５、３、６、１３、１６、１４、１７、１５、１８、７、１０、８、１１、９、１２の分散仮想リソースブロックＤＶＲＢが割り当てられ、各々の領域Ｂには、７、１０、８、１１、９、１２、１、４、２、５、３、６、１３、１６、１４、１７、１５、１８の分散仮想リソースブロックＤＶＲＢが割り当てられ、各々の領域Ｃには、１３、１６、１４、１７、１５、１８、７、１０、８、１１、９、１２、１、４、２、５、３、６の分散仮想リソースブロックＤＶＲＢが割り当てられる。
【０２０３】
次に図４８から図５２を用いて、分散仮想リソースブロックＤＶＲＢと物理リソースブロックＰＲＢペアの対応付け規則の第９の例を説明する。図４８（ａ）は、第９の対応付け規則例におけるシステム帯域幅の物理リソースブロックＰＲＢペアを示す図である。図４８（ａ）において、横軸に周波数をとり、各四角形が物理リソースブロックＰＲＢペアを示し、これらの四角形に付した符号ＰＲＢ１〜ＰＲＢ２１は、それぞれＰＲＢ番号１から２１の物理リソースブロックＰＲＢペアであることを表す。
【０２０４】
第９の対応付け規則例では、多重数Ｎｄが「３」、システム帯域幅の物理リソースブロックＰＲＢペアの総数Ｎ＿ＰＲＢが「２１」個、セット数Ｍが「３」個の場合について説明する。説明の簡略化のため、図８〜１２にて示した第１の対応付け規則例と異なる部分について説明する。物理リソースブロックの総数Ｎ＿ＰＲＢが「２１」であり、多重数Ｎｄが「３」であるので、この第９の対応付け規則例では、前述の１番目のステップにより、図４８（ｂ）に示すように、分散仮想リソースブロックＤＶＲＢの総数Ｎ＿ＤＶＲＢを、この最大値である「２１」個とし、分散仮想リソースブロックＤＶＲＢ１〜ＤＶＲＢ２１について対応付けをする。
【０２０５】
図４９は、第９の対応付け規則例における分散仮想リソースブロックＤＶＲＢユニットを示す図である。第９の対応付け規則例の場合、前述の２番目および３番目のステップにより、図４９に示すように７個の分散仮想リソースブロックＤＶＲＢユニットＤＵ１〜ＤＵ７を構成する。７個の分散仮想リソースブロックＤＶＲＢユニットＤＵ１〜ＤＵ７それぞれの領域Ｘには、ＶＲＢ番号が１、２、３、４、５、６、７の分散仮想リソースブロックＤＶＲＢ（符号ＤＶＲＢ１、ＤＶＲＢ２、ＤＶＲＢ３、ＤＶＲＢ４、ＤＶＲＢ５、ＤＶＲＢ６、ＤＶＲＢ７）が割り当てられる。また、７個の分散仮想リソースブロックＤＶＲＢユニットＤＵ１〜ＤＵ７それぞれの領域Ｙには、ＶＲＢ番号が８、９、１０、１１、１２、１３、１４の分散仮想リソースブロックＤＶＲＢ（符号ＤＶＲＢ８、ＤＶＲＢ９、ＤＶＲＢ１０、ＤＶＲＢ１１、ＤＶＲＢ１２、ＤＶＲＢ１３、ＤＶＲＢ１４）が割り当てられる。また、７個の分散仮想リソースブロックＤＶＲＢユニットＤＵ１〜ＤＵ７それぞれの領域Ｚには、ＶＲＢ番号が１５、１６、１７、１８、１９、２０、２１の分散仮想リソースブロックＤＶＲＢ（符号ＤＶＲＢ１５、ＤＶＲＢ１６、ＤＶＲＢ１７、ＤＶＲＢ１８、ＤＶＲＢ１９、ＤＶＲＢ２０、ＤＶＲＢ２１）が割り当てられる。
【０２０６】
図５０は、第９の対応付け規則例における分散仮想リソースブロックＤＶＲＢユニットセットを示す図である。図５０に示すように、７個の分散仮想リソースブロックＤＶＲＢユニットから、３（Ｍ）個の分散仮想リソースブロックＤＶＲＢユニットにより構成される分散仮想リソースブロックＤＶＲＢユニットセットを、前述の４番目のステップにより３個（ＤＵＳ１〜ＤＵＳ３）（７を３で割った切り上げ：ＣＥＩＬＩＮＧ（７／２））生成する。分散仮想リソースブロックＤＶＲＢユニットセットＤＵＳ１は、分散仮想リソースブロックＤＶＲＢユニットＤＵ１、ＤＵ２、ＤＵ３から構成される。同様に、分散仮想リソースブロックＤＶＲＢユニットセットＤＵＳ２は、分散仮想リソースブロックＤＶＲＢユニットＤＵ４、ＤＵ５、ＤＵ６とから構成される。分散仮想リソースブロックＤＶＲＢユニットセットＤＵＳ３は、分散仮想リソースブロックＤＶＲＢユニットＤＵ７とブランクからなる２つの分散仮想リソースブロックＤＶＲＢユニットとから構成される。
【０２０７】
図５１は、第９の対応付け規則例における第１、第２および第３の分散仮想リソースブロックＤＶＲＢユニットグループを示す図である。前述の５番目のステップにより、第１の分散仮想リソースブロックＤＶＲＢユニットグループは、図５１に示すように、分散仮想リソースブロックＤＶＲＢユニットがＤＵ１、ＤＵ４、ＤＵ７、ＤＵ２、ＤＵ５、ＤＵ３、ＤＵ６の順に並んだものとなる。このとき、分散仮想リソースブロックＤＶＲＢユニットセットＤＵＳ３のブランクは、第１の分散仮想リソースブロックＤＶＲＢユニットグループには、割り当てない。すなわち、領域Ｘに割り当てられる分散仮想リソースブロックＤＶＲＢは、ＤＶＲＢ１、ＤＶＲＢ４、ＤＶＲＢ７、ＤＶＲＢ２、ＤＶＲＢ５、ＤＶＲＢ３、ＤＶＲＢ６の順に並び、領域Ｙに割り当てられる分散仮想リソースブロックＤＶＲＢは、ＤＶＲＢ８、ＤＶＲＢ１１、ＤＶＲＢ１４、ＤＶＲＢ９、ＤＶＲＢ１２、ＤＶＲＢ１０、ＤＶＲＢ１３の順に並び、領域Ｚに割り当てられる分散仮想リソースブロックＤＶＲＢは、ＤＶＲＢ１５、ＤＶＲＢ１８、ＤＶＲＢ２１、ＤＶＲＢ１６、ＤＶＲＢ１９、ＤＶＲＢ１７、ＤＶＲＢ２０の順に並んだものとなる。
【０２０８】
また、第２の分散仮想リソースブロックＤＶＲＢユニットグループは、前述の６番目のステップにより、図５１に示すように、第１の分散仮想リソースブロックＤＶＲＢユニットグループの領域Ｘに割り当てられた分散仮想リソースブロックＤＶＲＢを領域Ｙに、領域Ｙに割り当てられた分散仮想リソースブロックＤＶＲＢを領域Ｚに、領域Ｚに割り当てられた分散仮想リソースブロックＤＶＲＢを領域Ｘにしたものとなる。すなわち、第２の分散仮想リソースブロックＤＶＲＢユニットグループは、領域Ｘに割り当てられる分散仮想リソースブロックＤＶＲＢは、ＤＶＲＢ１５、ＤＶＲＢ１８、ＤＶＲＢ２１、ＤＶＲＢ１６、ＤＶＲＢ１９、ＤＶＲＢ１７、ＤＶＲＢ２０の順に並び、領域Ｙに割り当てられる分散仮想リソースブロックＤＶＲＢは、ＤＶＲＢ１、ＤＶＲＢ４、ＤＶＲＢ７、ＤＶＲＢ２、ＤＶＲＢ５、ＤＶＲＢ３、ＤＶＲＢ６の順に並び、領域Ｚに割り当てられる分散仮想リソースブロックＤＶＲＢは、ＤＶＲＢ８、ＤＶＲＢ１１、ＤＶＲＢ１４、ＤＶＲＢ９、ＤＶＲＢ１２、ＤＶＲＢ１０、ＤＶＲＢ１３の順に並んだものとなる。
【０２０９】
また、第３の分散仮想リソースブロックＤＶＲＢユニットグループは、前述の６番目のステップにより、図５１に示すように、第２の分散仮想リソースブロックＤＶＲＢユニットグループの領域Ｘに割り当てられた分散仮想リソースブロックＤＶＲＢを領域Ｙに、領域Ｙに割り当てられた分散仮想リソースブロックＤＶＲＢを領域Ｚに、領域Ｚに割り当てられた分散仮想リソースブロックＤＶＲＢを領域Ｘにしたものとなる。すなわち、第３の分散仮想リソースブロックＤＶＲＢユニットグループは、領域Ｘに割り当てられる分散仮想リソースブロックＤＶＲＢは、ＤＶＲＢ８、ＤＶＲＢ１１、ＤＶＲＢ１４、ＤＶＲＢ９、ＤＶＲＢ１２、ＤＶＲＢ１０、ＤＶＲＢ１３の順に並び、領域Ｙに割り当てられる分散仮想リソースブロックＤＶＲＢは、ＤＶＲＢ１５、ＤＶＲＢ１８、ＤＶＲＢ２１、ＤＶＲＢ１６、ＤＶＲＢ１９、ＤＶＲＢ１７、ＤＶＲＢ２０の順に並び、領域Ｚに割り当てられる分散仮想リソースブロックＤＶＲＢは、ＤＶＲＢ１、ＤＶＲＢ４、ＤＶＲＢ７、ＤＶＲＢ２、ＤＶＲＢ５、ＤＶＲＢ３、ＤＶＲＢ６の順に並んだものとなる。
【０２１０】
図５２は、分散仮想リソースブロックＤＶＲＢと物理リソースブロックＰＲＢペアとの対応付け規則の第９の例を示す図である。図５２において、横軸に周波数をとり、各四角形が物理リソースブロックＰＲＢペアにおける各スロットの領域を示す。各四角形すなわち、各物理リソースブロックＰＲＢペアの各スロットに付したＤＶＲＢ１、ＤＶＲＢ２・・・ＤＶＲＢ２１の符号各々は、該当領域に割り当てられるＶＲＢ番号１〜２１の分散仮想リソースブロックＤＶＲＢを表し、各周波数領域に付した符号ＰＲＢ１、ＰＲＢ２、・・・ＰＲＢ２１は、該当領域の物理リソースブロックＰＲＢペアの最初の物理リソースブロックＰＲＢのＰＲＢ番号が１、２、・・・２１であることを示す。
【０２１１】
前述の７番目のステップにより、ＰＲＢ番号１〜７の物理リソースブロックＰＲＢペアに対して５番目のステップで生成した第１の分散仮想リソースブロックＤＶＲＢユニットグループを対応付けし、ＰＲＢ番号８〜１４の物理リソースブロックＰＲＢペアに対して６番目のステップで生成した第２の分散仮想リソースブロックＤＶＲＢユニットグループを対応付けし、ＰＲＢ番号１５〜２１の物理リソースブロックＰＲＢペアに対して６番目のステップで生成した第３の分散仮想リソースブロックＤＶＲＢユニットグループを対応付けする。
【０２１２】
さらに、領域ＸはサブフレームをＯＦＤＭシンボルベースホッピングにて分割した領域Ａ（４番目と７番目と１０番目と１３番目のＯＦＤＭシンボル）に対応付けし、領域Ｙはサブフレームの領域Ｂ（６番目と９番目と１２番目のＯＦＤＭシンボル）に対応付けし、領域Ｚはサブフレームの領域Ｃ（５番目と８番目と１１番目と１４番目のＯＦＤＭシンボル）に対応付けする。これにより、図５２に示すように、ＰＲＢ番号１〜１５の物理リソースブロックＰＲＢペアに対して、各々の領域Ａには、ＶＲＢ番号が、１、４、７、２、５、３、６、１５、１８、２１、１６、１９、１７、２０、８、１１、１４、９、１２、１０、１３の分散仮想リソースブロックＤＶＲＢが割り当てられ、各々の領域Ｂには、８、１１、１４、９、１２、１０、１３、１、４、７、２、５、３、６、１５、１８、２１、１６、１９、１７、２０の分散仮想リソースブロックＤＶＲＢが割り当てられ、各々の領域Ｃには、１５、１８、２１、１６、１９、１７、２０、８、１１、１４、９、１２、１０、１３、１、４、７、２、５、３、６の分散仮想リソースブロックＤＶＲＢが割り当てられる。
【０２１３】
次に図５３から図５７を用いて、分散仮想リソースブロックＤＶＲＢと物理リソースブロックＰＲＢペアの対応付け規則の第１０の例を説明する。図５３（ａ）は、第１０の対応付け規則例におけるシステム帯域幅の物理リソースブロックＰＲＢペアを示す図である。図５３（ａ）において、横軸に周波数をとり、各四角形が物理リソースブロックＰＲＢペアを示し、これらの四角形に付した符号ＰＲＢ１〜ＰＲＢ１５は、それぞれＰＲＢ番号１から１５の物理リソースブロックＰＲＢペアであることを表す。
【０２１４】
第１０の対応付け規則例では、多重数Ｎｄが「３」、システム帯域幅の物理リソースブロックＰＲＢペアの総数Ｎ＿ＰＲＢが「１５」個、セット数Ｍが「３」個の場合について説明する。説明の簡略化のため、図８〜１２にて示した第１の対応付け規則例と異なる部分について説明する。物理リソースブロックの総数Ｎ＿ＰＲＢが「１５」であり、多重数Ｎｄが「３」であるので、この第１０の対応付け規則例では、前述の１番目のステップにより、図５３（ｂ）に示すように、分散仮想リソースブロックＤＶＲＢの総数Ｎ＿ＤＶＲＢを、この最大値である「１５」個とし、分散仮想リソースブロックＤＶＲＢ１〜ＤＶＲＢ１５について対応付けをする。
【０２１５】
図５４は、第１０の対応付け規則例における分散仮想リソースブロックＤＶＲＢユニットを示す図である。第１０の対応付け規則例の場合、前述の２番目および３番目のステップにより、図５４に示すように５個の分散仮想リソースブロックＤＶＲＢユニットＤＵ１〜ＤＵ５を構成する。５個の分散仮想リソースブロックＤＶＲＢユニットＤＵ１〜ＤＵ５それぞれの領域Ｘには、ＶＲＢ番号が１、２、３、４、５の分散仮想リソースブロックＤＶＲＢ（符号ＤＶＲＢ１、ＤＶＲＢ２、ＤＶＲＢ３、ＤＶＲＢ４、ＤＶＲＢ５）が割り当てられる。また、５個の分散仮想リソースブロックＤＶＲＢユニットＤＵ１〜ＤＵ５それぞれの領域Ｙには、ＶＲＢ番号が６、７、８、９、１０の分散仮想リソースブロックＤＶＲＢ（符号ＤＶＲＢ６、ＤＶＲＢ７、ＤＶＲＢ８、ＤＶＲＢ９、ＤＶＲＢ１０）が割り当てられる。また、５個の分散仮想リソースブロックＤＶＲＢユニットＤＵ１〜ＤＵ５それぞれの領域Ｚには、ＶＲＢ番号が１１、１２、１３、１４、１５の分散仮想リソースブロックＤＶＲＢ（符号ＤＶＲＢ１１、ＤＶＲＢ１２、ＤＶＲＢ１３、ＤＶＲＢ１４、ＤＶＲＢ１５）が割り当てられる。
【０２１６】
図５５は、第１０の対応付け規則例における分散仮想リソースブロックＤＶＲＢユニットセットを示す図である。図５５に示すように、５個の分散仮想リソースブロックＤＶＲＢユニットから、３（Ｍ）個の分散仮想リソースブロックＤＶＲＢユニットにより構成される分散仮想リソースブロックＤＶＲＢユニットセットを、前述の４番目のステップにより２個（ＤＵＳ１〜ＤＵＳ２）（５を３で割った切り上げ：ＣＥＩＬＩＮＧ（５／３））生成する。分散仮想リソースブロックＤＶＲＢユニットセットＤＵＳ１は、分散仮想リソースブロックＤＶＲＢユニットＤＵ１、ＤＵ２とから構成される。同様に、分散仮想リソースブロックＤＶＲＢユニットセットＤＵＳ２は、分散仮想リソースブロックＤＶＲＢユニットＤＵ４、ＤＵ５と、ブランクとから構成される。ここで、各分散仮想リソースブロックＤＶＲＢユニットＤＵ１〜ＤＵ５とブランクとに関する各分散仮想リソースブロックＤＶＲＢユニットセット内における番号付け（１−１、１−２、１−３、２−１、２−２、２−３）を行う。
【０２１７】
図５６は、第１０の対応付け規則例における第１、第２および第３の分散仮想リソースブロックＤＶＲＢユニットグループを示す図である。前述の５番目のステップにより、全ての分散仮想リソースブロックＤＶＲＢユニットにより第１の分散仮想リソースブロックＤＶＲＢユニットグループを構成する。すなわち、第１の分散仮想リソースブロックＤＶＲＢユニットグループには、分散仮想リソースブロックＤＶＲＢユニットセットＤＵＳ１、ＤＵＳ２のうち、小さい番号付けがされたものから追加していく、すなわち、分散仮想リソースブロックＤＶＲＢユニットセットＤＵＳ１の１−１、分散仮想リソースブロックＤＶＲＢユニットセットＤＵＳ２の２−１、分散仮想リソースブロックＤＶＲＢユニットセットＤＵＳ１の１−２、分散仮想リソースブロックＤＶＲＢユニットセットＤＵＳ２の２−２、分散仮想リソースブロックＤＶＲＢユニットセットＤＵＳ１の１−３の順に追加する。このとき、ブランクである分散仮想リソースブロックＤＶＲＢユニットセットＤＵＳ２の２−３については追加しない。
【０２１８】
これにより、第１の分散仮想リソースブロックＤＶＲＢユニットグループは、図５６に示すように、分散仮想リソースブロックＤＶＲＢユニットがＤＵ１、ＤＵ４、ＤＵ２、ＤＵ５、ＤＵ３の順に並んだものとなる。すなわち、領域Ｘに割り当てられる分散仮想リソースブロックＤＶＲＢは、ＤＶＲＢ１、ＤＶＲＢ４、ＤＶＲＢ２、ＤＶＲＢ５、ＤＶＲＢ３の順に並び、領域Ｙに割り当てられる分散仮想リソースブロックＤＶＲＢは、ＤＶＲＢ６、ＤＶＲＢ９、ＤＶＲＢ７、ＤＶＲＢ１０、ＤＶＲＢ８の順に並び、領域Ｚに割り当てられる分散仮想リソースブロックＤＶＲＢは、ＤＶＲＢ１１、ＤＶＲＢ１４、ＤＶＲＢ１２、ＤＶＲＢ１５、ＤＶＲＢ１３の順に並んだものとなる。
【０２１９】
また、第２の分散仮想リソースブロックＤＶＲＢユニットグループは、前述の６番目のステップにより、図５６に示すように、第１の分散仮想リソースブロックＤＶＲＢユニットグループの領域Ｘに割り当てられた分散仮想リソースブロックＤＶＲＢを領域Ｙに、領域Ｙに割り当てられた分散仮想リソースブロックＤＶＲＢを領域Ｚに、領域Ｚに割り当てられた分散仮想リソースブロックＤＶＲＢを領域Ｘにしたものとなる。すなわち、第２の分散仮想リソースブロックＤＶＲＢユニットグループは、領域Ｘに割り当てられる分散仮想リソースブロックＤＶＲＢは、ＤＶＲＢ１１、ＤＶＲＢ１４、ＤＶＲＢ１２、ＤＶＲＢ１５、ＤＶＲＢ１３の順に並び、領域Ｙに割り当てられる分散仮想リソースブロックＤＶＲＢは、ＤＶＲＢ１、ＤＶＲＢ４、ＤＶＲＢ２、ＤＶＲＢ５、ＤＶＲＢ３の順に並び、領域Ｚに割り当てられる分散仮想リソースブロックＤＶＲＢはＤＶＲＢ６、ＤＶＲＢ９、ＤＶＲＢ７、ＤＶＲＢ１０、ＤＶＲＢ８の順に並んだものとなる。
【０２２０】
また、第３の分散仮想リソースブロックＤＶＲＢユニットグループは、前述の６番目のステップにより、図５６に示すように、第２の分散仮想リソースブロックＤＶＲＢユニットグループの領域Ｘに割り当てられた分散仮想リソースブロックＤＶＲＢを領域Ｙに、領域Ｙに割り当てられた分散仮想リソースブロックＤＶＲＢを領域Ｚに、領域Ｚに割り当てられた分散仮想リソースブロックＤＶＲＢを領域Ｘにしたものとなる。すなわち、第３の分散仮想リソースブロックＤＶＲＢユニットグループは、領域Ｘに割り当てられる分散仮想リソースブロックＤＶＲＢは、ＤＶＲＢ７、ＤＶＲＢ１０、ＤＶＲＢ８、ＤＶＲＢ１１、ＤＶＲＢ９、ＤＶＲＢ１２の順に並び、領域Ｙに割り当てられる分散仮想リソースブロックＤＶＲＢは、ＤＶＲＢ１１、ＤＶＲＢ１４、ＤＶＲＢ１２、ＤＶＲＢ１５、ＤＶＲＢ１３の順に並び、領域Ｚに割り当てられる分散仮想リソースブロックＤＶＲＢは、ＤＶＲＢ１、ＤＶＲＢ４、ＤＶＲＢ２、ＤＶＲＢ５、ＤＶＲＢ３の順に並んだものとなる。
【０２２１】
図５７は、分散仮想リソースブロックＤＶＲＢと物理リソースブロックＰＲＢペアとの対応付け規則の第１０の例を示す図である。図５７において、横軸に周波数をとり、各四角形が物理リソースブロックＰＲＢペアにおける各スロットの領域を示す。各四角形すなわち、各物理リソースブロックＰＲＢペアの各スロットに付したＤＶＲＢ１、ＤＶＲＢ２・・・ＤＶＲＢ１５の符号各々は、該当領域に割り当てられるＶＲＢ番号１〜１８の分散仮想リソースブロックＤＶＲＢを表し、各周波数領域に付した符号ＰＲＢ１、ＰＲＢ２、・・・ＰＲＢ１５は、該当領域の物理リソースブロックＰＲＢペアの最初の物理リソースブロックＰＲＢのＰＲＢ番号が１、２、・・・１５であることを示す。
【０２２２】
前述の７番目のステップにより、ＰＲＢ番号１〜５の物理リソースブロックＰＲＢペアに対して５番目のステップで生成した第１の分散仮想リソースブロックＤＶＲＢユニットグループを対応付けし、ＰＲＢ番号６〜１０の物理リソースブロックＰＲＢペアに対して６番目のステップで生成した第２の分散仮想リソースブロックＤＶＲＢユニットグループを対応付けし、ＰＲＢ番号１１〜１５の物理リソースブロックＰＲＢペアに対して６番目のステップで生成した第３の分散仮想リソースブロックＤＶＲＢユニットグループを対応付けする。
【０２２３】
さらに、領域ＸはサブフレームをＯＦＤＭシンボルベースホッピングにて分割した領域Ａ（４番目と７番目と１０番目と１３番目のＯＦＤＭシンボル）に対応付けし、領域Ｙはサブフレームの領域Ｂ（６番目と９番目と１２番目のＯＦＤＭシンボル）に対応付けし、領域Ｚはサブフレームの領域Ｃ（５番目と８番目と１１番目と１４番目のＯＦＤＭシンボル）に対応付けする。これにより、図５７に示すように、ＰＲＢ番号１〜１５の物理リソースブロックＰＲＢペアに対して、各々の領域Ａには、ＶＲＢ番号が、１、４、２、５、３、１１、１４、１２、１５、１３、６、９、７、１０、８の分散仮想リソースブロックＤＶＲＢが割り当てられ、各々の領域Ｂには、６、９、７、１０、８、１、４、２、５、３、１１、１４、１２、１５、１３の分散仮想リソースブロックＤＶＲＢが割り当てられ、各々の領域Ｃには、１１、１４、１２、１５、１３、６、９、７、１０、８、１、４、２、５、３の分散仮想リソースブロックＤＶＲＢが割り当てられる。
【０２２４】
基地局装置１は、予め報知チャネルにて、システム帯域幅を表す情報を移動局装置２に送信する。このとき、システム帯域幅に換えて、物理リソースブロックＰＲＢの総数を表す情報を送信してもよい。また、基地局装置１は、システム帯域幅または物理リソースブロックＰＲＢの総数に加えて、多重数Ｎｄ、セット数Ｍまたは送信に用いる送信アンテナ数を表す情報を送信してもよい。多重数Ｎｄとセット数Ｍが報知チャネルにて送信されない場合は、多重数はシステム帯域幅によって、セット数Ｍは、システム帯域幅、多重数、あるいは、送信に用いられる送信アンテナ数によって決められる。
情報基地局装置１は、各移動局装置２に割り当てた分散仮想リソースブロックＤＶＲＢの信号を、上述の対応付け規則例１〜１０のような分散仮想リソースブロックＤＶＲＢと物理リソースブロックＰＲＢペアの対応付け規則に従った物理リソースブロックＰＲＢペアの下りリンク共有データチャネルに配置して分散送信で送信するとともに、各移動局装置２に割り当てた分散仮想リソースブロックＤＶＲＢを表す開始ＶＲＢ番号と連続ＶＲＢ数からなる無線リソース割り当て情報を下りリンク制御チャネルに配置して移動局装置２に送信する。
【０２２５】
次に、移動局装置２が無線通信システムの分散仮想リソースブロックＤＶＲＢと物理リソースブロックＰＲＢペアの対応付け規則を認識する手順について説明する。先ず、移動局装置２の受信処理部２１は集中送信で送信された報知チャネルを受信し、制御部２０は報知チャネルに含められたシステム帯域幅の情報を取得する。ここで、システム帯域幅と物理リソースブロックＰＲＢの総数は予め対応付けられており、移動局装置２の制御部２０は、取得したシステム帯域幅の情報に基づき、物理リソースブロックＰＲＢの総数を取得する。なお、システム帯域幅の情報ではなく、物理リソースブロックＰＲＢの総数の情報を報知チャネルに含める構成であってもよい。
【０２２６】
また、物理リソースブロックＰＲＢの総数と多重数Ｎｄは予め対応付けられており、移動局装置２の制御部２０は、取得した物理リソースブロックＰＲＢの総数に基づき、多重数Ｎｄを取得する。例えば、物理リソースブロックＰＲＢの総数が予め決められた値より少ない場合は多重数Ｎｄが「２」、多い場合は多重数Ｎｄが「３」と対応付けられている。なお、多重数Ｎｄと物理リソースブロックＰＲＢの総数を予め対応付けずに、多重数Ｎｄに関する情報を報知チャネルに含める構成であってもよい。
【０２２７】
分散仮想リソースブロックＤＶＲＢユニットセットの分散仮想リソースブロックＤＶＲＢユニットの数であるセット数Ｍは、物理リソースブロックＰＲＢの総数と予め対応付けられており、移動局装置２の制御部２０は、取得した物理リソースブロックＰＲＢの総数に基づき、セット数Ｍを取得する。または、セット数Ｍは多重数Ｎｄと予め対応付けられていてもよい。例えば、多重数Ｎｄが「２」の場合はセット数Ｍは「２」、多重数Ｎｄが「３」の場合はセット数Ｍは「３」と対応付けられている。
【０２２８】
または、セット数Ｍは報知チャネルに含められる基地局装置１の送信アンテナ数と予め対応付けられており、移動局装置２の制御部２０は、取得した基地局装置１の送信アンテナ数に基づき、セット数Ｍを取得してもよい。例えば、基地局装置１の送信アンテナ数が４本の場合はセット数Ｍは２、基地局装置１の送信アンテナ数が２本の場合はセット数Ｍは３と対応付けられている。
【０２２９】
つまり、用いている送信アンテナ数が多い場合と比較して用いている送信アンテナ数が少ない場合は下りリンク共有データチャネルの受信品質の劣化が大きくなるため、大きなセット数Ｍを用いてより大きな周波数ダイバーシチ効果を得るようにしてもよい。なお、セット数Ｍを物理リソースブロックＰＲＢの総数、または多重数Ｎｄ、または基地局装置１の送信アンテナ数と予め対応付けずに、セット数Ｍに関する情報を報知チャネルに含める構成であってもよい。以上のように、物理リソースブロックＰＲＢの総数、多重数Ｎｄ、セット数Ｍの情報を取得することにより移動局装置２は分散仮想リソースブロックＤＶＲＢと物理リソースブロックＰＲＢの対応付けを認識する。
【０２３０】
次に、移動局装置２が、自移動局装置２に割り当てられた分散仮想リソースブロックＤＶＲＢを構成する下りリンク共有データチャネルが配置されたリソースエレメントを認識して、検出する手順について説明する。移動局装置２は、制御フォーマットインディケータチャネルを受信し、制御フォーマットインディケータ検出部４０８が、制御フォーマットインディケータを検出し、該制御フォーマットインディケータに基づき、制御部２０は、下りリンク制御チャネルおよび下りリンク共有データチャネルが配置されるＯＦＤＭシンボルを認識し、このＯＦＤＭシンボルに基づく下りリンク制御チャネルおよび下りリンク共有データチャネルの分離を多重分離部４０５に通知する。ここで、制御フォーマットインディケータチャネルは、予め決められたリソースエレメントに配置されているので、制御フォーマットインディケータチャネルの分離は、該配置に基づき多重分離部４０５が行う。
【０２３１】
次に、制御部２０からの通知に従い多重分離部４０５は、下りリンク制御チャネルを分離し、制御部２０は、下りリンク制御チャネルに含められた無線リソース割り当て情報が表す開始ＶＲＢ番号、連続ＶＲＢ数を取得する。次に、制御部２０は、この開始ＶＲＢ番号と連続ＶＲＢ数とにより自移動局装置２に割り当てられた分散仮想リソースブロックＤＶＲＢのＶＲＢ番号を１つ、または複数認識する。制御部２０は、先に受信した報知チャネルに含められていた情報により取得した分散仮想リソースブロックＤＶＲＢと物理リソースブロックＰＲＢペアの対応付け規則と、割り当てられた分散仮想リソースブロックＤＶＲＢのＶＲＢ番号とから、自移動局装置２に割り当てられた分散物理リソースブロックＤＶＲＢが配置された物理リソースブロックＰＲＢと領域、すなわちリソースエレメントを認識する。制御部２０は、このリソースエレメントを、自装置宛の下りリンク共有データチャネルとして分離し、伝播路補償部４１２に出力するように、多重分離部４０５に指示する。
【０２３２】
本発明において、基地局装置１が、分散送信するために、一つの移動局装置２に開始ＶＲＢ数と連続ＶＲＢ数とで一度に割り当てる分散仮想リソースブロックＤＶＲＢの数は、セット数Ｍ以下であることが好ましい。前述の6番目のステップにより、セット数Ｍ内の分散仮想リソースブロックＤＶＲＢ（一つの分散仮想リソースブロックＤＶＲＢユニットセットを構成する分散仮想リソースブロックＤＶＲＢ）は、周波数方向に分散して配置されるからである。
【０２３３】
これを図８と図１２を用いて説明する。例えば、基地局装置１が、ある移動局装置２に対して開始ＶＲＢ番号として「５」（図８（ｂ）のＤＶＲＢ５）を示し、連続ＶＲＢ番号として「２」を示して下りリンク共有データチャネルを分散送信で送信した場合、この移動局装置２は、ＶＲＢ番号「５」から２つの分散仮想リソースブロックＤＶＲＢ、すなわちＶＲＢ番号「５」と「６」の分散仮想リソースブロックＤＶＲＢ（図８（ｂ）のＤＶＲＢ５とＤＶＲＢ６）を受信する。
【０２３４】
図１２の対応付け規則例では、ＶＲＢ番号「５」の分散仮想リソースブロックＤＶＲＢ（ＤＶＲＢ５）は物理リソースブロックＰＲＢ３の１番目のスロットと物理リソースブロックＰＲＢ１２の２番目のスロットとに対応付けされ、ＶＲＢ番号「６」の分散仮想リソースブロックＤＶＲＢ（ＤＶＲＢ６）は物理リソースブロックＰＲＢ８の１番目のスロットと物理リソースブロックＰＲＢ１７の２番目のスロットとに対応付けされている。すなわち、ＶＲＢ番号「５」と「６」の分散仮想リソースブロックＤＶＲＢを割り当てられた移動局装置２は、物理リソースブロックＰＲＢ３、８の１番目のスロットと、物理リソースブロックＰＲＢ１２、１７の２番目のスロットとに配置された下りリンク共有データチャネルを受信する。
【０２３５】
このように、用いる物理リソースブロックＰＲＢ間の最大距離（上述の例では、ＰＲＢ３〜ＰＲＢ１７）を増大することができ、物理リソースブロックＰＲＢの配置（上述の例では、ＰＲＢ３、ＰＲＢ８、ＰＲＢ１２、ＰＲＢ１７）もまばらにすることができる。以上のことから、本発明を用いることにより、従来よりもまばらに配置された物理リソースブロックＰＲＢを用いて分散送信を行うことができ、周波数ダイバーシチ効果を向上することができる。なお、物理リソースブロックＰＲＢの総数が少ない場合と比較して多くなるにつれて、更にまばらに配置された物理リソースブロックＰＲＢを用いて分散送信を行うことができ、周波数ダイバーシチ効果を向上することができる。
【０２３６】
また、本実施形態では、分散仮想リソースブロックＤＶＲＢの総数Ｎ＿ＤＶＲＢを、物理リソースブロックＰＲＢの総数以下で多重数Ｎｄで割り切れる最大数であるとして説明したが、最大数ではなく、異なる値（最大数より小さく多重数Ｎｄで割り切れる値）にしてもよい。例えば、物理リソースブロックＰＲＢの総数Ｎ＿ＰＲＢが「１８」個であり、多重数Ｎｄが「２」の場合を例にして説明する。
【０２３７】
この例の場合、物理リソースブロックＰＲＢの総数Ｎ＿ＰＲＢ以下で多重数Ｎｄで割り切れる最大数は「１８」である。１８個の分散仮想リソースブロックＤＶＲＢを無線リソース割り当て情報で示すには開始ＶＲＢ番号が５ビット（３２状態）必要となる。しかしながら、分散仮想リソースブロックＤＶＲＢの個数を１６個にした場合、開始ＶＲＢ  番号は４ビット（１６状態）で示すことができ、１ビット削減することができる。このように、無線リソース割り当て情報のオーバヘッドを考慮して、分散仮想リソースブロックＤＶＲＢの総数を物理リソースブロックＰＲＢの総数以下で多重数Ｎｄで割り切れる最大数ではない異なる値に設定してもよい。
【０２３８】
次に図５８から図６２は、このように分散仮想リソースブロックＤＶＲＢの総数を小さくすることで開始ＶＲＢ番号のビット数を削減する、分散仮想リソースブロックＤＶＲＢと物理リソースブロックＰＲＢペアの対応付け規則の第１１の例を説明する図である。図５８（ａ）は、第１１の対応付け規則例におけるシステム帯域幅の物理リソースブロックＰＲＢペアを示す図である。図５８（ａ）において、横軸に周波数をとり、各四角形が物理リソースブロックＰＲＢペアを示し、これらの四角形に付した符号ＰＲＢ１〜ＰＲＢ１８は、それぞれＰＲＢ番号１から１８の物理リソースブロックＰＲＢペアであることを表す。
【０２３９】
第１１の対応付け規則例では、多重数Ｎｄが「２」、システム帯域幅の物理リソースブロックＰＲＢペアの総数Ｎ＿ＰＲＢが「１８」個、セットＭが「２」個の場合について説明する。説明の簡略化のため、図８〜１２にて示した第１の対応付け規則例と異なる部分について説明する。この第１１の対応付け規則例では、図５８（ｂ）に示すように、分散仮想リソースブロックＤＶＲＢの総数Ｎ＿ＤＶＲＢを、物理リソースブロックＰＲＢの総数Ｎ＿ＰＲＢ「１８」以下であり、多重数Ｎｄ「２」で割り切れる数である「１６」個とし、分散仮想リソースブロックＤＶＲＢ１〜ＤＶＲＢ１６について対応付けをする。これにより、無線リソース割り当て情報の開始ＶＲＢ番号を４ビット（１６状態）で構成し、制御ビットを無駄なく十分に利用することができる。
【０２４０】
図５９は、第１１の対応付け規則例における分散仮想リソースブロックＤＶＲＢユニットを示す図である。第１１の対応付け規則例の場合、前述の２番目および３番目のステップにより、図５９に示すように８個の分散仮想リソースブロックＤＶＲＢユニットＤＵ１〜ＤＵ８を構成する。８個の分散仮想リソースブロックＤＶＲＢユニットＤＵ１〜ＤＵ８それぞれの領域Ｘには、ＶＲＢ番号が１、２、３、４、５、６、７、８の分散仮想リソースブロックＤＶＲＢ（符号ＤＶＲＢ１、ＤＶＲＢ２、ＤＶＲＢ３、ＤＶＲＢ４、ＤＶＲＢ５、ＤＶＲＢ６、ＤＶＲＢ７、ＤＶＲＢ８）が割り当てられる。また、８個の分散仮想リソースブロックＤＶＲＢユニットＤＵ１〜ＤＵ８それぞれの領域Ｙには、ＶＲＢ番号が９、１０、１１、１２、１３、１４、１５、１６の分散仮想リソースブロックＤＶＲＢ（符号ＤＶＲＢ９、ＤＶＲＢ１０、ＤＶＲＢ１１、ＤＶＲＢ１２、ＤＶＲＢ１３、ＤＶＲＢ１４、ＤＶＲＢ１５、ＤＶＲＢ１６）が割り当てられる。
【０２４１】
図６０は、第１１の対応付け規則例における分散仮想リソースブロックＤＶＲＢユニットセットを示す図である。図６０に示すように、８個の分散仮想リソースブロックＤＶＲＢユニットから、２（Ｍ）個の分散仮想リソースブロックＤＶＲＢユニットにより構成される分散仮想リソースブロックＤＶＲＢユニットセットを、前述の４番目のステップにより４個（ＤＵＳ１〜ＤＵＳ４））生成する。分散仮想リソースブロックＤＶＲＢユニットセットＤＵＳ１は、分散仮想リソースブロックＤＶＲＢユニットＤＵ１、ＤＵ２とから構成される。同様に、分散仮想リソースブロックＤＶＲＢユニットセットＤＵＳ２は、分散仮想リソースブロックＤＶＲＢユニットＤＵ３、ＤＵ４とから、分散仮想リソースブロックＤＶＲＢユニットセットＤＵＳ３は、分散仮想リソースブロックＤＶＲＢユニットＤＵ５、ＤＵ６とから、分散仮想リソースブロックＤＶＲＢユニットセットＤＵＳ４は、分散仮想リソースブロックＤＶＲＢユニットＤＵ７、ＤＵ８とから構成される。
【０２４２】
図６１は、第１１の対応付け規則例における第１および第２の分散仮想リソースブロックＤＶＲＢユニットグループを示す図である。前述の５番目のステップにより、第１の分散仮想リソースブロックＤＶＲＢユニットグループは、図６１に示すように、分散仮想リソースブロックＤＶＲＢユニットがＤＵ１、ＤＵ３、ＤＵ５、ＤＵ７、ＤＵ２、ＤＵ４、ＤＵ６、ＤＵ８の順に並んだものとなる。すなわち、領域Ｘに割り当てられる分散仮想リソースブロックＤＶＲＢは、ＤＶＲＢ１、ＤＶＲＢ３、ＤＶＲＢ５、ＤＶＲＢ７、ＤＶＲＢ２、ＤＶＲＢ４、ＤＶＲＢ６、ＤＶＲＢ８の順に並び、領域Ｙに割り当てられる分散仮想リソースブロックＤＶＲＢは、ＤＶＲＢ９、ＤＶＲＢ１１、ＤＶＲＢ１３、ＤＶＲＢ１５、ＤＶＲＢ１０、ＤＶＲＢ１２、ＤＶＲＢ１４、ＤＶＲＢ１６の順に並んだものとなる。
【０２４３】
また、第２の分散仮想リソースブロックＤＶＲＢユニットグループは、前述の６番目のステップにより、図６１に示すように、第１の分散仮想リソースブロックＤＶＲＢユニットグループの領域Ｘに割り当てられた分散仮想リソースブロックＤＶＲＢを領域Ｙに、領域Ｙに割り当てられた分散仮想リソースブロックＤＶＲＢを領域Ｘにしたものとなる。すなわち、第２の分散仮想リソースブロックＤＶＲＢユニットグループは、領域Ｘに割り当てられる分散仮想リソースブロックＤＶＲＢは、ＤＶＲＢ９、ＤＶＲＢ１１、ＤＶＲＢ１３、ＤＶＲＢ１５、ＤＶＲＢ１０、ＤＶＲＢ１２、ＤＶＲＢ１４、ＤＶＲＢ１６の順に並び、領域Ｙに割り当てられる分散仮想リソースブロックＤＶＲＢは、ＤＶＲＢ１、ＤＶＲＢ３、ＤＶＲＢ５、ＤＶＲＢ７、ＤＶＲＢ２、ＤＶＲＢ４、ＤＶＲＢ６、ＤＶＲＢ８の順に並んだものとなる。
【０２４４】
図６２は、分散仮想リソースブロックＤＶＲＢと物理リソースブロックＰＲＢペアとの対応付け規則の第１１の例を示す図である。図６２において、横軸に周波数をとり、各四角形が物理リソースブロックＰＲＢペアにおける各スロットの領域を示す。各四角形すなわち、各物理リソースブロックＰＲＢペアの各スロットに付したＤＶＲＢ１、ＤＶＲＢ２・・・ＤＶＲＢ１６の符号各々は、該当領域に割り当てられるＶＲＢ番号１〜１６の分散仮想リソースブロックＤＶＲＢを表し、各周波数領域に付した符号ＰＲＢ１、ＰＲＢ２、・・・ＰＲＢ１８は、該当領域の物理リソースブロックＰＲＢペアの最初の物理リソースブロックＰＲＢのＰＲＢ番号が１、２、・・・１８であることを示す。
【０２４５】
前述の７番目のステップにより、第１の分散仮想リソースブロックＤＶＲＢユニットグループと第２の分散仮想リソースブロックＤＶＲＢユニットグループを物理リソースブロックＰＲＢに対応付ける際に、システム帯域幅の端の物理リソースブロックＰＲＢペアＰＲＢ１からＰＲＢ８に第１の分散仮想リソースブロックＤＶＲＢユニットグループを対応付けし、システム帯域幅のもう一方の端の物理リソースブロックＰＲＢペアＰＲＢ１１からＰＲＢ１８に第２の分散仮想リソースブロックＤＶＲＢユニットグループを対応付けし、その間の物理リソースブロックＰＲＢペアであるＰＲＢ９とＰＲＢ１０にブランクを対応付ける。
【０２４６】
つまり、物理リソースブロックＰＲＢの総数から分散仮想リソースブロックＤＶＲＢの総数を引いた個数分の物理リソースブロックＰＲＢペアはブランクとし、第１の分散仮想リソースブロックＤＶＲＢユニットグループと第２の分散仮想リソースブロックＤＶＲＢユニットグループに対応付ける物理リソースブロック群間の物理リソースブロックＰＲＢペアをブランクとする。分散仮想リソースブロックＤＶＲＢの総数を物理リソースブロックＰＲＢの総数以下で多重数Ｎｄで割り切れる最大数とした場合と比較して、第１の分散仮想リソースブロックＤＶＲＢユニットグループと第２の分散仮想リソースブロックＤＶＲＢユニットグループに対応付ける物理リソースブロック群間の複数の物理リソースブロックＰＲＢがブランクとなる可能性があることが異なる。
【０２４７】
多重数Ｎｄが「３」の場合は、第１の分散仮想リソースブロックＤＶＲＢユニットグループと第２の分散仮想リソースブロックＤＶＲＢユニットグループに対応付ける物理リソースブロック群間の複数の物理リソースブロックＰＲＢ、または／および第２の分散仮想リソースブロックＤＶＲＢユニットグループと第３の分散仮想リソースブロックＤＶＲＢユニットグループに対応付ける物理リソースブロック群間の複数の物理リソースブロックＰＲＢがブランクとなる可能性がある。
【０２４８】
なお、無線リソース割り当て情報として開始ＶＲＢ番号と連続ＶＲＢ数を別々の情報フィールド（ビットフィールド）で示すのではなく、情報を組み合わせてツリーベース（Ｔｒｅｅ−ｂａｓｅｄ）方法で構成するようにしてもよい。図６３は、開始ＶＲＢ番号と連続ＶＲＢ数の情報を組み合わせてツリーベース方法で構成した例を示す。ここでは、１８個の分散仮想リソースブロックＤＶＲＢの場合について示す。図６３において、ＤＶＲＢ１〜ＤＶＲＢ１８は、それぞれＶＲＢ番号が１〜１８の仮想リソースブロックＤＶＲＢを示し、これらに付された連続ＶＲＢ数１の１〜１８は、それぞれ該当するＶＲＢ番号の仮想リソースブロックＤＶＲＢのみを割り当てることを表す。
【０２４９】
また、上述の連続ＶＲＢ数１の１〜１８の隣接する２つを結んだ線に付された連続ＶＲＢ数２の１９〜３５は、それぞれ、ＶＲＢ番号が１と２、２と３、３と４、・・・１７と１８の分散仮想リソースブロックを割り当てることを表す。また、上述の連続ＶＲＢ数２の１９〜３５の隣接する２つを結んだ線に付された連続ＶＲＢ数３の３６〜５１は、それぞれ、ＶＲＢ番号が１と２と３、２と３と４、３と４と５、・・・１６と１７と１８の分散仮想リソースブロックを割り当てることを表す。
【０２５０】
このように、連続ＶＲＢ数が１と２と３の場合について可能性のある組み合わせに番号付けを行う。ここでは、連続割り当てＶＲＢ数を２とした場合３５通りの組み合わせが存在し、連続割り当てＶＲＢ数を３とした場合５１通りの組み合わせが存在し、この場合は両方とも６ビット（６４状態）を用いて各組み合わせを示すことができる。
【０２５１】
図１２、図１７、図２２、図２７、図３２、図３７、図４２、図４７、図５２、図５７、図６２に示すように、分散仮想リソースブロックＤＶＲＢと物理リソースブロックＰＲＢペアとの対応付の規則は、属している分散仮想リソースブロックＤＶＲＢの順番が連続している複数の分散仮想リソースブロックＤＶＲＢユニットを纏めた分散仮想リソースブロックＤＶＲＢユニットセットにおいて、分散仮想リソースブロックＤＶＲＢユニットセットに属する分散仮想リソースブロックＤＶＲＢユニットに対応付けられた物理リソースブロックＰＲＢペアが互いに周波数方向に隣接していない。
【０２５２】
これは、上述の５番目のステップにて、分散仮想リソースブロックＤＶＲＢユニットグループを生成する際に、分散仮想リソースブロックＤＶＲＢユニットセットの順番に、各分散仮想リソースブロックＤＶＲＢユニットセットにおいて最も順番の早い、すなわち最もＶＲＢ番号の小さい分散仮想リソースブロックＤＶＲＢが属する分散仮想リソースブロックＤＶＲＢユニットを一つ抽出し、全ての仮想リソースブロックＤＶＲＢユニットを抽出するまで、繰り返したときの、抽出された順番に、仮想リソースブロックＤＶＲＢユニットを並べた順番付きの組を分散仮想リソースブロックＤＶＲＢユニットグループとしているためである。
従って、分散仮想リソースブロックＤＶＲＢユニットセット内で連続した複数の分散仮想リソースブロックＤＶＲＢが一つの移動局装置２に割り当てられても、分散仮想リソースブロックＤＶＲＢの信号が配置される物理リソースブロックＰＲＢペアは、周波数方向に隣接せず、よってこれらの信号が配置される領域に偏りが生じないため、優れた周波数ダイバーシチ効果を得ることができる。
【０２５３】
また、上述の実施形態において、１番目から７番目のステップにより対応付の規則を生成する方法を説明したが、基地局装置１および移動局装置２は、これら１番目から７番目のステップにより対応付の規則を必要に応じて生成するようにしてもよいし、生成された規則を記憶しておく記憶部を具備し、必要に応じて記憶部から読み出すようにしてもよい。
また、上述の実施形態において、基地局装置１および移動局装置２は、システム帯域幅に基づき選択、あるいは生成した対応付の規則を用いるとして説明したが、常に同じ対応付の規則を用い、切り替えないようにしてもよい。
【０２５４】
また、図４における無線リソース制御部１０、制御部１１、および図５における下りリンク共有データチャネル処理部２１０、下りリンク制御チャネル処理部２２０、参照信号生成部２３０、制御フォーマットインディケータ信号生成部２４０、多重部２５０、ＩＦＦＴ部２６１、ＧＩ挿入部２６２、および図６における制御部２０、および図７におけるＧＩ除去部４０３、ＦＦＴ部４０４、多重分離部４０５、伝播路推定部４０６、伝播路補償部４０７、制御フォーマットインディケータ検出部４０８、伝播路補償部４０９、ＱＰＳＫ復調部４１０、ビタビデコーダ部４１１、伝播路補償部４１２、データ復調部４１３、ターボ復号部４１４の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【０２５５】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【０２５６】
以上、この発明の実施形態を図面を参照して詳述してきたが、具体的な構成はこの実施形態に限られるものではなく、この発明の要旨を逸脱しない範囲の設計変更等も含まれる。
【産業上の利用可能性】
【０２５７】
本発明の無線通信システムは、携帯電話などの移動体通信システムに用いて好適であるが、これに限定されない。
【図面の簡単な説明】
【０２５８】
【図１】この発明の一実施形態による無線通信システムにおけるチャネルの構造について、その概略を示す図である。
【図２】同実施形態における下りリンクフレームの概略構成を示す図である。
【図３】同実施形態における下りリンクにおける物理リソースブロックＰＲＢペア内の下りリンクパイロットチャネルの配置を説明する図である。
【図４】同実施形態における基地局装置１の構成を示す概略ブロック図である。
【図５】同実施形態における基地局装置１の送信処理部１２の内部構成を示す概略ブロック図である。
【図６】同実施形態における移動局装置２の構成を示す概略ブロック図である。
【図７】同実施形態における移動局装置２の受信処理部２１の内部構成を示す概略ブロック図である。
【図８】同実施形態における第１の対応付け規則例におけるシステム帯域幅の物理リソースブロックＰＲＢペアおよび分散仮想リソースブロックＤＶＲＢを示す図である。
【図９】同実施形態における第１の対応付け規則例における分散仮想リソースブロックＤＶＲＢユニットを示す図である。
【図１０】同実施形態における第１の対応付け規則例における分散仮想リソースブロックＤＶＲＢユニットセットを示す図である。
【図１１】同実施形態における第１の対応付け規則例における第１および第２の分散仮想リソースブロックＤＶＲＢユニットグループを示す図である。
【図１２】同実施形態における分散仮想リソースブロックＤＶＲＢと物理リソースブロックＰＲＢペアとの対応付け規則の第１の例を示す図である。
【図１３】同実施形態における第２の対応付け規則例におけるシステム帯域幅の物理リソースブロックＰＲＢペアおよび分散仮想リソースブロックＤＶＲＢを示す図である。
【図１４】同実施形態における第２の対応付け規則例における分散仮想リソースブロックＤＶＲＢユニットを示す図である。
【図１５】同実施形態における第２の対応付け規則例における分散仮想リソースブロックＤＶＲＢユニットセットを示す図である。
【図１６】同実施形態における第２の対応付け規則例における第１および第２の分散仮想リソースブロックＤＶＲＢユニットグループを示す図である。
【図１７】同実施形態における分散仮想リソースブロックＤＶＲＢと物理リソースブロックＰＲＢペアとの対応付け規則の第２の例を示す図である。
【図１８】同実施形態における第３の対応付け規則例におけるシステム帯域幅の物理リソースブロックＰＲＢペアおよび分散仮想リソースブロックＤＶＲＢを示す図である。
【図１９】同実施形態における第３の対応付け規則例における分散仮想リソースブロックＤＶＲＢユニットを示す図である。
【図２０】同実施形態における第３の対応付け規則例における分散仮想リソースブロックＤＶＢユニットセットを示す図である。
【図２１】同実施形態における第３の対応付け規則例における第１および第２の分散仮想リソースブロックＤＶＲＢユニットグループを示す図である。
【図２２】同実施形態における分散仮想リソースブロックＤＶＲＢと物理リソースブロックＰＲＢペアとの対応付け規則の第３の例を示す図である。
【図２３】同実施形態における第４の対応付け規則例におけるシステム帯域幅の物理リソースブロックＰＲＢペアおよび分散仮想リソースブロックＤＶＲＢを示す図である。
【図２４】同実施形態における第４の対応付け規則例における分散仮想リソースブロックＤＶＲＢユニットを示す図である。
【図２５】同実施形態における第４の対応付け規則例における分散仮想リソースブロックＤＶＢユニットセットを示す図である。
【図２６】同実施形態における第４の対応付け規則例における第１および第２の分散仮想リソースブロックＤＶＲＢユニットグループを示す図である。
【図２７】同実施形態における分散仮想リソースブロックＤＶＲＢと物理リソースブロックＰＲＢペアとの対応付け規則の第４の例を示す図である。
【図２８】同実施形態における第５の対応付け規則例におけるシステム帯域幅の物理リソースブロックＰＲＢペアおよび分散仮想リソースブロックＤＶＲＢを示す図である。
【図２９】同実施形態における第５の対応付け規則例における分散仮想リソースブロックＤＶＲＢユニットを示す図である。
【図３０】同実施形態における第５の対応付け規則例における分散仮想リソースブロックＤＶＢユニットセットを示す図である。
【図３１】同実施形態における第５の対応付け規則例における第１および第２の分散仮想リソースブロックＤＶＲＢユニットグループを示す図である。
【図３２】Ｂペアとの対応付け規則の第５の例を示す図である。
【図３３】同実施形態における第６の対応付け規則例におけるシステム帯域幅の物理リソースブロックＰＲＢペアおよび分散仮想リソースブロックＤＶＲＢを示す図である。
【図３４】同実施形態における第６の対応付け規則例における分散仮想リソースブロックＤＶＲＢユニットを示す図である。
【図３５】同実施形態における第６の対応付け規則例における分散仮想リソースブロックＤＶＢユニットセットを示す図である。
【図３６】同実施形態における第６の対応付け規則例における第１および第２の分散仮想リソースブロックＤＶＲＢユニットグループを示す図である。
【図３７】同実施形態における分散仮想リソースブロックＤＶＲＢと物理リソースブロックＰＲＢペアとの対応付け規則の第６の例を示す図である。
【図３８】同実施形態における第７の対応付け規則例におけるシステム帯域幅の物理リソースブロックＰＲＢペアおよび分散仮想リソースブロックＤＶＲＢを示す図である。
【図３９】同実施形態における第７の対応付け規則例における分散仮想リソースブロックＤＶＲＢユニットを示す図である。
【図４０】同実施形態における第７の対応付け規則例における分散仮想リソースブロックＤＶＢユニットセットを示す図である。
【図４１】同実施形態における第７の対応付け規則例における第１および第２の分散仮想リソースブロックＤＶＲＢユニットグループを示す図である。
【図４２】同実施形態における分散仮想リソースブロックＤＶＲＢと物理リソースブロックＰＲＢペアとの対応付け規則の第７の例を示す図である。
【図４３】同実施形態における第８の対応付け規則例におけるシステム帯域幅の物理リソースブロックＰＲＢペアおよび分散仮想リソースブロックＤＶＲＢを示す図である。
【図４４】同実施形態における第８の対応付け規則例における分散仮想リソースブロックＤＶＲＢユニットを示す図である。
【図４５】同実施形態における第８の対応付け規則例における分散仮想リソースブロックＤＶＢユニットセットを示す図である。
【図４６】同実施形態における第８の対応付け規則例における第１および第２の分散仮想リソースブロックＤＶＲＢユニットグループを示す図である。
【図４７】同実施形態における分散仮想リソースブロックＤＶＲＢと物理リソースブロックＰＲＢペアとの対応付け規則の第８の例を示す図である。
【図４８】同実施形態における第９の対応付け規則例におけるシステム帯域幅の物理リソースブロックＰＲＢペアおよび分散仮想リソースブロックＤＶＲＢを示す図である。
【図４９】同実施形態における第９の対応付け規則例における分散仮想リソースブロックＤＶＲＢユニットを示す図である。
【図５０】同実施形態における第９の対応付け規則例における分散仮想リソースブロックＤＶＢユニットセットを示す図である。
【図５１】同実施形態における第９の対応付け規則例における第１および第２の分散仮想リソースブロックＤＶＲＢユニットグループを示す図である。
【図５２】同実施形態における分散仮想リソースブロックＤＶＲＢと物理リソースブロックＰＲＢペアとの対応付け規則の第９の例を示す図である。
【図５３】同実施形態における第１０の対応付け規則例におけるシステム帯域幅の物理リソースブロックＰＲＢペアおよび分散仮想リソースブロックＤＶＲＢを示す図である。
【図５４】同実施形態における第１０の対応付け規則例における分散仮想リソースブロックＤＶＲＢユニットを示す図である。
【図５５】同実施形態における第１０の対応付け規則例における分散仮想リソースブロックＤＶＢユニットセットを示す図である。
【図５６】同実施形態における第１０の対応付け規則例における第１および第２の分散仮想リソースブロックＤＶＲＢユニットグループを示す図である。
【図５７】同実施形態における分散仮想リソースブロックＤＶＲＢと物理リソースブロックＰＲＢペアとの対応付け規則の第１０の例を示す図である。
【図５８】同実施形態における第１１の対応付け規則例におけるシステム帯域幅の物理リソースブロックＰＲＢペアおよび分散仮想リソースブロックＤＶＲＢを示す図である。
【図５９】同実施形態における第１１の対応付け規則例における分散仮想リソースブロックＤＶＲＢユニットを示す図である。
【図６０】同実施形態における第１１の対応付け規則例における分散仮想リソースブロックＤＶＢユニットセットを示す図である。
【図６１】同実施形態における第１１の対応付け規則例における第１および第２の分散仮想リソースブロックＤＶＲＢユニットグループを示す図である。
【図６２】同実施形態における分散仮想リソースブロックＤＶＲＢと物理リソースブロックＰＲＢペアとの対応付け規則の第１１の例を示す図である。
【図６３】同実施形態における開始ＶＲＢ番号と連続ＶＲＢ数の情報を組み合わせてツリーベース方法で構成した例を示す。
【図６４】ＥＵＴＲＡにおけるチャネルの構造について、その概略を示す図である。
【図６５】ＥＵＴＲＡにおける下りリンクフレームの概略構成を示す図である。
【図６６】ＥＵＴＲＡの下りリンクにおける物理リソースブロックＰＲＢペア内の下りリンクパイロットチャネルの配置を説明する図である。
【図６７】従来の多重数Ｎｄが２の場合の分散仮想リソースブロックＤＶＲＢマッピングを説明する図である。
【図６８】従来の多重数Ｎｄが３の場合の分散仮想リソースブロックＤＶＲＢマッピングを説明する図である。
【図６９】従来の基地局装置と移動局装置で使用される分散仮想リソースブロックＤＶＲＢの例を示す。
【図７０】非特許文献６において提案される多重数Ｎｄ＝２の場合の分散仮想リソースブロックＤＶＲＢと物理リソースブロックＰＲＢペアとの対応付け規則を示す。
【図７１】従来の分散仮想リソースブロックＤＶＲＢと物理リソースブロックＰＲＢペアとの対応付け規則の例を示す図である。
【符号の説明】
【０２５９】
１…基地局装置
２…移動局装置
１０…無線リソース制御部
１１…制御部
１２…送信処理部
１３…受信処理部
１４…リソース対応付部
１５…割当情報生成部
２０…制御部
２１…受信処理部
２２…送信処理部
２１０…下りリンク共有データチャネル処理部
２１１…ターボ符号部
２１２…データ変調部
２２０…下りリンク制御チャネル処理部
２２１…畳み込み符号部
２２２…ＱＰＳＫ変調部
２３０…参照信号生成部
２４０…制御フォーマットインディケータ信号生成部
２５０…多重部
２６０…送信アンテナ毎処理部
２６１…ＩＦＦＴ部
２６２…ＧＩ挿入部
２６３…Ｄ／Ａ部
２６４…送信ＲＦ部
４０１…受信ＲＦ部
４０２…Ａ／Ｄ部
４０３…ＧＩ除去部
４０４…ＦＦＴ部
４０５…多重分離部
４０６…伝播路推定部
４０７…伝播路補償部
４０８…制御フォーマットインディケータ検出部
４０９…伝播路補償部
４１０…ＱＰＳＫ復調部
４１１…ビタビデコーダ部
４１２…伝播路補償部
４１３…データ復調部
４１４…ターボ復号部
【図１】
2009188675.tif 000003
【図２】
2009188675.tif 000004
【図３】
2009188675.tif 000005
【図４】
2009188675.tif 000006
【図５】
2009188675.tif 000007
【図６】
2009188675.tif 000008
【図７】
2009188675.tif 000009
【図８】
2009188675.tif 000010
【図９】
2009188675.tif 000011
【図１０】
2009188675.tif 000012
【図１１】
2009188675.tif 000013
【図１２】
2009188675.tif 000014
【図１３】
2009188675.tif 000015
【図１４】
2009188675.tif 000016
【図１５】
2009188675.tif 000017
【図１６】
2009188675.tif 000018
【図１７】
2009188675.tif 000019
【図１８】
2009188675.tif 000020
【図１９】
2009188675.tif 000021
【図２０】
2009188675.tif 000022
【図２１】
2009188675.tif 000023
【図２２】
2009188675.tif 000024
【図２３】
2009188675.tif 000025
【図２４】
2009188675.tif 000026
【図２５】
2009188675.tif 000027
【図２６】
2009188675.tif 000028
【図２７】
2009188675.tif 000029
【図２８】
2009188675.tif 000030
【図２９】
2009188675.tif 000031
【図３０】
2009188675.tif 000032
【図３１】
2009188675.tif 000033
【図３２】
2009188675.tif 000034
【図３３】
2009188675.tif 000035
【図３４】
2009188675.tif 000036
【図３５】
2009188675.tif 000037
【図３６】
2009188675.tif 000038
【図３７】
2009188675.tif 000039
【図３８】
2009188675.tif 000040
【図３９】
2009188675.tif 000041
【図４０】
2009188675.tif 000042
【図４１】
2009188675.tif 000043
【図４２】
2009188675.tif 000044
【図４３】
2009188675.tif 000045
【図４４】
2009188675.tif 000046
【図４５】
2009188675.tif 000047
【図４６】
2009188675.tif 000048
【図４７】
2009188675.tif 000049
【図４８】
2009188675.tif 000050
【図４９】
2009188675.tif 000051
【図５０】
2009188675.tif 000052
【図５１】
2009188675.tif 000053
【図５２】
2009188675.tif 000054
【図５３】
2009188675.tif 000055
【図５４】
2009188675.tif 000056
【図５５】
2009188675.tif 000057
【図５６】
2009188675.tif 000058
【図５７】
2009188675.tif 000059
【図５８】
2009188675.tif 000060
【図５９】
2009188675.tif 000061
【図６０】
2009188675.tif 000062
【図６１】
2009188675.tif 000063
【図６２】
2009188675.tif 000064
【図６３】
2009188675.tif 000065
【図６４】
2009188675.tif 000066
【図６５】
2009188675.tif 000067
【図６６】
2009188675.tif 000068
【図６７】
2009188675.tif 000069
【図６８】
2009188675.tif 000070
【図６９】
2009188675.tif 000071
【図７０】
2009188675.tif 000072
【図７１】
2009188675.tif 000073